(57)【要約】【課題】電子装置に接続されるアクセサリ装置に対応するコンテンツをアクセサリ装置に対応するコンテンツ制御ポリシーに基づいて提供するための装置及び方法を提供する。【解決手段】本発明の多様な実施形態は、電子装置でアクセサリ装置に対応するサービスを提供するための装置及び方法に関する。この時、アクセサリコンテンツ制御装置は、通信インタフェース及び少なくとも１つのプロセッサを含み、前記プロセッサは、前記通信インタフェースを介して、電子装置に接続されたアクセサリ装置の識別情報を受信した場合、前記アクセサリ装置の識別情報の認証を行い、前記アクセサリ装置の識別情報を認証成功した場合、前記アクセサリ装置に対応するコンテンツを設定し、前記アクセサリ装置に対応するコンテンツ情報を前記電子装置に伝送するように前記通信インタフェースを制御できる。他の実施形態も可能である。【選択図】図１
2018101971.tif 000002
【特許請求の範囲】
【請求項１】
電子装置であって、
ユーザインタフェース；
通信回路；
前記ユーザインタフェース、及び前記通信回路と電気的に接続されたプロセッサ；及び
前記プロセッサと電気的に接続され、少なくとも１つのアクセサリ装置と関連づけられた少なくとも１つのポリシー情報を格納するメモリを含み、
前記メモリは、実行時に、前記プロセッサが、
前記通信回路を用いて、前記少なくとも１つのアクセサリ装置と接続を形成し、
前記少なくとも１つのアクセサリ装置と異なる外部電子装置から、前記少なくとも１つのアクセサリ装置と関連づけられたコンテンツを受信し、
前記メモリに格納された少なくとも１つのポリシー情報の少なくとも一部に基づいて、前記受信されたコンテンツの少なくとも一部を前記ユーザインタフェースを介して出力するようにするインストラクションを格納する電子装置。
【請求項２】
前記ユーザインタフェースは、
ディスプレイ、又はスピーカを含み、
前記出力は、
前記ディスプレイを介して壁紙、メニュー、アイコン、又は通知を表示すること、
又は前記スピーカを介して音響を出力することを含む請求項１に記載の電子装置。
【請求項３】
前記インストラクションは、前記プロセッサが、
前記通信回路を用いて、前記格納された少なくとも１つのポリシー情報を前記アクセサリ装置、又は前記外部電子装置から受信するようにする請求項１に記載の電子装置。
【請求項４】
前記インストラクションは、前記プロセッサが、
前記通信回路を用いて、前記少なくとも１つのアクセサリ装置から前記アクセサリ装置の識別情報を受信し、
前記受信されたアクセサリ装置の識別情報の少なくとも一部に基づいて、前記コンテンツに対する要求を前記外部電子装置に伝送するようにする請求項１に記載の電子装置。
【請求項５】
前記インストラクションは、前記プロセッサが、
前記通信回路を用いて、前記電子装置と関連づけられた電子装置識別情報、又は前記電子装置のユーザのアカウント情報を外部電子装置に伝送し、
前記外部電子装置から、前記電子装置識別情報、又は前記アカウント情報に対応するコンテンツを受信するようにする請求項１に記載の電子装置。
【請求項６】
前記インストラクションは、前記プロセッサが、
前記通信回路を用いて、前記電子装置と関連づけられた属性情報を前記外部電子装置に伝送し、
前記外部電子装置から、前記属性情報に対応するコンテンツを受信するようにする請求項１に記載の電子装置。
【請求項７】
前記属性情報は、前記プロセッサの処理速度、前記通信回路の通信速度、前記メモリの可用容量、前記メモリに格納されたソフトウェアの互換性、前記電子装置に含まれたセンサ、又は前記ユーザインタフェースの種類、大きさ、解像度、又は形態のうち少なくとも１つと関連づけられた情報を含む請求項６に記載の電子装置。
【請求項８】
前記インストラクションは、前記プロセッサが、
前記通信回路を用いて、前記少なくとも１つのアクセサリ装置と接続を解除し、
前記少なくとも１つのポリシー情報の少なくとも一部に基づいて、前記コンテンツの少なくとも一部の出力を維持又は中断するようにする請求項１に記載の電子装置。
【請求項９】
前記少なくとも１つのポリシー情報は、
前記コンテンツと関連づけられた第１ポリシー情報、又は前記コンテンツ及び前記外部電子装置から受信された他のコンテンツと関連づけられた第２ポリシー情報を含む請求項１に記載の電子装置。
【請求項１０】
電子装置であって、
ユーザインタフェース；
通信回路；
前記ユーザインタフェース、及び前記通信回路と電気的に接続されたプロセッサ；及び
前記プロセッサと電気的に接続されたメモリを含み、
前記メモリは、実行時に、前記プロセッサが、
前記通信回路を用いて、前記少なくとも１つのアクセサリ装置と接続を形成し、
前記通信回路を用いて、前記電子装置と関連づけられた属性情報を前記少なくとも１つのアクセサリ装置と異なる外部電子装置に伝送し、
前記外部電子装置から前記属性情報に対応するコンテンツを受信し、
前記受信されたコンテンツを前記ユーザインタフェースを介して出力するようにするインストラクションを格納する電子装置。
【請求項１１】
電子装置であって、
ユーザインタフェース；
通信回路；
前記ユーザインタフェース、及び前記通信回路と電気的に接続されたプロセッサ；及び
前記プロセッサと電気的に接続されたメモリを含み、
前記メモリは、実行時に、前記プロセッサが、
前記通信回路を用いて、前記少なくとも１つのアクセサリ装置と接続を形成し、
前記通信回路を用いて、前記少なくとも１つのアクセサリ装置と関連づけられたアクセサリ装置の識別情報を前記アクセサリ装置から受信し、
前記受信されたアクセサリ装置の識別情報の少なくとも一部に基づいて、前記少なくとも１つのアクセサリ装置と異なる外部電子装置にコンテンツを要求し、
前記外部電子装置から前記コンテンツを受信し、
前記受信されたコンテンツを前記ユーザインタフェースを介して出力するようにするインストラクションを格納する電子装置。
【請求項１２】
アクセサリコンテンツ制御装置であって、
通信インタフェース；及び
少なくとも１つのプロセッサを含み、
前記プロセッサは、
前記通信インタフェースを介して、電子装置に接続されたアクセサリ装置の識別情報を受信した場合、前記アクセサリ装置の識別情報の認証を行い、
前記アクセサリ装置の識別情報を認証成功した場合、前記アクセサリ装置に対応するコンテンツを設定し、
前記アクセサリ装置に対応するコンテンツ情報を前記電子装置に伝送するように前記通信インタフェースを制御するアクセサリコンテンツ制御装置。
【請求項１３】
前記プロセッサは、
前記アクセサリ装置の識別情報に基づいて前記アクセサリ装置の重複使用の有無を判断し、
前記アクセサリ装置が重複使用される場合、前記アクセサリ装置に対応するコンテンツの使用を制限する請求項１２に記載のアクセサリコンテンツ制御装置。
【請求項１４】
前記プロセッサは、
前記アクセサリ装置の識別情報と前記電子装置の識別情報に基づいて前記アクセサリ装置が有効であるかを確認し、
前記アクセサリ装置が有効でないと判断した場合、前記アクセサリ装置に対応するコンテンツの使用を制限する請求項１２に記載のアクセサリコンテンツ制御装置。
【請求項１５】
前記プロセッサは、前記アクセサリ装置の識別情報を認証成功した場合、前記アクセサリ装置に対応するコンテンツ及び前記コンテンツのサービスポリシー情報を設定するように設定された請求項１２に記載のアクセサリコンテンツ制御装置。
【請求項１６】
前記サービスポリシー情報は、前記電子装置と前記アクセサリ装置の接続情報に基づいて提供されるコンテンツ品質、使用権限、又はコンテンツの処理方案のうち少なくとも１つを含む請求項１５に記載のアクセサリコンテンツ制御装置。
【請求項１７】
前記プロセッサは、前記アクセサリ装置の識別情報を認証成功した場合、サービス提供装置に前記アクセサリ装置の識別情報を伝送するように前記通信インタフェースを制御する請求項１２に記載のアクセサリコンテンツ制御装置。
【請求項１８】
メモリをさらに含み、
前記プロセッサは、
前記電子装置からコンテンツ要求信号を受信した場合、前記メモリから前記コンテンツ要求信号に対応するコンテンツを検出し、
前記コンテンツ要求信号に対応するコンテンツを前記電子装置に伝送するように前記通信インタフェースを制御する請求項１２に記載のアクセサリコンテンツ制御装置。
【請求項１９】
前記プロセッサは、
前記アクセサリ装置の識別情報を認証成功した場合、前記アクセサリ装置に対応するサービスタイプに基づいてグループを生成し、
前記グループの情報を前記電子装置又はサービス提供装置に伝送するように前記通信インタフェースを制御する請求項１２に記載のアクセサリコンテンツ制御装置。
【請求項２０】
前記プロセッサは、
前記アクセサリ装置の識別情報を認証成功した場合、前記電子装置の識別情報を確認し、
前記電子装置の識別情報及び前記アクセサリ装置に対応するサービスタイプに基づいてグループを生成し、
前記グループの情報を前記電子装置又はサービス提供装置に伝送するように前記通信インタフェースを制御する請求項１２に記載のアクセサリコンテンツ制御装置。
【発明の詳細な説明】
【技術分野】
【０００１】
本発明の多様な実施形態は、電子装置でアクセサリに対応するコンテンツを提供するための装置及び方法に関する。
【背景技術】
【０００２】
情報通信技術及び半導体技術の発展で電子装置は多様なマルチメディアサービスを提供するマルチメディア装置へ発展している。例えば、電子装置は音声通話サービス、メッセージサービス、放送サービス、無線インターネットサービス、カメラサービス及び音楽再生サービスなどのような多様なマルチメディアサービスを提供できる。
【０００３】
電子装置は、マルチメディアサービスを提供することによって電子装置に対するユーザの使用が増加するようになった。電子装置のユーザは、電子装置の使用が増加するにつれ電子装置の外観を美麗にしたり、多様な付加機能を利用するために電子装置と連動可能に設置されるアクセサリ（ａｃｃｅｓｓｏｒｙ）を使用することができる。例えば、ユーザは電子装置の一部又は全体を囲むように装着されるカバーアクセサリを使用することができる。
【発明の概要】
【発明が解決しようとする課題】
【０００４】
電子装置は、アクセサリ装置の使用が増加するにつれ多様なユーザ欲求を満足させるためにアクセサリ装置に対応するアプリケーションを提供できる。例えば、電子装置は、電子装置に接続されたアクセサリ装置に対応するように壁紙、ロック画面又はユーザインタフェースを変更できる。
【０００５】
しかし、電子装置のユーザは、アクセサリ装置に対応するアプリケーションを提供するために、該当アプリケーションを検索して電子装置にインストールしなければならない不便が発生する場合がある。また、アクセサリ装置の提供業者は、ユーザに該当アクセサリ装置と連動されるアプリケーションを認知させるために、アクセサリ装置の使用説明書を別途提供しなければならない負担が発生する場合がある。
【課題を解決するための手段】
【０００６】
本発明の多様な実施形態は、電子装置で電子装置に接続されるアクセサリ装置に対応するコンテンツをアクセサリ装置に対応するコンテンツ制御ポリシーに基づいて提供するための装置及び方法を提供できる。
【０００７】
本発明の多様な実施形態によれば、アクセサリコンテンツ制御装置は、通信インタフェース及び少なくとも１つのプロセッサを含み、前記プロセッサは、前記通信インタフェースを介して、電子装置に接続されたアクセサリ装置の識別情報を受信した場合、前記アクセサリ装置の識別情報の認証を行い、前記アクセサリ装置の識別情報を認証成功した場合、前記アクセサリ装置に対応するコンテンツを設定し、前記アクセサリ装置に対応するコンテンツ情報を前記電子装置に伝送するように前記通信インタフェースを制御できる。
【０００８】
本発明の多様な実施形態によれば、アクセサリコンテンツ制御装置の動作方法は、電子装置に接続されたアクセサリ装置の識別情報を受信した場合、前記アクセサリ装置の識別情報の認証を行う動作と、前記アクセサリ装置の識別情報を認証成功した場合、前記アクセサリ装置に対応するコンテンツを設定する動作と、前記アクセサリ装置に対応するコンテンツ情報を前記電子装置に伝送する動作と、を含むことができる。
【０００９】
本発明の多様な実施形態によれば、電子装置は、通信インタフェース及び少なくとも１つのプロセッサを含み、前記プロセッサは、前記通信インタフェースを介して、電子装置に接続されたアクセサリ装置の識別情報を受信した場合、前記アクセサリ装置の識別情報の認証を行うために前記通信インタフェースを用いて外部装置に伝送する動作と、前記外部装置から前記アクセサリ装置の識別情報の認証結果を受信する動作と、前記認証結果が成功であれば、前記アクセサリ装置に対応するコンテンツのサービスポリシー情報を、前記通信インタフェースを用いて１つ以上の外部装置から受信する動作と、前記アクセサリ装置に対応するコンテンツのサービスポリシー情報に基づいてアクセサリ装置の識別情報と関連づけられた１つ以上のコンテンツ運用を制御できる。
【００１０】
本発明の多様な実施形態によれば、電子装置の動作方法は、電子装置に接続されたアクセサリ装置の識別情報を受信した場合、前記アクセサリ装置の識別情報を１つ以上の外部装置に伝送する動作と、前記アクセサリ装置の識別情報の認証結果を前記外部装置から受信する動作と、前記認証結果が成功であれば、前記アクセサリ装置に対応するコンテンツのサービスポリシー情報を設定する動作と、前記アクセサリ装置に対応するコンテンツのサービスポリシー情報に基づいてアクセサリ装置の識別情報と関連づけられた１つ以上のコンテンツの運用を制御する動作と、を含むことができる。
【図面の簡単な説明】
【００１１】
【図１】本発明の多様な実施形態によるアクセサリ装置に対応するサービスを提供するためのシステムの構成を示す図である。
【図２】本発明の多様な実施形態におけるネットワーク環境内の電子装置を示す図である。
【図３】本発明の多様な実施形態に係る電子装置のブロック図である。
【図４】本発明の多様な実施形態に係るプログラムモジュールのブロック図である。
【図５】本発明の多様な実施形態に係る第１装置のブロック図である。
【図６】本発明の多様な実施形態に係るシステムでアクセサリ装置に対応するサービスを提供するための信号のフローチャートの一例を示す図である。
【図７】本発明の多様な実施形態に係る第１装置でアクセサリ装置に対応するサービスを登録するフローチャートである。
【図８】本発明の多様な実施形態に係る電子装置でアクセサリ装置に対応するサービスを提供するためのフローチャートである。
【図９】本発明の多様な実施形態に係る電子装置でアクセサリ装置に対応するコンテンツを提供するためのフローチャートである。
【図１０Ａ】本発明の多様な実施形態に係る電子装置でアクセサリ装置に対応するコンテンツを提供する画面構成を示す図である。
【図１０Ｂ】本発明の多様な実施形態に係る電子装置でアクセサリ装置に対応するコンテンツを提供する画面構成を示す図である。
【図１０Ｃ】本発明の多様な実施形態に係る電子装置でアクセサリ装置に対応するコンテンツを提供する画面構成を示す図である。
【図１１】本発明の多様な実施形態に係る電子装置で状態情報に基づいてコンテンツを選択的に提供するためのフローチャートの一例を示す図である。
【図１２】本発明の多様な実施形態に係る電子装置で状態情報に基づいてコンテンツを選択的に提供するためのフローチャートの他の例を示す図である。
【図１３】本発明の多様な実施形態に係る電子装置でアクセサリ装置に対応するコンテンツをアップデートするためのフローチャートの一例を示す図である。
【図１４Ａ】本発明の多様な実施形態に係る電子装置でアクセサリ装置に対応するコンテンツをアップデートするためのフローチャートの他の例及びテーマサービス関連画面のコンテンツ構成を示す図である。
【図１４Ｂ】本発明の多様な実施形態に係る電子装置でアクセサリ装置に対応するコンテンツをアップデートするためのフローチャートの他の例及びテーマサービス関連画面のコンテンツ構成を示す図である。
【図１４Ｃ】本発明の多様な実施形態に係る電子装置でアクセサリ装置に対応するコンテンツをアップデートするためのフローチャートの他の例及びテーマサービス関連画面のコンテンツ構成を示す図である。
【図１４Ｄ】本発明の多様な実施形態に係る電子装置でアクセサリ装置に対応するコンテンツをアップデートするためのフローチャートの他の例及びテーマサービス関連画面のコンテンツ構成を示す図である。
【図１４Ｅ】本発明の多様な実施形態に係る電子装置でアクセサリ装置に対応するコンテンツをアップデートするためのフローチャートの他の例及びテーマサービス関連画面のコンテンツ構成を示す図である。
【図１４Ｆ】本発明の多様な実施形態に係る電子装置でアクセサリ装置に対応するコンテンツをアップデートするためのフローチャートの他の例及びテーマサービス関連画面のコンテンツ構成を示す図である。
【図１４Ｇ】本発明の多様な実施形態に係る電子装置でアクセサリ装置に対応するコンテンツをアップデートするためのフローチャートの他の例及びテーマサービス関連画面のコンテンツ構成を示す図である。
【図１４Ｈ】本発明の多様な実施形態に係る電子装置でアクセサリ装置に対応するコンテンツをアップデートするためのフローチャートの他の例及びテーマサービス関連画面のコンテンツ構成を示す図である。
【図１５Ａ】本発明の多様な実施形態に係る電子装置でアクセサリ装置に対応するコンテンツをアップデートする画面構成を示す図である。
【図１５Ｂ】本発明の多様な実施形態に係る電子装置でアクセサリ装置に対応するコンテンツをアップデートする画面構成を示す図である。
【図１５Ｃ】本発明の多様な実施形態に係る電子装置でアクセサリ装置に対応するコンテンツをアップデートする画面構成を示す図である。
【図１５Ｄ】本発明の多様な実施形態に係る電子装置でアクセサリ装置に対応するコンテンツをアップデートする画面構成を示す図である。
【図１６】本発明の多様な実施形態に係る第１装置でアクセサリ装置に対応するサービスを提供するように制御するためのフローチャートである。
【図１７】本発明の多様な実施形態に係る第１装置でアクセサリ装置に対応するコンテンツ及びサービスポリシー情報を伝送するためのフローチャートである。
【図１８】本発明の多様な実施形態に係る第１装置で電子装置の状態情報に基づいてアクセサリ装置に対応するコンテンツを選択的に提供するように制御するためのフローチャートである。
【図１９】本発明の多様な実施形態に係る第１装置でアクセサリ装置に対応するコンテンツを選択するための構成を示す図である。
【図２０】本発明の多様な実施形態に係るシステムでアクセサリ装置に対応するサービスを提供するための信号のフローチャートの他の例を示す図である。
【図２１】本発明の多様な実施形態に係る電子装置で第２装置から提供されたアクセサリ装置に対応するコンテンツを出力するためのフローチャートである。
【図２２】本発明の多様な実施形態に係る電子装置で第２装置からアクセサリ装置に対応するコンテンツを提供されるためのフローチャートである。
【図２３Ａ】本発明の多様な実施形態に係る電子装置でアクセサリ装置に対応する音楽サービスを提供する画面構成を示す図である。
【図２３Ｂ】本発明の多様な実施形態に係る電子装置でアクセサリ装置に対応する音楽サービスを提供する画面構成を示す図である。
【図２３Ｃ】本発明の多様な実施形態に係る電子装置でアクセサリ装置に対応する音楽サービスを提供する画面構成を示す図である。
【図２４Ａ】本発明の多様な実施形態に係る電子装置でアクセサリ装置に対応する位置ベースサービスを提供する画面構成を示す図である。
【図２４Ｂ】本発明の多様な実施形態に係る電子装置でアクセサリ装置に対応する位置ベースサービスを提供する画面構成を示す図である。
【図２４Ｃ】本発明の多様な実施形態に係る電子装置でアクセサリ装置に対応する位置ベースサービスを提供する画面構成を示す図である。
【図２４Ｄ】本発明の多様な実施形態に係る電子装置でアクセサリ装置に対応する位置ベースサービスを提供する画面構成を示す図である。
【図２５】本発明の多様な実施形態に係る第１装置でアクセサリ装置に対応するサービス制御変数を提供するためのフローチャートである。
【図２６】本発明の多様な実施形態に係る第１装置でアクセサリ装置に対応するグループ情報を提供するためのフローチャートである。
【図２７】本発明の多様な実施形態に係る第１装置でユーザ情報に対応するサービスグループ情報を提供するためのフローチャートである。
【図２８】本発明の多様な実施形態に係る電子装置でアクセサリ装置に対応するコンテンツを除去するためのフローチャートの一例を示す図である。
【図２９】本発明の多様な実施形態に係る電子装置でアクセサリ装置に対応するコンテンツを除去するためのフローチャートの他の例を示す図である。
【図３０】本発明の多様な実施形態に係る第１装置でアクセサリ装置の除去に基づいて電子装置のコンテンツを制御するためのフローチャートである。
【図３１】本発明の多様な実施形態に係る電子装置でアクセサリ装置に対応するコンテンツの有効期間をアップデートするためのフローチャートである。
【図３２】本発明の多様な実施形態に係る電子装置でアクセサリ装置に対応する使用権限と関連づけられた関係を示す図である。
【発明を実施するための形態】
【００１２】
以下、本文書の多様な実施形態が添付された図面を参照して記載される。実施形態及びそれに用いられた用語は本文書に記載された技術を特定の実施形態に対して限定することを意図するものでなく、該当実施形態の多様な変更、均等物、及び／又は代替物を含むと理解されるべきである。図面の説明と関連して、類似の構成要素に対しては類似の参照符号が用いられる場合がある。単数の表現は文脈上明白に異なるように意味しない限り、複数の表現を含むことができる。
【００１３】
本文書で、「Ａ又はＢ」又は「Ａ及び／又はＢのうち少なくとも１つ」などの表現は共に羅列された項目の全ての可能な組み合わせを含むことができる。「第１、」「第２、」「１番目、」又は「２番目、」などの表現は該当構成要素を、順序又は重要度に関係なく修飾することができ、ある構成要素を他の構成要素と区分するために用いられるもので該当構成要素を限定するものではない。ある（例：第１）構成要素が他の（例：第２）構成要素に「（機能的に又は通信的に）接続されて」いるか、または「接続されて」いると言及された場合は、上述したある構成要素が上述した他の構成要素に直接的に接続されるか、又は他の構成要素（例：第３構成要素）を介して接続され得る。
【００１４】
本文書で用いられた表現「〜するように構成された（又は設定された）（ｃｏｎｆｉｇｕｒｅｄ  ｔｏ）」は、状況によって、例えば、ハードウェア的又はソフトウェア的に「〜に適した」、「〜する能力を有する」、「〜するように設計された」、「〜するように変更された」、「〜するように作られた」、又は「〜ができる」と相互互換的に（ｉｎｔｅｒｃｈａｎｇｅａｂｌｙ）用いられることができる。ある状況では、「〜するように構成された装置」という表現は、その装置が他の装置又は部品と共に「〜できる」ことを意味する場合がある。例えば、文句「Ａ、Ｂ、及びＣを行うように構成された（又は設定された）プロセッサ」は該当動作を行うための専用プロセッサ（例：エンベデッドプロセッサ）、又はメモリ装置に格納された１つ以上のソフトウェアプログラムを実行することによって、該当動作を行うことができる汎用プロセッサ（例：ＣＰＵ又はＡＰ（ａｐｐｌｉｃａｔｉｏｎ  ｐｒｏｃｅｓｓｏｒ））を意味する場合がある。
【００１５】
本文での多様な実施形態による電子装置は、例えば、スマートフォン、タブレットＰＣ、移動電話、ビデオ電話、電子ブックリーダー、デスクトップＰＣ、ラップトップＰＣ、ネットブックコンピュータ、ワークステーション、サーバ、ＰＤＡ、ＰＭＰ（ｐｏｒｔａｂｌｅ  ｍｕｌｔｉｍｅｄｉａ  ｐｌａｙｅｒ）、ＭＰ３プレイヤー、モバイル医療機器、カメラ、又はウェアラブル装置のうち少なくとも１つを含むことができる。多様な実施形態によれば、ウェアラブル装置は、アクセサリ型（例：時計、指輪、腕輪、足輪、首飾り、メガネ、コンタクトレンズ、又はヘッドマウント装置、織物又は衣類一体型（例：電子衣服）、身体取り付け型（例：スキンパッド又は入れ墨）、又は生体移植型回路のうち少なくとも１つを含むことができる。
【００１６】
ある実施形態で、電子装置は、例えば、テレビジョン、ＤＶＤ（ｄｉｇｉｔａｌ  ｖｉｄｅｏ  ｄｉｓｋ）プレイヤー、オーディオ、冷蔵庫、エアコン、掃除機、オーブン、電子レンジ、洗濯機、空気清浄機、セットトップボックス、ホームオートメーションコントロールパネル、セキュリティコントロールパネル、ＴＶボックス（例：サムスンＨｏｍｅＳｙｎｃＴＭ、アップルＴＶＴＭ、又はグーグルＴＶＴＭ）、ゲームコンソール（例：ＸｂｏｘＴＭ、ＰｌａｙＳｔａｔｉｏｎＴＭ）、電子辞典、電子キー、カムコーダ、又はデジタルフォトフレームのうち少なくとも１つを含むことができる。
【００１７】
他の実施形態で、電子装置は、各種医療機器（例：各種携帯用医療測定機器（血糖測定器、心拍測定器、血圧測定器、又は体温測定器等）、ＭＲＡ（ｍａｇｎｅｔｉｃ ｒｅｓｏｎａｎｃｅ ａｎｇｉｏｇｒａｐｈｙ）、ＭＲＩ（ｍａｇｎｅｔｉｃ ｒｅｓｏｎａｎｃｅ ｉｍａｇｉｎｇ）、ＣＴ（ｃｏｍｐｕｔｅｄ ｔｏｍｏｇｒａｐｈｙ）、撮影機、超音波器等）、ナビゲーション装置、全地球航法衛星システム（ＧＮＳＳ（ｇｌｏｂａｌ  ｎａｖｉｇａｔｉｏｎ  ｓａｔｅｌｌｉｔｅ  ｓｙｓｔｅｍ））、ＥＤＲ（ｅｖｅｎｔ  ｄａｔａ  ｒｅｃｏｒｄｅｒ）、ＦＤＲ（ｆｌｉｇｈｔ  ｄａｔａ  ｒｅｃｏｒｄｅｒ）、自動車インフォテインメント装置、船舶用電子装備（例えば、船舶用航法装置及びジャイロコンパス等）、航空電子機器（ａｖｉｏｎｉｃｓ）、又はセキュリティ機器、車両用ヘッドユニット（ｈｅａｄ  ｕｎｉｔ）、産業用又は家庭用ロボット、ドローン（ｄｒｏｎｅ）、金融機関のＡＴＭ、商店のＰＯＳ（ｐｏｉｎｔ  ｏｆ  ｓａｌｅｓ）、又はモノのインターネット装置（例：電球、各種センサ、スプリンクラー装置、火災警報器、温度調節器、街灯、トースター、運動器具、温水タンク、ヒータ、ボイラー等）のうち少なくとも１つを含むことができる。
【００１８】
ある実施形態によれば、電子装置は、家具、建物／構造物又は自動車の一部、電子ボード（ｅｌｅｃｔｒｏｎｉｃ  ｂｏａｒｄ）、電子署名受信装置（ｅｌｅｃｔｒｏｎｉｃ  ｓｉｇｎａｔｕｒｅ  ｒｅｃｅｉｖｉｎｇ  ｄｅｖｉｃｅ）、プロジェクタ、又は各種計測機器（例：水道、電気、ガス、又は電波計測機器等）のうち少なくとも１つを含むことができる。多様な実施形態で、電子装置は、フレキシブル（フォルダブル）であるか、又は上述の多様な装置のうち２つ以上の組み合わせであり得る。本文の実施形態に係る電子装置は、上述の機器らに限定されない。本文書で、ユーザという用語は電子装置を使用する人又は電子装置を使用する装置（例：人工知能電子装置）を示す場合がある。
【００１９】
図１は、本発明の多様な実施形態によるアクセサリ装置に対応するサービスを提供するためのシステムの構成を示す。以下の説明で、サービスはコンテンツ関連情報又はコンテンツと関連づけられた機能を制御するためのポリシー情報のうち少なくとも１つを含むことができる。
【００２０】
図１を参照すると、システム１０は、電子装置１００、少なくとも１つのアクセサリ装置１１０，１１２，１１４、第１装置１２０及び第２装置１３０を含むことができる。例えば、第１装置１２０は、アクセサリと関連づけられたサービスのためのサーバ若しくはクラウド装置、又はスマートホーム環境でサービスを制御するためのハブ装置を含むことができる。例えば、第２装置１３０は、サービスやコンテンツ提供のためのサーバ若しくはクラウド装置、又はスマートホーム環境でサービスを提供するためのハブ装置を含むことができる。一実施形態によれば、第１装置１２０及び第２装置１３０は、１つの装置で構成されることができる。
【００２１】
一実施形態によれば、電子装置１００は、有線又は無線通信インタフェースを介して少なくとも１つのアクセサリ装置１１０，１１２，１１４と接続され情報を受信又は送信できる。例えば、電子装置１００は、イヤホンジャック（例：３．５  ＰＩ）を介して第１アクセサリ装置１１０（例：イヤホンジャックキャップ、体温計、心拍計、イヤホン等）を接続され得る。電子装置１００は、ＵＳＢ（ｕｎｉｖｅｒｓａｌ  ｓｅｒｉａｌ  ｂｕｓ）コネクタを介して第２アクセサリ装置１１２（例：モバイルバッテリ等）と接続され得る。電子装置１００は、ＮＦＣ（ｎｅａｒ  ｆｉｅｌｄ  ｃｏｍｍｕｎｉｃａｔｉｏｎ）通信インタフェース又は接続電極を介して第３アクセサリ装置１１４（例：カバー等）と接続され得る。一例として、電子装置１００は、近距離通信（例：ＢＴ（ｂｌｕｅｔｏｏｔｈ）／ＢＬＥ（ｂｌｕｅｔｏｏｔｈ  ｌｏｗ  ｅｎｅｒｇｙ）又は無線ＬＡＮ等）、セルラー通信、有／無線充電ポート、オーディオ入出力回路又は光通信ポートのうち少なくとも１つを介してアクセサリ装置と接続され得る。
【００２２】
一実施形態によれば、アクセサリ装置１１０，１１２又は１１４は、アクセサリ装置１１０，１１２又は１１４が接続される電子装置１００へ識別情報を伝送できる。例えば、アクセサリ装置１１０，１１２又は１１４は、識別情報の伝送のための通信インタフェース及び識別情報を格納するチップ、メモリ又はパターン回路を含むことができる。アクセサリ装置は、カバータイプ、イヤホンジャックタイプ、外付けバッテリタイプ、充電器タイプ、ペンタイプ、キーボードタイプ、有線コネクタタイプ、無線通信タイプ、製品タイプなどのような多様なタイプ（種類）を含むことができる。例えば、第１アクセサリ装置１１０は、電子装置１００のイヤホンジャックを介して電子装置１００に接続されるイヤホンジャックタイプのアクセサリ装置を含むことができる。第２アクセサリ装置１１２は、電子装置１００に電源供給のために接続されるバッテリ又は充電器タイプのアクセサリ装置を含むことができる。第３アクセサリ装置１１４は、ホルダー型、バックカバー型、バッテリカバー型、カバー型、バータイプ型、財布型、ビューカバー、防水ケース、接着式リング型（例：タッセル付きケース）又は着脱式キーボードの形態で電子装置１００に接続されるカバー型アクセサリ装置（例：第３アクセサリ装置１１４）を含むことができる。アクセサリ装置は、有線インタフェース（例：ＵＳＢコネクタ等）を介して電子装置１００に接続されるタイプ、無線インタフェース（例：近距離通信、セルラー通信）を介して電子装置１００に接続されるタイプ又は電極を介して電子装置１００に接続されるタイプ（例：電子ペン）を含むこともできる。一実施形態によれば、アクセサリ装置は、有線充電器、車両用充電器、イヤホン、スピーカ、家電製品、キーボード、外付けディスプレイなどをさらに含むことができる。一実施形態によれば、アクセサリ装置１１０，１１２又は１１４は、セキュリティ認証のための認証モジュール（例：セキュリティメモリ、セキュリティ回路、セキュリティチップ、生体認識リーダ等）を含むことができる。アクセサリ装置１１０，１１２又は１１４は、アクセサリ装置１１０，１１２又は１１４の識別情報又はセキュリティ情報を生成するかまたは格納することもできる。一実施形態によれば、電子装置１００、第１装置１２０、又は第２装置１３０のうち少なくとも１つは、アクセサリ装置１１０，１１２又は１１４の識別情報又はセキュリティ情報に基づいてセキュリティ技法を用いて該当アクセサリ装置１１０，１１２又は１１４の識別情報若しくはセキュリティ情報が登録されたものであるか、又は識別情報若しくはセキュリティ情報が有効なものであるかを検証することによって認証を行うためのセキュリティ認証モジュールをさらに含むこともできる。例えば、セキュリティ技法は、ハッシュ法、ＲＳＡやＥＣＣのような公開鍵暗号方式、ＤＥＳ（Ｄａｔａ  Ｅｎｃｒｙｐｔｉｏｎ  Ｓｔａｎｄａｒｄ）、ＡＥＳ（ａｄｖａｎｃｅｄ  Ｅｎｃｒｙｐｔｉｏｎ  Ｓｔａｎｄａｒｄ）、パリティチェック方式、サービスリストに登録有無を問い合わせる方式などを含むことができる。
【００２３】
一実施形態によれば、電子装置１００は、電子装置１００に接続されたアクセサリ装置１１０，１１２又は１１４の識別情報（ＩＤ）又はセキュリティ情報に基づいてアクセサリ装置１１０，１１２又は１１４を認証（又は使用許可）することができる。一実施形態によれば、電子装置１００は、アクセサリ装置１１０，１１２又は１１４の識別情報又はセキュリティ情報のうち少なくとも１つを第１装置１２０に伝送してアクセサリ装置１１０，１１２又は１１４を認証することができる。一例によれば、電子装置１００は、アクセサリ装置１１０，１１２又は１１４から提供された識別情報又はそれに基づいたセキュリティ情報のうち少なくとも１つを第１装置１２０に伝送できる。電子装置１００は、第１装置１２０で遂行された認証動作による認証情報を受信し、受信した認証情報に基づいてアクセサリ装置１１０，１１２又は１１４の認証可否を決定できる。例えば、セキュリティ情報は、電子装置１００、第１装置１２０又は第２装置１３０のうち少なくとも１つでアクセサリ装置１１０，１１２又は１１４を認証できるように設定されたパスワード、パターン又は生体情報などと関連づけられたキー値を含むことができる。
【００２４】
一実施形態によれば、セキュリティ情報は、アクセサリ装置１１０，１１２又は１１４から受信したり、アクセサリ装置１１０，１１２又は１１４から受信した情報に基づいて電子装置１００で生成されることができる。例えば、アクセサリ装置１１０，１１２又は１１４は、セキュリティ認証のためのチップ（例：ＮＦＣ無線認証のためのＳ３ＦＷ６ＭＡなどのセキュリティチップ）を含んだり、アクセサリ装置の識別子が内蔵されたチップ又はメモリ、パターン回路にセキュリティ認証モジュールをさらに含むことができる。アクセサリ装置１１０，１１２又は１１４は、セキュリティ認証のためのチップ又はセキュリティ認証モジュールを用いてアクセサリ装置１１０，１１２又は１１４に対応するセキュリティ情報を生成できる。例えば、アクセサリ装置１１０，１１２又は１１４は、セキュリティ情報の生成のために生体情報を受信できるモジュール（例：虹彩、指紋、顔、心拍、静脈パターンリーダ）をさらに含むことができる。例えば、電子装置１００は、プロセッサを介して、アクセサリ装置１１０，１１２又は１１４の識別情報に基づいてアクセサリ装置１１０，１１２又は１１４のセキュリティ情報を生成できる。すなわち、電子装置１００は、アクセサリ装置の識別情報に基づいてハッシュ関数を適用して暗号化されたキー値を生成したり、電子装置１００に含まれたセンサモジュールを用いて受信した生体情報を処理して得たキー値とアクセサリ装置１１０，１１２又は１１４の識別情報に基づいて演算によって新しいセキュリティ情報を生成することもできる。一実施形態によれば、電子装置１００は、アクセサリ装置１１０，１１２又は１１４から提供された識別情報の有効性を判断する動作をさらに行うことができる。電子装置１００は、アクセサリ装置１１０，１１２又は１１４の識別情報が有効な場合、該当アクセサリ装置１１０，１１２又は１１４の識別情報又はセキュリティ情報のうち少なくとも１つを第１装置１２０に伝送することもできる。例えば、電子装置１００は、アクセサリ装置１１０，１１２又は１１４の識別情報の有効性を判断するために、アクセサリ装置１１０，１１２又は１１４から受信した信号に基づいて接続有無を判断して接続されたと判断した場合は有効であると判断する。例えば、電子装置１００は、アクセサリ装置１１０，１１２又は１１４から受信した信号にアクセサリ装置の識別情報が含まれる場合は有効であると判断する。例えば、電子装置１００は、アクセサリ装置１１０，１１２又は１１４から受信した信号から検出したアクセサリ装置タイプが電子装置１００に格納された電子装置タイプに対応するものであると判断した場合は有効であると判断することもできる。
【００２５】
一実施形態によれば、第１装置１２０は、電子装置１００から受信したアクセサリ装置１１０，１１２又は１１４の識別情報又はセキュリティ情報のうち少なくとも１つに基づいてアクセサリ装置１１０，１１２又は１１４に対する認証を行うことができる。第１装置１２０は、アクセサリ装置１１０，１１２又は１１４の認証情報（失敗又は成功）を電子装置１００に伝送できる。
【００２６】
一実施形態によれば、第１装置１２０は、アクセサリ装置１１０，１１２又は１１４に関連づけられた認証情報に基づいて認証が成功したと判断された場合、アクセサリ装置の識別情報に対応するサービス（例：テーマ変更サービス、ゲーム機能、コンテンツダウンロード、ＳＮＳサービス、位置ベースサービス等）を決定できる。一実施形態によれば、第１装置１２０は、サービスを決定するためにアクセサリ装置の識別情報に対応するサービス識別情報を用いることができる。例えば、サービス識別情報は、サービスタイプ、コンテンツ識別情報、電子装置の能力（ｃａｐａｂｉｌｉｔｙ）情報、コンテンツのサービスポリシー情報、ユーザグループ情報（例：連絡先グループ）、又は１つ以上の異なるサービス識別情報のうち少なくとも１つを含むか関連づけられた識別情報である。例えば、第１装置１２０は、アクセサリ装置１１０，１１２又は１１４の識別情報に含まれたサービス識別情報を用いてサービスを決定できる。例えば、第１装置１２０は、予め格納されたサービスリスト（例：ＤＢ、ｔａｂｌｅ、ファイル）からアクセサリ装置１１０，１１２又は１１４の識別情報に対応するサービス識別情報を検出できる。例えば、電子装置１００、第１装置１２０又は第２装置１３０のうち少なくとも１つの装置は、電子装置１００又は第２装置１３０から受信したサービス識別情報をアクセサリ装置の識別情報と関連付けることによってサービスリストを生成したりアップデートすることもできる。すなわち、サービスリストは、電子装置１００でアクセサリ装置１１０，１１２又は１１４に対応するコンテンツをアクセサリ装置１１０，１１２又は１１４に対応するコンテンツ制御ポリシーによって提供できるように、第１装置１２０又は第２装置１３０のうち少なくとも１つの装置によって少なくとも１つのアクセサリ装置の識別情報と関連づけられた少なくとも１つのサービス情報を含むことができる。サービスは、電子装置１００で実行又は提供するためのアクセサリ装置に対応するコンテンツ又はアクセサリ装置に対応するコンテンツ制御ポリシーのうち少なくとも１つを含むことができる。
【００２７】
一実施形態によれば、第１装置１２０は、アクセサリ装置１１０，１１２又は１１４を認証成功（例：アクセサリ装置の識別情報又はセキュリティ情報に基づいて認証成功）した場合、電子装置１００から提供されたサービス識別情報に基づいてサービスを決定することもできる。一実施形態によれば、第１装置１２０は、電子装置１００の識別情報（例：ユーザＩＤ又はデバイスＩＤ）に基づいて電子装置１００に対応するサービスを決定することもできる。例えば、ユーザＩＤは、電子装置を識別したり電子装置のユーザを識別するための識別情報として、電子装置の電話番号、ＭＡＣアドレス、シリアル番号、ユーザアカウント（例：加入者情報、ログイン情報、サービスユーザ識別情報等）のうち少なくとも１つを含むことができる。
【００２８】
一実施形態によれば、第１装置１２０は、サービス識別情報に対応するコンテンツの識別情報を追加的に検出できる。例えば、第１装置１２０は、アクセサリ装置１１０，１１２又は１１４を認証成功した場合、サービス識別情報に対応する少なくとも１つのコンテンツの識別情報を検出することもできる。
【００２９】
一実施形態によれば、第１装置１２０は、アクセサリ装置の識別情報に対応するサービス識別情報に基づいてコンテンツを電子装置１００に伝送したりコンテンツ表示を制御できる。
【００３０】
一実施形態によれば、第１装置１２０は、アクセサリ装置の識別情報に対応するサービス情報を電子装置１００に伝送できる。例えば、第１装置１２０は、アクセサリ装置の識別情報に対応するサービス識別情報又はコンテンツ識別情報のうち少なくとも１つを電子装置１００に伝送できる。例えば、コンテンツの識別情報は、イメージ、テキスト、ビデオ、オーディオ、マルチメディア、電子ブック、ビットストリーム、文書、アプリケーション、アイテム（例：ゲームアイテム、特殊技能の活性のための識別情報）、３Ｄ（ｄｉｍｅｎｓｉｏｎ）グラフィックのうち少なくとも１つを含むコンテンツに関連づけられた識別情報又はコンテンツグループの識別情報を含むことができる。例えば、コンテンツ識別情報は、コンテンツ名、コンテンツの位置（例：格納された装置又はネットワーク上のアドレス）、コンテンツのバージョン、アプリケーションパッケージ識別子、リソースグループ、コンテンツを識別するインデックス、コンテンツのメタデータ（例：ＥＸＩＦ、ＩＤ３  ＴＡＧ、又はＭＩＭＥタイプの一部以上を含む情報）のうち１つ以上を含むことによって、アクセサリ装置に対応するコンテンツを識別してアクセスするための情報を含むことができる。例えば、第１装置１２０は、アクセサリ装置１１０，１１２又は１１４の識別情報に対応するコンテンツのサービスポリシー情報を電子装置１００に伝送できる。電子装置１００は、第１装置１２０から受信したコンテンツのサービスポリシー情報に基づいて電子装置１００でコンテンツの表示及びアップデートを制御できる。例えば、サービスポリシー情報は、アクセサリ装置１１０，１１２又は１１４の識別情報に対応するコンテンツ、又はコンテンツグループのうち少なくとも１つを制御するための情報を含むことができる。したがって、サービスポリシー情報は、サービスを構成するコンテンツが多数個の場合、コンテンツ毎に又はコンテンツグループ毎に設定されたポリシーの集合を含むこともできる。
【００３１】
一実施形態によれば、電子装置１００は、第１装置１２０から提供されたサービス情報に基づいてアクセサリ装置１１０，１１２又は１１４に対応するコンテンツを提供できる。例えば、電子装置１００は、第１装置１２０から提供された認証情報を分析して該当認証情報の有効性（例：認証成功可否）を決定できる。電子装置１００は、該当認証情報が有効であると判断した場合、第１装置１２０から提供されたサービス情報に基づいてアクセサリ装置１１０，１１２又は１１４に対するコンテンツの識別情報を確認することができる。
【００３２】
一実施形態によれば、電子装置１００は、第１装置１２０又は第２装置１３０からアクセサリ装置１１０，１１２又は１１４に対するコンテンツを要求してアクセサリ装置１１０，１１２又は１１４に対するコンテンツを受信することができる。例えば、電子装置１００は、第１装置１２０から提供されたサービス識別情報に基づいてアクセサリ装置１１０，１１２又は１１４に対するコンテンツの識別情報を確認することができる。電子装置１００は、コンテンツ識別情報に基づいて第１装置１２０又は第２装置１３０にコンテンツを要求したり第１装置１２０又は第２装置１３０から受信することができる。他の例として、電子装置１００は、コンテンツの識別情報を用いて第１装置１２０にコンテンツ要求信号を伝送できる。第１装置１２０は、電子装置１００のコンテンツ要求信号に基づいて、第２装置１３０にコンテンツ識別情報と関連づけられたコンテンツ要求信号を伝送できる。電子装置１００は、第２装置１３０からコンテンツ要求信号に対応するコンテンツを受信することができる。
【００３３】
一実施形態によれば、電子装置１００は、アクセサリ装置１１０，１１２又は１１４に対するコンテンツを登録又はアップデートできる。電子装置１００は、アクセサリ装置１１０，１１２又は１１４に対するコンテンツがアプリケーションである場合、該当アプリケーションのインストール、削除又はアップデートをアクセサリ装置１１０，１１２又は１１４の接続状態に基づいて行うことができる。
【００３４】
一実施形態によれば、第２装置１３０は、第１装置１２０に接続して特定アクセサリ装置１１０，１１２又は１１４に対応するサービス（例：コンテンツ識別情報）を登録できる。
【００３５】
一実施形態によれば、第２装置１３０は、電子装置１００又は第１装置からコンテンツ要求信号（例：サービス識別情報又はコンテンツ識別情報と関連づけられたコンテンツ要求信号）を受信した場合、コンテンツ要求信号に対応するコンテンツを電子装置１００に伝送できる。例えば、第２装置１３０は、第１装置１２０から電子装置１００に接続されたアクセサリ装置１１０，１１２又は１１４の識別情報を提供された場合、アクセサリ装置１１０，１１２又は１１４の接続に対応するように電子装置１００のサービス情報（例：ゲームアイテム、ゲームグループ等）をアップデートできる。第２装置１３０は、電子装置１００がサービス使用のために第２装置１３０に接続する場合、アップデートされたサービス情報に基づいて電子装置１００にサービスを提供できる。例えば、第２装置１３０は、アプリケーション又はコンテンツを提供する装置（例：サーバ）を含むことができる。
【００３６】
一実施形態によれば、第２装置１３０は、第１装置１２０に登録した特定アクセサリ装置１１０，１１２又は１１４に対応するサービスをアップデートできる。第１装置１２０は、アクセサリ装置１１０，１１２又は１１４に対応するサービス情報をアップデートに基づいて電子装置１００にサービスアップデート情報を伝送することもできる。例えば、第１装置１２０は、アクセサリ装置１１０，１１２又は１１４に対応するサービス（又はサービス情報）のアップデートを感知した場合、電子装置１００がアクセサリ装置１１０，１１２又は１１４と接続されたかを確認することができる。第１装置１２０は、電子装置１００とアクセサリ装置１１０，１１２又は１１４の接続状態に基づいて電子装置１００にサービスアップデートに対応する情報（例：サービスアップデートの通知、アップデートされたコンテンツ）を伝送することもできる。例えば、第１装置１２０は、アクセサリ装置１１０，１１２又は１１４に対応するサービス情報のアップデートを感知した場合、アクセサリ装置１１０，１１２又は１１４に対応するサービス識別情報に含むか関連づけられたサービスポリシー情報に基づいてサービスアップデート情報を伝送することもできる。すなわち、第１装置１２０は、サービスポリシー情報で設定された条件（例：アクセサリ装置装着有無、時間、場所、アプリ実行有無、コンテンツ使用権限等）に基づいてサービスアップデート情報を選択的に伝送できる。
【００３７】
他の実施形態によれば、電子装置１００は、アクセサリ装置１１０，１１２又は１１４と関連づけられたサービスアップデート情報を受信した場合、サービスアップデート情報に基づいてサービスを提供することもできる。例えば、電子装置１００は、アクセサリ装置１１０，１１２又は１１４が接続された場合にのみ第１装置１２０又は第２装置１３０からサービスアップデート情報を受信することもできる。例えば、電子装置１００は、アクセサリ装置１１０，１１２又は１１４に対応するサービス識別情報に含むか関連づけられたサービスポリシー情報に基づいてサービスアップデート情報を受信したり表示することもできる。すなわち、電子装置１００は、サービスポリシー情報で設定された条件（例：アクセサリ装置の装着有無、時間、場所、アプリ実行有無、コンテンツ使用権限等）に基づいてサービスアップデート情報を受信したりサービスアップデート情報を表示することもできる。
【００３８】
一実施形態によれば、第１装置１２０又は第２装置１３０は、電子装置１００のアクセサリ装置１１０，１１２又は１１４の装着有無を判断できる。例えば、第１装置１２０又は第２装置１３０は、電子装置１００からアクセサリ装置１１０，１１２又は１１４の装着又は除去する度に装着有無関連情報を受信することができる。例えば、第１装置１２０又は第２装置１３０は、電子装置１００にアクセサリ装置１１０，１１２又は１１４の装着有無を問い合わせ、電子装置１００の装着有無結果を受信することによって、電子装置１００の装着有無関連情報を受信することができる。例えば、第１装置１２０は、電子装置１００にアクセサリ装置１１０，１１２又は１１４の装着有無をモニタし、第２装置１３０に電子装置１００にアクセサリ装置１１０，１１２又は１１４の装着有無を知らせることもできる。そのために、第２装置１３０は、第１装置１２０に電子装置１００にアクセサリ装置１１０，１１２又は１１４が装着されたか否かを予め問い合わせることもできる。
【００３９】
本発明の多様な実施形態によれば、電子装置１００は、電子装置１００に接続されたアクセサリ装置１１０，１１２又は１１４の識別情報又はセキュリティ情報のうち少なくとも１つを分析して電子装置１００内でアクセサリ装置１１０，１１２又は１１４を認証できる。例えば、電子装置１００は、アクセサリ装置１１０，１１２又は１１４の識別情報又はセキュリティ情報のうち少なくとも１つが有効であると判断した場合、電子装置１００内でアクセサリ装置１１０，１１２又は１１４を認証できる。例えば、電子装置１００は、アクセサリ装置１１０，１１２又は１１４の識別情報が予め定義された規則を満たすかを判断できる。電子装置１００は、アクセサリ装置１１０，１１２又は１１４の識別情報又はセキュリティ情報が予め定義された規則を満たす場合、認証成功したと判断できる。例えば、予め定義された規則は所定の識別情報生成ポリシー（例：識別情報のパリティポリシー、各フィールド別値の範囲、所定のセキュリティ関連キー値に基づいてマッピングされるか否か等）を含むことができる。例えば、電子装置１００は、アクセサリ装置１１０，１１２又は１１４の識別情報に含まれた認証情報に基づいてアクセサリ装置１１０，１１２又は１１４の識別情報の認証を行うことができる。例えば、電子装置１００は、アクセサリ装置１１０，１１２又は１１４の識別情報とともにアクセサリ装置１１０，１１２又は１１４から提供された認証情報に基づいてアクセサリ装置１１０，１１２又は１１４の識別情報の認証を行うことができる。例えば、認証情報は予め登録したユーザ生体情報（例：虹彩、顔、心拍、指紋等）と関連づけられた値、アカウント情報、セキュリティ用キー値又はセキュリティ情報のうち少なくとも１つを含むことができる。すなわち、アクセサリ装置１１０，１１２又は１１４から受信した認証情報と、電子装置１００を介して他の手段（例：パスワード入力、虹彩、顔、心拍、指紋、パターン入力、音声入力等）を介して得た認証情報とを比較して同じユーザの認証情報である場合、アクセサリ装置１１０，１１２又は１１４の認証情報が有効であると判断されてもよい。そのために、２つの認証情報が同じ種類の場合、２つの認証情報のパターンが比較されてもよく、互いに異なる種類の認証情報であってもそれぞれの認証情報に対して電子装置１００又は外部電子装置（図示せず）を介して同じユーザの認証情報であるか否かが判別されてもよい。電子装置１００は、アクセサリ装置１１０，１１２又は１１４を認証成功した場合、アクセサリ装置１１０，１１２又は１１４の識別情報を第１装置１２０に伝送できる。
【００４０】
多様な実施形態によれば、第１装置１２０は、アクセサリ装置の識別情報に対応するコンテンツを電子装置１００に伝送することもできる。例えば、第１装置１２０は、第２装置１３０から提供されたコンテンツ情報に基づいてアクセサリ装置の識別情報に対応するコンテンツを電子装置１００に伝送できる。これによって、電子装置１００は、第１装置１２０から提供されたコンテンツ情報に基づいてアクセサリ装置１１０，１１２又は１１４に対応するコンテンツを登録又はアップデートできる。
【００４１】
図２は、本発明の多様な実施形態におけるネットワーク環境内の電子装置２０１を示す。以下の説明で、電子装置２０１は、図１の電子装置１００を含むことができる。アクセサリ装置２０２は、図１のアクセサリ装置１１０，１１２又は１１４を含むことができる。第１装置２０４は、図１の第１装置１２０を含むことができる。第２装置２０６は、図１の第２装置１３０を含むことができる。
【００４２】
図２を参照すると、電子装置２０１は、バス２１０、プロセッサ２２０、メモリ２３０、入出力インタフェース２５０、ディスプレイ２６０及び通信インタフェース２７０を含むことができる。ある実施形態では、電子装置２０１は、構成要素のうち少なくとも１つを省略したり他の構成要素を追加的に具備することができる。
【００４３】
バス２１０は、例えば、構成要素２２０乃至２７０を互いに接続し、構成要素の間の通信（例：制御メッセージ及び／又はデータ）を伝達する回路を含むことができる。
【００４４】
プロセッサ２２０は、中央処理装置（ＣＰＵ）、アプリケーションプロセッサ（ＡＰ）、イメージ信号プロセッサ（ｉｍａｇｅ  ｓｉｇｎａｌ  ｐｒｏｃｅｓｓｏｒ（ＩＳＰ））又はコミュニケーションプロセッサ（ｃｏｍｍｕｎｉｃａｔｉｏｎ  ｐｒｏｃｅｓｓｏｒ（ＣＰ））のうち１つ又はそれ以上を含むことができる。プロセッサ２２０は、例えば、電子装置２０１の少なくとも１つの他の構成要素の制御及び／又は通信に関する演算又はデータ処理を実行できる。
【００４５】
一実施形態によれば、プロセッサ２２０は、入出力インタフェース２５０又は通信インタフェース２７０を介してアクセサリ装置２０２が接続された場合、該当アクセサリ装置２０２の識別情報を検出できる。例えば、プロセッサ２２０は、入出力インタフェース２５０又は通信インタフェース２７０を介してアクセサリ装置２０２の接続有無（例：装着有無）を決定できる。例えば、プロセッサ２２０は、アクセサリ装置２０２から受信した信号の受信強度又は変化がそれぞれ所定の基準範囲に含まれる場合、アクセサリ装置２０２が電子装置２０１に正常に接続されたと判断できる。すなわち、プロセッサ２２０は、アクセサリ装置２０２から受信した信号の受信強度又は変化がそれぞれ所定の基準範囲に含まれる場合、アクセサリ装置２０２の識別情報が有効であると判断できる。例えば、プロセッサ２２０は、電子装置２０１に内在された入出力インタフェース２５０（例：近接センサ、圧力センサ、イメージセンサ又は加速度センサ）のうち少なくとも１つを介して検出したセンサデータに基づいてアクセサリ装置２０２が電子装置２０１に正常に接続されたか、装着動作であるか又は接続解除動作であるかを判断できる。例えば、プロセッサ２２０は、カバー型アクセサリ装置に内蔵されたＮＦＣ部のＮＦＣ信号が受信されるとともに、他のセンサによって検出したセンサデータに基づいてカバー型アクセサリが電子装置２０１に装着又は接続解除される動作であることを判別できる。例えば、プロセッサ２２０は、アクセサリ装置２０２から受信した信号に基づいて（例：信号強度範囲、信号の連続性、信号維持時間等）アクセサリ装置２０２が正常に接続されたかを判断できる。例えば、プロセッサ２２０は、アクセサリ装置２０２から受信した信号（例：アクセサリ装置の識別情報が含まれた信号）が所定の強度以上で、所定の時間以上の間所定の範囲より少ない信号強度変化率を示せば、アクセサリ２０２が電子装置２０１に装着された状態であると判断できる。例えば、アクセサリ装置の識別情報は、アクセサリ装置のシリアル番号、認証関連キー値、アクセサリ装置に内蔵されたチップの固有値（例：ｅＳＩＭ、ＭＡＣアドレス、ＩＭＥＩ）のうち少なくとも１つを含むことができる。追加的には、アクセサリ装置の識別情報は、アクセサリ装置を生成又は購入した時点で登録されたユーザの生体情報（例：指紋、虹彩、静脈パターン、顔等）と関連づけられた値をさらに含むことができる。例えば、アクセサリ装置の識別情報は、同じタイプのアクセサリ装置ごとに互いに異なる値を与えることができる。例えば、アクセサリ装置の識別情報は、アクセサリ装置のセキュリティモジュール（例：セキュリティチップ）によって加工された固有の識別情報を含むことができる。例えば、アクセサリ装置の識別情報は、第２装置２０６（例：図１の第２装置１３０）が第１装置２０４（例：図１の第１装置１２０）でアクセサリ装置のサービス情報を登録する時点に基づいて順次的な値を含むこともできる。
【００４６】
一実施形態によれば、プロセッサ２２０は、電子装置２０１に接続されたアクセサリ装置２０２を認証できる。例えば、プロセッサ２２０は、アクセサリ装置の識別情報又はセキュリティ情報のうち少なくとも１つに基づいてアクセサリ装置を認証するように電子装置２０１の認証モジュールを制御できる。例えば、認証モジュールは、プロセッサ２２０の少なくとも一部として構成されるか、又はプロセッサ２２０と区分される別途の回路で構成されることができる。例えば、プロセッサ２２０は、アクセサリ装置の認証のためにアクセサリ装置の識別情報又はセキュリティ情報のうち少なくとも１つを第１装置１２０に伝送するように通信インタフェース２７０を制御できる。
【００４７】
一実施形態によれば、プロセッサ２２０は、アクセサリ装置を認証成功した場合、アクセサリ装置に対応するコンテンツを提供するように制御できる。例えば、プロセッサ２２０は、アクセサリ装置を認証成功した場合、アクセサリ装置、第１装置又は第２装置から提供されたコンテンツを表示するようにディスプレイ２６０を制御できる。
【００４８】
一実施形態によれば、プロセッサ２２０は、アクセサリ装置に対応するコンテンツのサービスポリシー情報を用いて、電子装置２０１の状態情報（例：位置又は時間）に基づいてアクセサリ装置２０２に対応するコンテンツを提供したり変更できる。例えば、プロセッサ２２０は、アクセサリ装置２０２が接続された電子装置２０１の時間情報、又は電子装置２０１の位置関連情報のうち少なくとも１つに対応するコンテンツを提供できる。例えば、プロセッサ２２０は、アクセサリ装置２０２が接続された電子装置２０１の時間情報又は電子装置２０１の位置関連情報のうち少なくとも１つに基づいてコンテンツを選択的に活性化できる。例えば、プロセッサ２２０は、アクセサリ装置２０２が接続された電子装置２０１の状態情報を第１装置１２０に伝送してコンテンツの変更可否又は活性可否に関する情報を決定できる。例えば、プロセッサ２２０は、アクセサリ装置２０２の接続状態が維持される場合、電子装置２０１の時間情報又は電子装置２０１の位置関連情報のうち少なくとも１つを第１装置２０４に伝送するように通信インタフェース２７０を制御できる。プロセッサ２２０は、第１装置２０４から受信したサービスポリシー情報又はサービスポリシー情報に関連づけられたコンテンツ識別情報に基づいて入出力インタフェース（例：ディスプレイ又はスピーカ）を介して提供するアクセサリ関連コンテンツを変更又は表示できる。すなわち、第１装置２０４は、電子装置２０１から電子装置２０１の状態情報を受信した場合、第１装置２０４のメモリに含まれたサービスポリシー情報に基づいて電子装置２０１がコンテンツを制御できるようにサービスポリシー情報又はサービスポリシー情報に符合するコンテンツ識別情報を電子装置２０１に伝達することもできる。
【００４９】
一実施形態によれば、プロセッサ２２０は、コンテンツの使用権限に基づいてアクセサリ装置に対応するコンテンツを制御できる。例えば、プロセッサ２２０は、電子装置２０１又は第１装置２０４に格納されたコンテンツのサービスポリシー情報に基づいて該当コンテンツの使用時間（例：使用開始時刻から現在までの経過時間又はコンテンツの使用累積時間）又は使用回数を確認することができる。例えば、コンテンツの使用時間は、電子装置２０１で該当コンテンツを使用した時点又は第２装置２０６で該当コンテンツのサービスを提供し始めた時点によって決定されることができる。一例として、プロセッサ２２０は、アクセサリ装置２０２に対応するコンテンツの有効時間が満了した場合、第１装置２０４又は第２装置２０６を介してアクセサリ装置２０２の有効時間をアップデートすることもできる。例えば、プロセッサ２２０は、電子装置２０１に含まれた電子決済モジュールを用いて有効期間の延長又は使用時間の初期化のための費用を表示するようにディスプレイ２６０を制御できる。プロセッサ２２０は、電子決済モジュールによって該当費用の決済完了を確認した場合、アクセサリ装置２０２の有効期間を延長したり使用時間を初期化することもできる。そのために、電子装置２０１は、オンライン決済をサポートする第３装置（図示せず）と通信インタフェース２７０を介して情報を交換することもできる。
【００５０】
一実施形態によれば、プロセッサ２２０は、アクセサリ装置の接続解除を検出できる。例えば、プロセッサ２２０は、アクセサリ装置２０２から受信した信号の受信強度が基準値より小さかったり、受信強度の変化が基準範囲から外れたり、受信強度の変化が不規則な場合、アクセサリ装置２０２の接続が解除されたと判断できる。例えば、プロセッサ２２０は、近接センサ、圧力センサ、イメージセンサ又は加速度センサのうち少なくとも１つを介して検出したセンサデータに基づいてアクセサリ装置２０２の接続解除有無を判断できる。
【００５１】
一実施形態によれば、プロセッサ２２０は、アクセサリ装置２０２が接続解除された場合、アクセサリ装置２０２に対応するコンテンツを除去又は維持するように制御できる。例えば、プロセッサ２２０は、アクセサリ装置２０２に対応するサービス情報とともに第１装置２０４から提供されたコンテンツのサービスポリシー情報に基づいて該当コンテンツを除去又は維持するように制御できる。例えば、プロセッサ２２０は、アクセサリ装置２０２が接続解除された場合、アクセサリ装置２０２の接続解除情報を第１装置２０４に伝送するように通信インタフェース２７０を制御できる。例えば、プロセッサ２２０は、アクセサリ装置２０２が接続解除された場合、第１装置２０４にアクセサリ装置２０２に対応するコンテンツのサービスポリシー情報を要求するように通信インタフェース２７０を制御できる。プロセッサ２２０は、第１装置２０４から提供されたサービスポリシー情報に基づいて該当コンテンツを除去又は維持するように制御できる。例えば、プロセッサ２２０は、サービスポリシー情報に基づいてコンテンツの全体又は少なくとも一部を削除するように制御できる。例えば、プロセッサ２２０は、サービスポリシー情報に基づいてコンテンツの全体又は少なくとも一部機能を非活性化されるように制御できる。この場合、コンテンツは、電子装置２０１で非活性化された状態で維持されるか、又は一定の時間が経過した後削除されてもよい。
【００５２】
一実施形態によれば、プロセッサ２２０は、サービスポリシー情報に基づいてアクセサリ装置２０２が接続状態に応じてコンテンツを部分的に制御することもできる。すなわち、プロセッサ２２０は、アクセサリ装置２０２の接続有無に基づいてコンテンツの量又は質を制御できる。例えば、プロセッサ２２０は、アクセサリ装置２０２が接続され認証が完了した場合、アクセサリ装置２０２が接続されていない時は表示できなかったコンテンツの一部を表示するようにディスプレイ２６０を制御できる。すなわち、プロセッサ２２０は、アクセサリ装置２０２が接続する以前は表示されていなかった非公開スチルが含まれたビデオ、非公開監督版ビデオ、非公開オーディオ、非公開ページが追加された電子ブック、非公開されたゲーム内追加エピソードのうち少なくとも１つをアクセサリ装置２０２が接続された状態で表示するようにディスプレイ２６０を制御できる。例えば、プロセッサ２２０は、アクセサリ装置２０２が接続され認証が完了した場合、アクセサリ装置２０２が接続されていない時とは違う高品質バージョンのコンテンツを表示するようにディスプレイ２６０を制御できる。すなわち、プロセッサ２２０は、アクセサリ装置２０２が接続する以前は低解像度コンテンツ、低画質コンテンツ、低音質コンテンツ、白黒コンテンツ、地味なゲームエフェクト（ｅｆｆｅｃｔ）、低性能ゲームアイテム及びバフ機能（例：攻撃力、防御力、敏捷性、体力等）、２次元映像、モノ音源のうち１つ以上を提供するように制御できる。プロセッサ２２０は、アクセサリ装置２０２が接続される場合、高解像度コンテンツ、高画質コンテンツ、高音質コンテンツ、カラーコンテンツ、より華麗なゲームエフェクト（ｅｆｆｅｃｔ）、高性能ゲームアイテム、高性能ゲームバフ機能、３次元映像、３Ｄ音源のうち少なくとも１つを提供するように制御できる。例えば、プロセッサ２２０は、電子装置２０１にアクセサリ装置２０２が接続する以前は提供されていなかったフルバージョン映画をアクセサリ装置２０２が最初に接続した時、第１装置２０４又は第２装置２０６からダウンロードして提供するように制御できる。プロセッサ２２０は、アクセサリ装置２０２と電子装置２０１の接続が切れた場合、トレーラー映画に変更して提供するように制御することもできる。例えば、プロセッサ２２０は、電子装置２０１にアクセサリ装置２０２が接続されていない場合、音楽を１分だけ再生するように制御できる。プロセッサ２２０は、電子装置２０１にアクセサリ装置２０２が接続された場合、アクセサリ装置２０２と関連づけられたサービスポリシー情報に基づいて該当音楽のフルバージョンを再生するように制御できる。したがって、プロセッサ２２０は、１つのコンテンツに対してアクセサリ装置２０２が電子装置２０１に装着されていない場合のバージョンと装着された場合のバージョンとが異なるように提供するように制御できる。
【００５３】
一実施形態によれば、サービスポリシー情報は、第１装置２０４でアクセサリ装置２０２に対応して予め設定された情報であってもよい。電子装置２０１は、第１装置２０４にアクセサリ装置２０２の識別情報を送信し、これに関連づけられたコンテンツの少なくとも１つのサービスポリシー情報を第１装置２０４から受信して格納することもできる。一実施形態によれば、サービスポリシー情報は、電子装置２０１が受信したアクセサリ装置２０２の識別情報に含まれるか、別途受信されてもよい。一実施形態によれば、サービスポリシー情報は、電子装置２０１のメモリ２３０に予め設定されている場合もあり、アクセサリ識別情報が認識されると、これに対応するサービスポリシーを電子装置２０１のメモリ２３０で選択することもできる。
【００５４】
メモリ２３０は、揮発性及び／又は不揮発性メモリを含むことができる。メモリ２３０は、例えば、電子装置２０１の少なくとも１つの他の構成要素に関連付けられた命令又はデータを格納することができる。一実施形態によれば、メモリ２３０は、ソフトウェア及び／又はプログラム２４０を格納することができる。例えば、プログラム２４０は、カーネル２４１、ミドルウェア２４３、アプリケーションプログラミングインタフェース（ＡＰＩ）２４５又はアプリケーションプログラム（又は「アプリケーション」）２４７などを含むことができる。カーネル２４１、ミドルウェア２４３、又はＡＰＩ２４５の少なくとも一部は、オペレーティングシステム（ＯＳ）と称することができる。
【００５５】
カーネル２４１は、例えば、他のプログラム（例：ミドルウェア２４３、ＡＰＩ２４５、又はアプリケーションプログラム２４７）に具現された動作又は機能を実行するために使用されるシステムリソース（例：バス２１０、プロセッサ２２０、又はメモリ２３０等）を制御又は管理できる。また、カーネル２４１は、ミドルウェア２４３、ＡＰＩ２４５、又はアプリケーションプログラム２４７で電子装置２０１の個別構成要素にアクセスすることによって、システムリソースを制御又は管理できるインタフェースを提供できる。
【００５６】
ミドルウェア２４３は、例えば、ＡＰＩ２４５又はアプリケーションプログラム２４７がカーネル２４１と通信してデータを授受することができるように仲介する役割を行うことができる。また、ミドルウェア２４３は、アプリケーションプログラム２４７から受信された１つ以上の作業要求を優先順位に従って処理できる。例えば、ミドルウェア２４３は、アプリケーションプログラム２４７のうち少なくとも１つに電子装置２０１のシステムリソース（例：バス２１０、プロセッサ２２０、又はメモリ２３０等）を使用できる優先順位を与え、１つ以上の作業要求を処理できる。ＡＰＩ２４５は、アプリケーションプログラム２４７がカーネル２４１又はミドルウェア２４３で提供される機能を制御するためのインタフェースであって、例えば、ファイル制御、ウィンドウ制御、映像処理、又は文字制御などのための少なくとも１つのインタフェース又は関数（例：命令）を含むことができる。
【００５７】
入出力インタフェース２５０は、例えば、ユーザ又は他の外部機器から入力された命令又はデータを電子装置２０１の他の構成要素（ら）に伝達できるインタフェースの役割を行うことができる。例えば、入出力インタフェース２５０は、アクセサリ装置が接続されることができるイヤホンジャック、充電ポート、オーディオ入出力回路又は接続電極のうち少なくとも１つを含むことができる。入出力インタフェース２５０は、例えば、生体情報、動き、温度、音響、映像などと関連づけられたセンサデータを受信できる１つ以上のセンサ装置であってもよい。
【００５８】
ディスプレイ２６０は、例えば、液晶ディスプレイ（ＬＣＤ）、発光ダイオード（ＬＥＤ）ディスプレイ、有機発光ダイオード（ＯＬＥＤ）ディスプレイ、又はマイクロ電気機械システム（ＭＥＭＳ）ディスプレイ、又は電子ペーパー（ｅｌｅｃｔｒｏｎｉｃ  ｐａｐｅｒ）ディスプレイを含むことができる。ディスプレイ２６０は、例えば、ユーザに各種コンテンツ（例：テキスト、イメージ、ビデオ、アイコン、及び／又はシンボル等）を表示できる。ディスプレイ２６０は、タッチスクリーンを含むことができ、例えば、電子ペン又はユーザの身体の一部を利用したタッチ、ジェスチャ、近接、又はホバリング入力を受信することができる。
【００５９】
通信インタフェース２７０は、例えば、電子装置２０１と外部装置（例：アクセサリ装置２０２、第１装置２０４、又は第２装置２０６）の間の通信を設定できる。例えば、通信インタフェース２７０は、無線通信又は有線通信を介してネットワーク２７２に接続され外部装置（例：第１装置２０４又は第２装置２０６）と通信できる。
【００６０】
無線通信は、例えば、ＬＴＥ、ＬＴＥ−Ａ（ＬＴＥ  Ａｄｖａｎｃｅ）、ＣＤＭＡ（ｃｏｄｅ  ｄｉｖｉｓｉｏｎ  ｍｕｌｔｉｐｌｅ  ａｃｃｅｓｓ）、ＷＣＤＭＡ（登録商標）（ｗｉｄｅｂａｎｄ  ＣＤＭＡ）、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）、ＷｉＢｒｏ（Ｗｉｒｅｌｅｓｓ  Ｂｒｏａｄｂａｎｄ）、又はＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）等のうち少なくとも１つを使用するセルラー通信を含むことができる。一実施形態によれば、無線通信は、例えば、ＷｉＦｉ（ｗｉｒｅｌｅｓｓ  ｆｉｄｅｌｉｔｙ）、ブルートゥース（登録商標、以下同じ）、ブルートゥース低電力（ＢＬＥ）、ジグビー（Ｚｉｇｂｅｅ）、ＮＦＣ（ｎｅａｒ  ｆｉｅｌｄ  ｃｏｍｍｕｎｉｃａｔｉｏｎ）、磁気セキュア伝送（Ｍａｇｎｅｔｉｃ  Ｓｅｃｕｒｅ  Ｔｒａｎｓｍｉｓｓｉｏｎ）、ラジオフリークエンシー（ＲＦ）、又はボディエリアネットワーク（ＢＡＮ）のうち少なくとも１つ（例：近距離通信２７４）を含むことができる。一実施形態によれば、無線通信はＧＮＳＳを含むことができる。ＧＮＳＳは、例えば、ＧＰＳ（Ｇｌｏｂａｌ  Ｐｏｓｉｔｉｏｎｉｎｇ  Ｓｙｓｔｅｍ）、Ｇｌｏｎａｓｓ（Ｇｌｏｂａｌ  Ｎａｖｉｇａｔｉｏｎ  Ｓａｔｅｌｌｉｔｅ  Ｓｙｓｔｅｍ）、Ｂｅｉｄｏｕ（Ｂｅｉｄｏｕ  Ｎａｖｉｇａｔｉｏｎ  Ｓａｔｅｌｌｉｔｅ  Ｓｙｓｔｅｍ）又はＧａｌｉｌｅｏ（ｔｈｅ  Ｅｕｒｏｐｅａｎ  ｇｌｏｂａｌ  ｓａｔｅｌｌｉｔｅ−ｂａｓｅｄ  ｎａｖｉｇａｔｉｏｎ  ｓｙｓｔｅｍ）であり得る。以下、本文書では、「ＧＰＳ」は「ＧＮＳＳ」と相互互換的に用いられる場合がある。有線通信は、例えば、ＵＳＢ（ｕｎｉｖｅｒｓａｌ  ｓｅｒｉａｌ  ｂｕｓ）、ＨＤＭＩ（登録商標）（ｈｉｇｈ  ｄｅｆｉｎｉｔｉｏｎ  ｍｕｌｔｉｍｅｄｉａ  ｉｎｔｅｒｆａｃｅ）、ＲＳ−２３２（ｒｅｃｏｍｍｅｎｄｅｄ  ｓｔａｎｄａｒｄ−２３２）、電力線通信、光通信又はＰＯＴＳ（ｐｌａｉｎ  ｏｌｄ  ｔｅｌｅｐｈｏｎｅ  ｓｅｒｖｉｃｅ）等のうち少なくとも１つを含むことができる。ネットワーク２７２は、テレコミュニケーションネットワーク、例えば、コンピューターネットワーク（例：ＬＡＮ又はＷＡＮ）、インターネット、又はテレホンネットワークのうち少なくとも１つを含むことができる。
【００６１】
アクセサリ装置２０２、第１装置２０４及び第２装置２０６のそれぞれは、電子装置２０１と同じ又は異なる種類の装置（例：アクセサリ装置又はサーバ）であってもよい。多様な実施形態によれば、電子装置２０１で実行される動作の全部又は一部は他の１つ又は複数の電子装置（例：アクセサリ装置２０２、第１装置２０４又は第２装置２０６）で実行されることができる。一実施形態によれば、電子装置２０１がある機能やサービスを自動的に又は要求によって行うべき場合に、電子装置２０１は、機能又はサービスを自主的に実行させる代わりに又は追加的に、それと関連づけられた少なくとも一部の機能を他の装置（例：アクセサリ装置２０２、第１装置２０４又は第２装置２０６）に要求できる。他の電子装置（例：アクセサリ装置２０２、第１装置２０４又は第２装置２０６）は、要求された機能又は追加機能を実行し、その結果を電子装置２０１に伝達できる。電子装置２０１は、受信された結果をそのまま又は追加的に処理して要求された機能又はサービスを提供できる。そのために、例えば、クラウドコンピューティング、分散コンピューティング、又はクライアント−サーバコンピューティング技術が用いられ得る。
【００６２】
図３は、多様な実施形態に係る電子装置３０１のブロック図を示す。電子装置３０１は、例えば、図２に示す電子装置２０１の全体又は一部を含むことができる。
【００６３】
図３を参照すると、電子装置３０１は、１つ以上のプロセッサ（例：ＡＰ）３１０、通信モジュール３２０、加入者識別モジュール３２４、メモリ３３０、センサモジュール３４０、入力装置３５０、ディスプレイ３６０、インタフェース３７０、オーディオモジュール３８０、カメラモジュール３９１、電力管理モジュール３９５、バッテリ３９６、インジケータ３９７、及びモータ３９８を含むことができる。
【００６４】
プロセッサ３１０は、例えば、オペレーティングシステム又はアプリケーションプログラムを駆動してプロセッサ３１０に接続された多数のハードウェア又はソフトウェア構成要素を制御でき、各種データ処理及び演算を行うことができる。プロセッサ３１０は、例えば、ＳｏＣ（ｓｙｓｔｅｍ  ｏｎ  ｃｈｉｐ）で具現され得る。一実施形態によれば、プロセッサ３１０は、ＧＰＵ（ｇｒａｐｈｉｃ  ｐｒｏｃｅｓｓｉｎｇ  ｕｎｉｔ）及び／又はイメージ信号プロセッサ（ＩＳＰ）をさらに含むことができる。プロセッサ３１０は、図３に示す構成要素のうち少なくとも一部（例：セルラーモジュール３２１）を含むこともできる。プロセッサ３１０は、他の構成要素（例：不揮発性メモリ）のうち少なくとも１つから受信された命令又はデータを揮発性メモリにロードして処理し、結果データを不揮発性メモリに格納することができる。
【００６５】
通信モジュール３２０は、図２の通信インタフェース２７０と同じ又は類似の構成を有し得る。通信モジュール３２０は、例えば、セルラーモジュール３２１、ＷｉＦｉモジュール３２３、ブルートゥースモジュール３２５、ＧＮＳＳモジュール３２６、ＮＦＣモジュール３２７及びＲＦモジュール３２９を含むことができる。
【００６６】
セルラーモジュール３２１は、例えば、通信網を介して音声通話、ビデオ通話、メールサービス、又はインターネットサービスなどを提供できる。一実施形態によれば、セルラーモジュール３２１は、加入者識別モジュール（例：ＳＩＭカード）３２４を用いて通信ネットワーク内で電子装置３０１の区別及び認証を行うことができる。一実施形態によれば、セルラーモジュール３２１は、プロセッサ３１０が提供できる機能のうち少なくとも一部の機能を行うことができる。一実施形態によれば、セルラーモジュール３２１は、コミュニケーションプロセッサ（ＣＰ）を含むことができる。
【００６７】
ある実施形態によれば、セルラーモジュール３２１、ＷｉＦｉモジュール３２３、ブルートゥースモジュール３２５、ＧＮＳＳモジュール３２６又はＮＦＣモジュール３２７のうち少なくとも一部（例：２つ以上）は１つのｉｎｔｅｇｒａｔｅｄ  ｃｈｉｐ（ＩＣ）又はＩＣパッケージ内に含まれることができる。
【００６８】
ＲＦモジュール３２９は、例えば、通信信号（例：ＲＦ信号）を送受信できる。ＲＦモジュール３２９は、例えば、トランシーバ、ＰＡＭ（ｐｏｗｅｒ  ａｍｐ  ｍｏｄｕｌｅ）、周波数フィルタ、ＬＮＡ（ｌｏｗ  ｎｏｉｓｅ  ａｍｐｌｉｆｉｅｒ）、又はアンテナなどを含むことができる。他の実施形態によれば、セルラーモジュール３２１、ＷｉＦｉモジュール３２３、ブルートゥースモジュール３２５、ＧＮＳＳモジュール３２６又はＮＦＣモジュール３２７のうち少なくとも１つは、別個のＲＦモジュールを介してＲＦ信号を送受信できる。加入者識別モジュール３２４は、例えば、加入者識別モジュールを含むカード又はエンベデッドＳＩＭを含むことができ、固有の識別情報（例：ＩＣＣＩＤ（ｉｎｔｅｇｒａｔｅｄ  ｃｉｒｃｕｉｔ  ｃａｒｄ  ｉｄｅｎｔｉｆｉｅｒ））又は加入者情報（例：ＩＭＳＩ（ｉｎｔｅｒｎａｔｉｏｎａｌ  ｍｏｂｉｌｅ  ｓｕｂｓｃｒｉｂｅｒ  ｉｄｅｎｔｉｔｙ））を含むことができる。
【００６９】
メモリ３３０（例：図２のメモリ２３０）は、例えば、内蔵メモリ３３２又は外付けメモリ３３４を含むことができる。内蔵メモリ３３２は、例えば、揮発性メモリ（例：ＤＲＡＭ、ＳＲＡＭ、又はＳＤＲＡＭ等）、不揮発性メモリ（例：ＯＴＰＲＯＭ（ｏｎｅ  ｔｉｍｅ  ｐｒｏｇｒａｍｍａｂｌｅ  ＲＯＭ）、ＰＲＯＭ、ＥＰＲＯＭ、ＥＥＰＲＯＭ、ｍａｓｋ  ＲＯＭ、ｆｌａｓｈ  ＲＯＭ、フラッシュメモリ、ハードドライブ、又はソリッドステートドライブ（ＳＳＤ）のうち少なくとも１つを含むことができる。外付けメモリ３３４は、フラッシュドライブ（ｆｌａｓｈ  ｄｒｉｖｅ）、例えば、ＣＦ（ｃｏｍｐａｃｔ  ｆｌａｓｈ）、ＳＤ（ｓｅｃｕｒｅ  ｄｉｇｉｔａｌ）、Ｍｉｃｒｏ−ＳＤ、Ｍｉｎｉ−ＳＤ、ｘＤ（ｅｘｔｒｅｍｅ  ｄｉｇｉｔａｌ）、ＭＭＣ（ｍｕｌｔｉ−ｍｅｄｉａ  ｃａｒｄ）又はメモリスティックなどを含むことができる。外付けメモリ３３４は、多様なインタフェースを介して電子装置３０１と機能的に又は物理的に接続され得る。
【００７０】
センサモジュール３４０は、例えば、物理量を計測したり電子装置３０１の作動状態を感知し、計測又は感知された情報を電気信号に変換できる。センサモジュール３４０は、例えば、ジェスチャセンサ３４０Ａ、ジャイロセンサ３４０Ｂ、気圧センサ３４０Ｃ、マグネティックセンサ３４０Ｄ、加速度センサ３４０Ｅ、グリップセンサ３４０Ｆ、近接センサ３４０Ｇ、カラー（ｃｏｌｏｒ）センサ３４０Ｈ（例：ＲＧＢ（ｒｅｄ、ｇｒｅｅｎ、ｂｌｕｅ）センサ）、生体センサ３４０Ｉ、温／湿度センサ３４０Ｊ、照度センサ３４０Ｋ、又はＵＶ（ｕｌｔｒａ  ｖｉｏｌｅｔ）センサ３４０Ｍのうち少なくとも１つを含むことができる。一例として、センサモジュール３４０は、例えば、嗅覚（ｅ−ｎｏｓｅ）センサ、筋電計（ＥＭＧ）センサ、脳波（ＥＥＧ）センサ、心電図（ＥＣＧ）センサ、ＩＲ（ｉｎｆｒａｒｅｄ）センサ、虹彩センサ及び／又は指紋センサを含むことができる。例えば、センサモジュール３４０は、通信モジュールと連係して視覚測定を行ったり自らに内蔵された時計やタイマーを用いて視覚又は時間測定を提供するためのモジュールをさらに含むこともできる。センサモジュール３４０は、その中に属する少なくとも１つ以上のセンサを制御するための制御回路をさらに含むことができる。ある実施形態では、電子装置３０１は、プロセッサ３１０の一部として又は別途に、センサモジュール３４０を制御するように構成されたプロセッサをさらに含み、プロセッサ３１０がスリープ（ｓｌｅｅｐ）状態にある間、センサモジュール３４０を制御できる。例えば、温／湿度センサ３４０Ｊは、互いに異なる位置に配置される多数個の温度センサを含むことができる。
【００７１】
入力装置３５０は、例えば、タッチパネル３５２、（デジタル）ペンセンサ３５４、キー３５６、又は超音波入力装置３５８を含むことができる。タッチパネル３５２は、例えば、静電式、減圧式、赤外線方式、又は超音波方式のうち少なくとも１つの方式を使用することができる。また、タッチパネル３５２は、制御回路をさらに含むことができる。タッチパネル３５２は、タクタイルレイヤ（ｔａｃｔｉｌｅ  ｌａｙｅｒ）をさらに含み、ユーザに触覚反応を提供できる。（デジタル）ペンセンサ３５４は、例えば、タッチパネルの一部、又は別途の認識用シートを含むことができる。キー３５６は、例えば、物理ボタン、光学式キー、又はキーパッドを含むことができる。超音波入力装置３５８は、マイク（例：マイク３８８）を介して、入力ツールで発生した超音波を感知し、感知した超音波に対応するデータを確認することができる。
【００７２】
ディスプレイ３６０（例：図２のディスプレイ２６０）は、パネル３６２、ホログラム装置３６４、プロジェクタ３６６、及び／又はこれらを制御するための制御回路を含むことができる。パネル３６２は、例えば、柔軟に、透明に、又は着用可能に具現され得る。パネル３６２は、タッチパネル３５２と１つ以上のモジュールで構成されることができる。ホログラム装置３６４は、光の干渉を利用して立体映像を虚空に映し出すことができる。プロジェクタ３６６は、スクリーンに光を投射して映像を表示できる。スクリーンは、例えば、電子装置３０１の内部又は外部に位置することができる。インタフェース３７０は、例えば、ＨＤＭＩ（登録商標）３７２、ＵＳＢ３７４、光インタフェース（ｏｐｔｉｃａｌ  ｉｎｔｅｒｆａｃｅ）３７６、又はＤ−ｓｕｂ（Ｄ−ｓｕｂｍｉｎｉａｔｕｒｅ）３７８を含むことができる。インタフェース３７０は、例えば、図２に示す通信インタフェース２７０に含まれることができる。一例として、インタフェース３７０は、例えば、ＭＨＬ（ｍｏｂｉｌｅ  ｈｉｇｈ−ｄｅｆｉｎｉｔｉｏｎ  ｌｉｎｋ）インタフェース、ＳＤカード／ＭＭＣ（ｍｕｌｔｉ−ｍｅｄｉａ  ｃａｒｄ）インタフェース、又はＩｒＤＡ（ｉｎｆｒａｒｅｄ  ｄａｔａ  ａｓｓｏｃｉａｔｉｏｎ）規格インタフェースを含むことができる。
【００７３】
オーディオモジュール３８０は、例えば、音と電気信号を双方向変換させることができる。オーディオモジュール３８０の少なくとも一部の構成要素は、例えば、図２に示す入出力インタフェース２５０に含まれることができる。オーディオモジュール３８０は、例えば、スピーカ３８２、レシーバ３８４、イヤホン３８６、又はマイク３８８等を介して入力又は出力されるサウンド情報を処理できる。
【００７４】
カメラモジュール３９１は、例えば、静止画像及び動画を撮影できる装置であって、一実施形態によれば、１つ以上のイメージセンサ（例：前面センサ又は後面センサ）、レンズ、イメージ信号プロセッサ（ＩＳＰ）、又はフラッシュ（例：ＬＥＤ又はｘｅｎｏｎ  ｌａｍｐ等）を含むことができる。電力管理モジュール３９５は、例えば、電子装置３０１の電力を管理できる。
【００７５】
電力管理モジュール３９５は、ＰＭＩＣ（ｐｏｗｅｒ  ｍａｎａｇｅｍｅｎｔ  ｉｎｔｅｇｒａｔｅｄ  ｃｉｒｃｕｉｔ）、充電ＩＣ、又はバッテリ又は燃料ゲージを含むことができる。ＰＭＩＣは、有線及び／又は無線充電方式を有し得る。無線充電方式は、例えば、磁気共鳴方式、磁気誘導方式又は電磁気波方式などを含み、無線充電のための付加的な回路、例えば、コイルループ、共振回路、又は整流器などをさらに含むことができる。バッテリゲージは、例えば、バッテリ３９６の残量、充電中電圧、電流、又は温度を測定できる。バッテリ３９６は、例えば、充電式電池及び／又は太陽電池を含むことができる。
【００７６】
インジケータ３９７は、電子装置３０１又はその一部（例：プロセッサ３１０）の特定状態、例えば、ブート状態、メッセージ状態又は充電状態などを表示できる。モータ３９８又はハプティック装置（図示せず）は、電気的信号を機械的振動に変換でき、振動、又はハプティック効果（例：圧力、質の感触）などを発生させることができる。電子装置３０１は、例えば、ＤＭＢ（ｄｉｇｉｔａｌ  ｍｕｌｔｉｍｅｄｉａ  ｂｒｏａｄｃａｓｔｉｎｇ）、ＤＶＢ（ｄｉｇｉｔａｌ  ｖｉｄｅｏ  ｂｒｏａｄｃａｓｔｉｎｇ）、又はメディアフロー（ｍｅｄｉａＦｌｏＴＭ）などの規格によるメディアデータを処理できるモバイルＴＶサポート装置（例：ＧＰＵ）を含むことができる。
【００７７】
本文書で記述された構成要素の各々は、１つ又はそれ以上の部品（ｃｏｍｐｏｎｅｎｔ）で構成されることができ、該当構成要素の名称は電子装置の種類によって異なる場合がある。多様な実施形態で、電子装置（例：電子装置３０１）は、一部の構成要素が省略されるか、又は追加的な構成要素をさらに含んだり、又は、構成要素のうち一部が結合されて１つの個体に構成されるが、結合以前の該当構成要素の機能を同じに行うことができる。
【００７８】
図４は、多様な実施形態に係るプログラムモジュールのブロック図を示す。一実施形態によれば、プログラムモジュール４１０（例：図２のプログラム２４０）は、電子装置（例：図２の電子装置２０１）に関連づけられたリソースを制御するオペレーティングシステム及び／又はオペレーティングシステム上で駆動される多様なアプリケーション（例：図２のアプリケーション２４７）を含むことができる。オペレーティングシステムは、例えば、ＡｎｄｒｏｉｄＴＭ、ｉＯＳＴＭ、ＷｉｎｄｏｗｓＴＭ、ＳｙｍｂｉａｎＴＭ、ＴｉｚｅｎＴＭ、又はＢａｄａＴＭを含むことができる。
【００７９】
図４を参照すると、プログラムモジュール４１０は、カーネル４２０（例：図２のカーネル２４１）、ミドルウェア４３０（例：図２のミドルウェア２４３）、ＡＰＩ４６０（例：図２のＡＰＩ２４５）、及び／又はアプリケーション４７０（例：アプリケーション２４７）を含むことができる。プログラムモジュール４１０の少なくとも一部は電子装置上にプリロードされるか、外部電子装置（例：図２のアクセサリ装置２０２、第１装置２０４、第２装置２０６等）からダウンロード可能である。
【００８０】
カーネル４２０は、例えば、システムリソースマネジャ４２１及び／又はデバイスドライバ４２３を含むことができる。システムリソースマネジャ４２１は、システムリソースの制御、割当、又は回収を行うことができる。一実施形態によれば、システムリソースマネジャ４２１は、プロセス管理部、メモリ管理部、又はファイルシステム管理部を含むことができる。デバイスドライバ４２３は、例えば、ディスプレイドライバ、カメラドライバ、ブルートゥースドライバ、共有メモリドライバ、ＵＳＢドライバ、キーパッドドライバ、ＷｉＦｉドライバ、オーディオドライバ、又はＩＰＣ（ｉｎｔｅｒ−ｐｒｏｃｅｓｓ  ｃｏｍｍｕｎｉｃａｔｉｏｎ）ドライバを含むことができる。ミドルウェア４３０は、例えば、アプリケーション４７０が共通的に必要とする機能を提供したり、アプリケーション４７０が電子装置内部の制限されたシステムリソースを使用できるようにＡＰＩ４６０を介して多様な機能をアプリケーション４７０に提供できる。
【００８１】
一実施形態によれば、ミドルウェア４３０は、ランタイムライブラリ４３５、アプリケーションマネジャ４４１、ウィンドウマネジャ４４２、マルチメディアマネジャ４４３、リソースマネジャ４４４、パワーマネジャ４４５、データベースマネジャ４４６、パッケージマネジャ４４７、コネクティビティマネジャ４４８、ノーティフィケーションマネジャ４４９、ロケーションマネジャ４５０、グラフィックマネジャ４５１、セキュリティマネジャ４５２、コンテンツマネジャ４５３又はサービスマネジャ４５４のうち少なくとも１つを含むことができる。
【００８２】
ランタイムライブラリ４３５は、例えば、アプリケーション４７０が実行される間にプログラミング言語を介して新しい機能を追加するためにコンパイラが使用するライブラリモジュールを含むことができる。ランタイムライブラリ４３５は、入出力管理、メモリ管理、又は算術関数処理を行うことができる。アプリケーションマネジャ４４１は、例えば、アプリケーション４７０の生命周期を管理できる。一実施形態によれば、アプリケーションマネジャ４４１は、図１の第１装置１２０と連動して電子装置２０１に接続されたアクセサリ装置に対応するアプリケーションをインストール、削除又はアップデートできる。ウィンドウマネジャ４４２は、画面で使用されるＧＵＩリソースを管理できる。マルチメディアマネジャ４４３は、メディアファイルの再生に必要なフォーマットを把握し、該当フォーマットに合うコーデックを用いてメディアファイルのエンコード又はデコードを行うことができる。リソースマネジャ４４４は、アプリケーション４７０のソースコード又はメモリの空間を管理できる。パワーマネジャ４４５は、例えば、バッテリの容量又は電源を管理し、電子装置の動作に必要な電力情報を提供できる。一実施形態によれば、パワーマネジャ４４５は、バイアス（ＢＩＯＳ：ｂａｓｉｃ  ｉｎｐｕｔ／ｏｕｔｐｕｔ  ｓｙｓｔｅｍ）と連動できる。データベースマネジャ４４６は、例えば、アプリケーション４７０で使用されるデータベースを生成、検索、又は変更できる。パッケージマネジャ４４７は、パッケージファイルの形態で配布されるアプリケーションのインストール又はアップデートを管理できる。
【００８３】
コネクティビティマネジャ４４８は、例えば、無線接続を管理できる。ノーティフィケーションマネジャ４４９は、例えば、到着メッセージ、約束、近接性に基づく通知などのイベントをユーザに提供できる。ロケーションマネジャ４５０は、例えば、電子装置で衛星通信（ＧＮＳＳ）、セルラー網識別子、ＲＦＩＤ、ＮＦＣ、又はワイパイ指紋（ＷｉＦｉ  ｆｉｎｇｅｒｐｒｉｎｔ）などの無線通信技術、気圧計、加速度センサ、ジャイロセンサ、万歩計（登録商標）（ｐｅｄｏｍｅｔｅｒ）、又は地磁気センサを用いて室内又は室外で測定した位置情報を管理できる。グラフィックマネジャ４５１は、例えば、ユーザに提供されるグラフィック効果又はこれと関連づけられたユーザインタフェースを管理できる。セキュリティマネジャ４５２は、例えば、システムセキュリティ又はユーザ認証を提供できる。コンテンツマネジャ４５３は、例えば、図１の第１装置１２０又は第２装置１３０から提供されたコンテンツを管理できる。サービスマネジャ４５４は、例えば、図１の第１装置１２０と連動して電子装置２０１に必要なサービスを提供するように管理できる。一実施形態によれば、ミドルウェア４３０は、電子装置の音声又はビデオ通話機能を管理するための通話（ｔｅｌｅｐｈｏｎｙ）マネジャ又は上述の構成要素の機能の組み合わせを形成できるようにするミドルウェアモジュールを含むことができる。一実施形態によれば、ミドルウェア４３０は、オペレーティングシステムの種類毎に特化されたモジュールを提供できる。ミドルウェア４３０は、動的に従来の構成要素を一部削除したり新しい構成要素を追加できる。ＡＰＩ４６０は、例えば、ＡＰＩプログラミング関数の集合であって、オペレーティングシステムによって他の構成で提供され得る。例えば、アンドロイド又はｉＯＳの場合、プラットホーム毎に１つのＡＰＩセットを提供でき、タイゼンの場合、プラットホーム毎に２つ以上のＡＰＩセットを提供できる。
【００８４】
アプリケーション４７０は、例えば、ホーム４７１、ダイヤラー４７２、ＳＭＳ／ＭＭＳ４７３、ＩＭ（ｉｎｓｔａｎｔ  ｍｅｓｓａｇｅ）４７４、ブラウザ４７５、カメラ４７６、アラーム４７７、コンタクト４７８、音声ダイヤル４７９、電子メール４８０、カレンダー４８１、メディアプレイヤー４８２、アルバム４８３、ウォッチ４８４、ヘルスケア（例：運動量又は血糖などを測定）、又は環境情報（例：気圧、湿度、又は温度情報）提供アプリケーションを含むことができる。一実施形態によれば、アプリケーション４７０は、電子装置と外部電子装置の間の情報交換をサポートできる情報交換アプリケーションを含むことができる。情報交換アプリケーションは、例えば、外部電子装置に特定情報を伝達するためのノーティフィケーションリレーアプリケーション、又は外部電子装置を管理するための装置管理アプリケーションを含むことができる。例えば、通知伝達アプリケーションは、電子装置の他のアプリケーションで発生した通知情報を外部電子装置に伝達したり、又は外部電子装置から通知情報を受信してユーザに提供できる。装置管理アプリケーションは、例えば、電子装置と通信する外部電子装置の機能（例：外部電子装置自体（又は、一部構成部品）のターンオーン／ターンオフ又はディスプレイの明るさ（又は、解像度）調節）、又は外部電子装置で動作するアプリケーションをインストール、削除、又はアップデートできる。一実施形態によれば、アプリケーション４７０は、外部電子装置の属性に応じて指定されたアプリケーション（例：モバイル医療機器の健康管理アプリケーション）を含むことができる。一実施形態によれば、アプリケーション４７０は、外部電子装置から受信されたアプリケーションを含むことができる。プログラムモジュール４１０の少なくとも一部はソフトウェア、ファームウェア、ハードウェア（例：図３のプロセッサ３１０）、又はこれらのうち少なくとも２つ以上の組み合わせで具現（例：実行）されることができ、１つ以上の機能を行うためのモジュール、プログラム、ルーチン、命令セット又はプロセスを含むことができる。
【００８５】
図５は、本発明の多様な実施形態に係る第１装置のブロック図を示す。以下の説明で、第１装置５０１は、図１の第１装置１２０を含むことができる。第２装置５０２は、図１の第２装置１３０を含むことができる。
【００８６】
図５を参照すると、第１装置５０１は、バス５１０、プロセッサ５２０、メモリ５３０、入出力インタフェース５５０及び通信インタフェース５７０を含むことができる。ある実施形態では、第１装置５０１は、構成要素のうち少なくとも１つを省略するか、または他の構成要素を追加的に具備できる。
【００８７】
バス５１０は、例えば、構成要素５２０乃至５７０を互いに接続し、構成要素の間の通信（例：制御メッセージ及び／又はデータ）を伝達する回路を含むことができる。
【００８８】
プロセッサ５２０は、中央処理装置（ＣＰＵ）、アプリケーションプロセッサ（ＡＰ）、又はコミュニケーションプロセッサ（ｃｏｍｍｕｎｉｃａｔｉｏｎ  ｐｒｏｃｅｓｓｏｒ（ＣＰ））のうち１つ又はそれ以上を含むことができる。プロセッサ５２０は、例えば、第１装置５０１の少なくとも１つの他の構成要素の制御及び／又は通信に関する演算又はデータ処理を実行できる。
【００８９】
一実施形態によれば、プロセッサ５２０は、電子装置５０４に接続可能なアクセサリ装置に対応するサービスを生成できる。例えば、プロセッサ５２０は、第２装置５０２から提供されたコンテンツ情報に基づいてアクセサリ装置に対応するサービスを決定できる。例えば、プロセッサ５２０は、コンテンツ情報を第２装置５０２から受信し、アクセサリ装置の識別情報とコンテンツ情報を互いに関連づけて格納するようにメモリ５３０を制御できる。例えば、プロセッサ５２０は、第２装置５０２から受信したコンテンツ情報（例：コンテンツ種類）に基づいて、該当コンテンツ種類に対応するアプリケーション又はプレイヤー（Ｐｌａｙｅｒ、ビューア）情報（例：名前、バージョン、ＵＲＬ）をアクセサリ装置の識別情報と関連づけて格納するようにメモリ５３０を制御することもできる。
【００９０】
一実施形態によれば、プロセッサ５２０は、アクセサリ装置に対応するサービスの識別情報に該当サービスに対応するコンテンツの識別情報をマッピングできる。例えば、プロセッサ５２０は、アクセサリ装置識別情報及びアクセサリ装置識別情報に対応するサービスの識別情報、そして、サービス識別情報に対応するコンテンツの識別情報を関連づけて格納するようにメモリ５３０を制御できる。例えば、プロセッサ５２０は、メモリ５３０に格納された識別情報の関連関係を利用してアクセサリ装置識別情報に対応するサービスの識別情報又はサービス識別情報に対応するコンテンツの識別情報を判別できる。
【００９１】
一実施形態によれば、プロセッサ５２０は、アクセサリ装置に対応するサービス又はサービスと関連づけられたコンテンツを運営するためのサービスポリシー情報を管理できる。例えば、サービスポリシー情報は、アクセサリ装置に対応する少なくとも１つのサービス又はサービスと関連づけられたコンテンツの活性時点、サービス又はサービスと関連づけられたコンテンツの使用権限及びアクセサリ装置の接続解除に対応するサービス又はサービスと関連づけられたコンテンツの処理方式のうち少なくとも１つを含むことができる。例えば、サービスポリシー情報は、１つ以上のサービス識別情報に対応する１つ以上のコンテンツに対して電子装置５０４で表示可否、使用権限制御又はアクセサリ装置の接続解除に対応するコンテンツの変更のうち少なくとも１つを制御するための情報を含む。プロセッサ５２０は、アクセサリ装置に対応するサービスポリシー情報を生成したり変更したり削除することもでき、サービスポリシー情報をサービス識別情報に含むか関連づけて管理できる。したがって、プロセッサ５２０は、アクセサリ装置の識別情報に対応するサービス識別情報によってアクセサリ装置と接続された電子装置５０４に適用するサービスポリシー情報を決定するか、又は電子装置に伝送することもできる。例えば、サービスポリシー情報は、サービス識別情報に対応するサービスを運営（例：活性又は変更、削除、使用権限等）するための情報を含むことができる。
【００９２】
一実施形態によれば、サービス識別情報は、テーマ変更サービス、スケジューラサービス、コンタクト（ｃｏｎｔａｃｔ）サービス、メッセージサービス、ソーシャルネットワークサービス、ゲームサービス、プッシュサービス、ロック画面サービス、壁紙サービス、ＵＩ変更サービス、ブックマークサービス、マルチメディアコンテンツ再生サービス、お好み情報関連サービス、広告サービス、ウェブサービス、又は位置ベースサービスのうち少なくとも１つのサービスを意味する識別子を含むことができる。一例として、サービスの識別情報は、アクセサリ装置のタイプ（例：カバー、イヤホンジャック、充電器、ＨＭＤ、ウォッチ、バッテリ、充電器、有線装置、無線装置タイプ等）又は機能関連固有値をさらに含むことができる。機能関連固有値は、アクセサリ装置に対応する機能範ちゅう別に構造化されたり乱数値を利用することができ、暗号化されるか、又はエラー復元が可能な冗長コード（ｒｅｄｕｎｄａｎｃｙ  ｃｏｄｅ）を含むことができる。機能固有値はアクセサリ装置と関連づけられたコンテンツと関連づけられた機能の識別情報を含むことができる。例えば、機能関連固有値は、コンテンツがマルチメディアであれば、該当マルチメディアコンテンツを再生できるプレイヤー関連情報（例：プレイヤーアプリケーション、ウェブブラウザ、解像度、サポートコーデック等）に対応する情報を含むことができる。例えば、機能関連固有値は位置ベースサービスのために、電子装置５０４でコンテンツが表示されることができる位置の範囲を識別するための位置情報を含むことができる。例えば、機能固有値は、メディア種類、アプリケーション、時間、場所、電子装置５０４の能力（ｃａｐａｂｉｌｉｔｙ）情報、サービスポリシー情報、ユーザグループ情報、ユーザアカウント情報のうち１つ以上を含むことができる。
【００９３】
一実施形態によれば、プロセッサ５２０は、電子装置に接続されたアクセサリ装置を認証できる。例えば、プロセッサ５２０は、通信インタフェース５７０を介して電子装置５０４から提供されたアクセサリ装置の識別情報又はセキュリティ情報のうち少なくとも１つに基づいて該当アクセサリ装置に対する認証を行うことができる。例えば、プロセッサ５２０は、電子装置５０４から提供された生体認証関連値に基づいてアクセサリ装置に対する認証を行うことができる。プロセッサ５２０は、認証を行った結果（成功又は失敗）を電子装置５０４又は電子装置５０４及び第２装置５０２に伝送するように通信インタフェース５７０を制御できる。
【００９４】
一実施形態によれば、プロセッサ５２０は、電子装置５０４に接続されたアクセサリ装置を認証成功した場合、アクセサリ装置の識別情報に対応するサービスを決定できる。例えば、プロセッサ５２０は、メモリ５３０に格納されたサービスリストから電子装置５０４に接続されたアクセサリ装置の識別情報に対応するサービスの識別情報を検出できる。プロセッサ５２０は、サービス識別情報に対応するコンテンツの識別情報を追加的に検出できる。一例として、プロセッサ５２０は、アクセサリ装置が接続された電子装置の識別情報（例：ユーザＩＤ又はデバイスＩＤ）を追加的に考慮してアクセサリ装置に対応するサービスの識別情報を検出できる。例えば、プロセッサ５２０は、アクセサリ装置が接続された電子装置５０４の識別情報によって該当装置に適した解像度を提供するコンテンツに対応するコンテンツ識別情報又は前記コンテンツ識別情報に対応するサービス識別情報を検出できる。例えば、デバイスＩＤは、電子装置の能力（ｃａｐａｂｉｌｉｔｙ）情報を識別できる識別情報であって、電子装置５０４の能力を判別できる情報（例：モデル名）を含むことができる。電子装置５０４の能力は大きさ、形状、入出力装置の種類と位置、ディスプレイ解像度、処理速度、通信モジュール、通信速度及びメモリ可用容量などのようなハードウェア仕様又はソフトウェアバージョン及び互換性のようなソフトウェア仕様を含むことができる。例えば、プロセッサ５２０は、アクセサリ装置が接続された電子装置５０４の識別情報としてユーザＩＤを受信し、ユーザＩＤに基づいて該当装置のユーザプロファイル情報を確認することができる。プロセッサ５２０は、該当装置のユーザプロファイル情報に基づいて該当ユーザの年齢に適したコンテンツを選択し、該当コンテンツに符合するコンテンツ識別情報又はコンテンツ識別情報に対応するサービス識別情報を検出できる。
【００９５】
一実施形態によれば、プロセッサ５２０は、サービス識別情報又はコンテンツ識別情報のうち少なくとも１つを電子装置５０４又は第２装置５０２のうち少なくとも１つに伝送するように通信インタフェース５７０を制御できる。プロセッサ５２０は、サービス識別情報に基づいてコンテンツ識別情報を選択できる。
【００９６】
一実施形態によれば、プロセッサ５２０は、アクセサリ装置が接続された電子装置５０４のコンテンツ提供を制御できる。例えば、プロセッサ５２０は、電子装置５０４からコンテンツ要求信号を受信した場合、コンテンツ要求信号に含まれるコンテンツ識別情報に対応するコンテンツを検出できる。プロセッサ５２０は、コンテンツ要求信号に対応するコンテンツを電子装置に伝送するように通信インタフェース５７０を制御できる。例えば、プロセッサ５２０は、電子装置５０４から提供された電子装置５０４の状態情報（例：位置、時間、コンテンツバージョン）とアクセサリ装置と関連づけられたコンテンツ識別情報（例：コンテンツのサービスポリシー情報）に基づいてコンテンツの変更又は活性可否を決定できる。プロセッサ５２０は、コンテンツの変更又は活性情報を電子装置５０４に伝送するように通信インタフェース５７０を制御できる。一例として、プロセッサ５２０は、コンテンツ選択のための付加情報に基づいて同じコンテンツ識別情報に対して異なるコンテンツを検出できる。例えば、プロセッサ５２０は、同じコンテンツ識別情報に対応する多数個のコンテンツのうち電子装置５０４によってコンテンツが選択された時間又は電子装置５０４の位置情報に基づいて少なくとも１つのコンテンツを選択できる。
【００９７】
一実施形態によれば、プロセッサ５２０は、アクセサリ装置に対応するサービスをアップデートするように制御できる。例えば、プロセッサ５２０は、第２装置５０２から特定アクセサリ装置のサービスアップデート情報（例：コンテンツ変更通知、変更されたサービスポリシー）を受信した場合、アクセサリ装置が接続された電子装置５０４が存在するかを確認することができる。プロセッサ５２０は、アクセサリ装置が接続された電子装置５０４が存在する場合、該当電子装置５０４にサービスアップデート情報を伝送できる。
【００９８】
一実施形態によれば、プロセッサ５２０は、電子装置５０４からアクセサリ接続解除情報を受信した場合、アクセサリ装置に対応するコンテンツに対する電子装置５０４の処理を制御できる。例えば、プロセッサ５２０は、アクセサリ接続解除情報を受信した場合、アクセサリ装置に対応するサービスポリシー情報を検出できる。プロセッサ５２０は、サービスポリシー情報に含まれたコンテンツ処理方式情報を該当電子装置５０４に伝送するように通信インタフェース５７０を制御できる。一実施形態によれば、プロセッサ５２０は、電子装置５０４からアクセサリ接続解除情報を受信した場合、第２装置５０２にアクセサリ接続解除情報を伝達して、第２装置５０２で電子装置５０４に提供するコンテンツをサービスポリシー情報に応じて制御することもできる。例えば、第２装置５０２は、サービスポリシー情報に応じて電子装置５０４で使用するサービスを制御する信号を電子装置５０４に伝送することもできる。
【００９９】
メモリ５３０は、揮発性及び／又は不揮発性メモリを含むことができる。メモリ５３０は、例えば、第１装置５０１の少なくとも１つの他の構成要素に関連付けられた命令又はデータを格納することができる。
【０１００】
入出力インタフェース５５０は、例えば、ユーザ又は他の外部機器から入力された命令又はデータを第１装置５０１の他の構成要素に伝達できるインタフェースの役割を行うことができる。
【０１０１】
通信インタフェース５７０は、例えば、第１装置５０１と外部装置（例：第２装置５０２、電子装置５０４、又はサーバ５０６）の間の通信を設定できる。例えば、通信インタフェース５７０は、無線通信又は有線通信を介してネットワーク５７２に接続されて外部装置（例：電子装置５０４又はサーバ５０６）と通信できる。
【０１０２】
本発明の多様な実施形態によれば、第１装置５０１は、ユーザに各種コンテンツ（例：テキスト、イメージ、ビデオ、アイコン、及び／又はシンボル等）を表示するためのディスプレイをさらに含むことができる。
【０１０３】
本発明の多様な実施形態によれば、電子装置は、ユーザインタフェースと、通信回路と、前記ユーザインタフェース、及び前記通信回路と電気的に接続されたプロセッサと、前記プロセッサと電気的に接続され、少なくとも１つのアクセサリ装置と関連づけられた少なくとも１つのポリシー情報を格納するメモリと、を含み、前記メモリは、実行時に、前記プロセッサが、前記通信回路を用いて、前記少なくとも１つのアクセサリ装置と接続を形成し、前記少なくとも１つのアクセサリ装置と異なる外部電子装置から、前記少なくとも１つのアクセサリ装置と関連づけられたコンテンツを受信し、前記メモリ格納された少なくとも１つのポリシー情報の少なくとも一部に基づいて、前記受信されたコンテンツの少なくとも一部を、前記ユーザインタフェースを介して出力するようにするインストラクションを格納することができる。
【０１０４】
多様な実施形態によれば、前記ユーザインタフェースは、ディスプレイ、又はスピーカを含み、前記出力は、前記ディスプレイを介して壁紙、メニュー、アイコン、又は通知を表示すること、又は前記スピーカを介して音響を出力することを含むことができる。
【０１０５】
多様な実施形態によれば、前記インストラクションは、前記プロセッサが、前記通信回路を用いて、前記格納された少なくとも１つのポリシー情報を前記アクセサリ装置、又は前記外部電子装置から受信することができる。
【０１０６】
多様な実施形態によれば、前記インストラクションは、前記プロセッサが、前記通信回路を用いて、前記少なくとも１つのアクセサリ装置からアクセサリ装置の識別情報を受信し、前記受信されたアクセサリ装置の識別情報の少なくとも一部に基づいて、前記コンテンツに対する要求を前記外部電子装置に伝送できる。
【０１０７】
多様な実施形態によれば、前記インストラクションは、前記プロセッサが、前記通信回路を用いて、前記電子装置と関連づけられた電子装置識別情報、又は前記電子装置のユーザのアカウント情報を外部電子装置に伝送し、前記外部電子装置から、前記電子装置識別情報、又は前記アカウント情報に対応するコンテンツを受信することができる。
【０１０８】
多様な実施形態によれば、前記インストラクションは、前記プロセッサが、前記通信回路を用いて、前記電子装置と関連づけられた属性情報を前記外部電子装置に伝送し、前記外部電子装置から、前記属性情報に対応するコンテンツを受信することができる。
【０１０９】
多様な実施形態によれば、前記属性情報は、前記プロセッサの処理速度、前記通信回路の通信速度、前記メモリの可用容量、前記メモリに格納されたソフトウェアの互換性、前記電子装置に含まれたセンサ、又は前記ユーザインタフェースの種類、大きさ、解像度、又は形態のうち少なくとも１つと関連づけられた情報を含むことができる。
【０１１０】
多様な実施形態によれば、前記インストラクションは、前記プロセッサが、前記通信回路を用いて、前記少なくとも１つのアクセサリ装置と接続を解除し、前記少なくとも１つのポリシー情報の少なくとも一部に基づいて、前記コンテンツの少なくとも一部の出力を維持又は中断できる。
【０１１１】
多様な実施形態によれば、前記少なくとも１つのポリシー情報は、前記コンテンツと関連づけられた第１ポリシー情報、又は前記コンテンツ及び前記外部電子装置から受信された他のコンテンツと関連づけられた第２ポリシー情報を含むことができる。
【０１１２】
本発明の多様な実施形態によれば、電子装置は、ユーザインタフェースと、通信回路と、前記ユーザインタフェース、及び前記通信回路と電気的に接続されたプロセッサと、前記プロセッサと電気的に接続されたメモリと、を含み、前記メモリは、実行時に、前記プロセッサが、前記通信回路を用いて、前記少なくとも１つのアクセサリ装置と接続を形成し、前記通信回路を用いて、前記電子装置と関連づけられた属性情報を前記少なくとも１つのアクセサリ装置と異なる外部電子装置に伝送し、前記外部電子装置から前記属性情報に対応するコンテンツを受信し、前記受信されたコンテンツを前記ユーザインタフェースを介して出力するようにするインストラクションを格納することができる。
【０１１３】
本発明の多様な実施形態によれば、電子装置は、ユーザインタフェースと、通信回路と、前記ユーザインタフェース、及び前記通信回路と電気的に接続されたプロセッサと、及び前記プロセッサと電気的に接続されたメモリと、を含み、前記メモリは、実行時に、前記プロセッサが、前記通信回路を用いて、前記少なくとも１つのアクセサリ装置と接続を形成し、前記通信回路を用いて、前記少なくとも１つのアクセサリ装置と関連づけられたアクセサリ装置の識別情報を前記アクセサリ装置から受信し、前記受信されたアクセサリ装置の識別情報の少なくとも一部に基づいて、前記少なくとも１つのアクセサリ装置と異なる外部電子装置にコンテンツを要求し、前記外部電子装置から前記コンテンツを受信し、前記受信されたコンテンツを前記ユーザインタフェースを介して出力するようにするインストラクションを格納することができる。
【０１１４】
本発明の多様な実施形態によれば、アクセサリコンテンツ制御装置は、通信インタフェース及び少なくとも１つのプロセッサを含み、前記プロセッサは、前記通信インタフェースを介して、電子装置に接続されたアクセサリ装置の識別情報を受信した場合、前記アクセサリ装置の識別情報の認証を行い、前記アクセサリ装置の識別情報を認証成功した場合、前記アクセサリ装置に対応するコンテンツを設定し、前記アクセサリ装置に対応するコンテンツ情報を前記電子装置に伝送するように前記通信インタフェースを制御できる。
【０１１５】
多様な実施形態によれば、前記プロセッサは、前記アクセサリ装置の識別情報に基づいて前記アクセサリ装置の重複使用の有無を判断し、前記アクセサリ装置が重複使用されている場合、前記アクセサリ装置に対応するコンテンツの使用を制限できる。
【０１１６】
多様な実施形態によれば、前記プロセッサは、前記アクセサリ装置の識別情報と前記電子装置の識別情報に基づいて前記アクセサリ装置が有効かを確認し、前記アクセサリ装置が有効でないと判断した場合、前記アクセサリ装置に対応するコンテンツの使用を制限できる。
【０１１７】
多様な実施形態によれば、前記プロセッサは、前記アクセサリ装置の識別情報を認証成功した場合、前記アクセサリ装置に対応するコンテンツ及び前記コンテンツのサービスポリシー情報を設定できる。
【０１１８】
多様な実施形態によれば、前記プロセッサは、前記電子装置からアクセサリ接続解除情報を受信した場合、前記コンテンツのサービスポリシー情報に基づいて前記アクセサリ装置に対応するコンテンツの処理方案を決定し、前記コンテンツの処理方案を前記電子装置に伝送するように前記通信インタフェースを制御できる。
【０１１９】
多様な実施形態によれば、前記プロセッサは、前記アクセサリ装置の識別情報を認証成功した場合、サービス提供装置に前記アクセサリ装置の識別情報を伝送するように前記通信インタフェースを制御できる。
【０１２０】
多様な実施形態によれば、メモリをさらに含み、前記プロセッサは、前記電子装置からコンテンツ要求信号を受信した場合、前記メモリから前記コンテンツ要求信号に対応するコンテンツを検出し、前記コンテンツ要求信号に対応するコンテンツを前記電子装置に伝送するように前記通信インタフェースを制御できる。
【０１２１】
多様な実施形態によれば、前記プロセッサは、前記アクセサリ装置の識別情報を認証成功した場合、前記アクセサリ装置に対応するサービスタイプに基づいてグループを生成し、前記グループ情報を前記電子装置又はサービス提供装置に伝送するように前記通信インタフェースを制御できる。
【０１２２】
多様な実施形態によれば、前記プロセッサは、前記アクセサリ装置の識別情報を認証成功した場合、前記電子装置の識別情報を確認し、前記電子装置の識別情報及び前記アクセサリ装置に対応するサービスタイプに基づいてグループを生成し、前記グループ情報を前記電子装置又はサービス提供装置に伝送するように前記通信インタフェースを制御できる。
【０１２３】
多様な実施形態によれば、サービスポリシー情報は、前記電子装置と前記アクセサリ装置の接続情報に基づいて提供されるコンテンツ品質、使用権限、又はコンテンツの処理方案のうち少なくとも１つを含むことができる。
【０１２４】
図６は、本発明の多様な実施形態に係るシステムでアクセサリ装置に対応するサービスを提供するための信号のフローチャートの一例を示す。
【０１２５】
図６を参照すると、第２装置６３０は、第１装置６２０に接続して電子装置６００に接続可能なアクセサリ装置６１０の識別情報及び該当アクセサリ装置６１０に対応するサービス情報（例：サービス識別情報又はコンテンツ識別情報のうち少なくとも１つ）を登録できる（図６の６４１）。一実施形態によれば、第２装置６３０は、第１装置６２０から電子装置６００に接続可能なアクセサリ装置６１０の識別情報を含めて表示する情報（例：サービス情報登録のためのウェブページやデータベース入力インタフェース）を受信することができる。第２装置６３０は、アクセサリ装置６１０の識別情報に対応するサービス情報を電子装置６００に接続可能なアクセサリ装置６１０の識別情報を含めて表示する情報を用いて入力することによって、該当サービス情報を登録（例：サービスリストに格納）できる。
【０１２６】
電子装置６００は、電子装置６００に接続されたアクセサリ装置６１０からアクセサリ装置６１０の識別情報を受信することができる（図６の６４３）。例えば、電子装置６００は、アクセサリ装置から受信される信号の受信強度及び少なくとも１つのセンサを介して獲得したセンサデータに基づいてアクセサリ装置の識別情報に対する有効性を確認することができる。例えば、電子装置６００は、電子装置６００に正常に接続されたか、アクセサリ装置６１０の識別情報が所定の規則（例：データフィールド、認証）を満足する場合、アクセサリ装置６１０の識別情報を有効であると判断できる。図示していない一実施形態によれば、アクセサリ装置６１０の識別情報にセキュリティ情報を含み、セキュリティ情報を用いてアクセサリ装置６１０の有効性を判断することもできる。
【０１２７】
電子装置６００は、電子装置６００に接続されたアクセサリ装置６１０の識別情報を第１装置６２０に伝送できる（図６の６４５）。一例として、電子装置６００は、電子装置６００のユーザＩＤ、デバイスＩＤ、アクセサリ装置６１０のセキュリティ情報又はアクセサリ装置６１０のサービス識別情報のうち少なくとも１つの付加情報を第１装置６２０に伝送することもできる。例えば、電子装置６００は、アクセサリ装置６１０の識別情報と付加情報を１つの信号で伝送したり互いに異なる信号に分離して伝送できる。
【０１２８】
第１装置６２０は、電子装置６００から提供されたアクセサリ装置６１０の識別情報又はセキュリティ情報に基づいて該当アクセサリ装置６１０を認証できる（図６の６４７）。
【０１２９】
一実施形態によれば、第１装置６２０は、アクセサリ装置６１０を認証成功した場合、アクセサリ装置６１０の識別情報に対応するコンテンツを検出できる（図６の６４９）。例えば、第１装置６２０は、アクセサリ装置６１０を認証成功した場合、アクセサリ装置６１０の識別情報に対応するサービス識別情報を検出できる。第１装置６２０は、サービス識別情報に対応する少なくとも１つのコンテンツ識別情報のうち電子装置６００に対応するコンテンツ識別情報を検出できる。例えば、第１装置６２０は、電子装置６００の識別情報に基づいてサービス識別情報に対応する少なくとも１つのコンテンツ識別情報のうち電子装置６００に対応するコンテンツ識別情報を選択できる。
【０１３０】
第１装置６２０は、アクセサリ装置６１０に対応するコンテンツ情報を電子装置６００に伝送できる（図６の６５１）。例えば、第１装置６２０は、アクセサリ装置６１０の認証情報及びアクセサリ装置６１０に対応するコンテンツの識別情報を電子装置６００に伝送できる。例えば、第１装置６２０は、認証情報とコンテンツ識別情報を１つの信号で伝送したり互いに異なる信号に分離して伝送できる。例えば、第１装置６２０は、アクセサリ装置６１０を認証成功した場合、アクセサリ装置６１０の識別情報に対応するサービス識別情報を検出して電子装置６００に伝送することによって、コンテンツ識別情報又はコンテンツのサービスポリシー情報を伝達することもできる。
【０１３１】
電子装置６００は、第１装置６２０から提供された認証情報及びコンテンツ識別情報に基づいてコンテンツ識別情報に対応する少なくとも１つのコンテンツのサービスポリシーを決定できる。例えば、電子装置６００は、第１装置６２０から提供された認証情報（例：認証成功情報）が有効であると判断した場合、コンテンツ識別情報に対応するコンテンツがインストール可能であると判断できる。例えば、電子装置６００は、電子装置６００にコンテンツ識別情報に対応するコンテンツが予めインストールされた場合、該当コンテンツをインストールしないと判断できる。一例として、電子装置６００は、電子装置６００にインストールされたコンテンツ識別情報に対応するコンテンツのバージョンとコンテンツ識別情報に含まれたバージョンが互いに異なる場合、該当コンテンツをインストールすると判断できる。
【０１３２】
一実施形態によれば、第１装置６２０は、アクセサリ装置６１０を認証（図６の６４７）した後、その結果を電子装置６００に伝送できる。この時、電子装置６００は、受信した結果を基に認証が成功したと判断すると、アクセサリ装置６１０の識別情報に対応するサービス識別情報を電子装置６００のメモリから検出することもできる（図示せず）。一実施形態によれば、第１装置６２０は、アクセサリ装置６１０を認証（図６の６４７）した後、その結果を電子装置６００に伝送できる。この時、電子装置６００は受信した結果を基に認証が成功したと判断すると、アクセサリ装置６１０の識別情報に対応するサービス識別情報をアクセサリ装置６１０に要求し、アクセサリ装置６１０から通信インタフェースを介して受信することもできる（図示せず）。一実施形態によれば、電子装置６００は、アクセサリ装置６１０の識別情報に対応するサービス識別情報に対応するコンテンツ識別情報を確認することができる。
【０１３３】
電子装置６００は、コンテンツ識別情報に対応するコンテンツをインストールすると判断した場合、第１装置６２０にコンテンツ要求信号を伝送できる（図６の６５３）。第１装置６２０は、電子装置６００の要求に基づいてコンテンツ要求信号に対応するコンテンツを検出して電子装置６００に伝送できる（図６の６５５）。
【０１３４】
電子装置６００は、第１装置６２０から提供されたコンテンツをインストールしてサービス画面を表示できる（図６の６５７）。例えば、電子装置６００は、電子装置６００の状態情報（例：時間、位置等）に対応するようにコンテンツを動的に出力できる。
【０１３５】
電子装置６００は、アクセサリ装置６１０の接続解除を検出した場合（図６の６５９）、第１装置６２０にアクセサリ装置６１０の接続解除情報を伝送できる（図６の６６１）。一実施形態によれば、電子装置６００は、アクセサリ装置６１０の接続解除を検出した場合（図６の６５９）、第２装置６３０にアクセサリ装置６１０の接続解除情報を伝送できる（図示せず）。一実施形態によれば、第１装置６２０は、電子装置６００からアクセサリ装置６１０の接続解除情報を受信すると、第２装置６３０に接続解除情報を伝送することもできる（図６の６６１）。
【０１３６】
一実施形態によれば、第１装置６２０は、アクセサリ装置６１０に対応するコンテンツのサービスポリシーからアクセサリ装置６１０の接続解除に対応するコンテンツ処理方案を検出できる。第１装置６２０は、アクセサリ装置６１０の接続解除に対応するコンテンツ処理方案を電子装置６００に伝送できる（図６の６６３）。例えば、コンテンツ処理方案はコンテンツに対するサービス制限情報及びコンテンツデータの削除可否に関する情報を含むことができる。
【０１３７】
電子装置６００は、第１装置６２０から提供されたコンテンツ処理方案に基づいてコンテンツの全体又は少なくとも一部を削除又は非活性化できる（図６の６６５）。この場合、電子装置６００は、コンテンツに対応するサービス制限情報をディスプレイに表示できる。
【０１３８】
図示していない一実施形態によれば、電子装置６００は、アクセサリ装置６１０から受信したり、又は電子装置６００のメモリに格納されたアクセサリ装置６１０に対応するコンテンツのサービスポリシー情報からアクセサリ装置６１０の接続解除に対応するコンテンツ処理方案を検出できる。また、電子装置６００は、第１装置６２０又は第２装置６３０から受信したサービスポリシー情報に基づいて電子装置６００に格納されたサービスポリシー情報をアップデートすることもできる。
【０１３９】
図７は、本発明の多様な実施形態に係る第１装置でアクセサリ装置に対応するサービスを登録するフローチャートを示す。以下の説明で、第１装置は、図５の第１装置５０１又は第１装置５０１の少なくとも一部（例：プロセッサ５２０）を含むことができる。
【０１４０】
図７を参照すると、第１装置（例：プロセッサ５２０）は、動作７０１にて、第２装置（例：図６の第２装置６３０）の情報をアクセサリに対応するサービスを提供するための装置として登録できる。例えば、プロセッサ５２０は、第２装置６３０の要求に応じて第２装置６３０を第１装置５０１を介してアクセサリに対応するサービスを提供できる装置として登録できる。例えば、プロセッサ５２０は、第２装置６３０を区分できる識別情報を第２装置６３０に割り当てることができる。例えば、プロセッサ５２０は、第２装置６３０の識別情報（例：加入者識別子、コンテンツ提供者識別子（ＣＰ  ＩＤ）、サービス業体識別子、アクセサリ識別情報、装置のネットワークアドレス、ＭＡＣアドレス、又は装置シリアル番号のうち１つ以上）を含むようにサービス装置リストをアップデートできる。例えば、サービス装置リストは、第１装置５０１を介してアクセサリに対応するサービスを提供できる少なくとも１つの装置のリストを含むことができる。
【０１４１】
第１装置（例：プロセッサ５２０）は、動作７０３にて、第２装置からコンテンツ登録要求信号が受信されたかを確認することができる。例えば、プロセッサ５２０は、通信インタフェース５７０を介して、コンテンツ登録要求信号を受信した場合、コンテンツ登録要求信号を伝送した第２装置の識別情報が第１装置５０１のサービス装置リストに含まれるかを確認することができる。プロセッサ５２０は、コンテンツ登録要求信号を伝送した第２装置の識別情報が第１装置５０１のサービス装置リストに含まれる場合、コンテンツ登録要求信号が受信されたと判断できる。一実施形態によれば、第１装置（例：プロセッサ５２０）は、サービスリストにアクセサリ装置の識別情報が第２装置５０２，６３０の識別情報と関連づけられて登録されているが、コンテンツ識別情報が関連づけられて登録されていないか、または所定期間以上アップデートされていない場合、第２装置５０２，６３０にコンテンツ登録要求信号を伝送して第２装置５０２，６３０から応答信号が受信されたかを確認することもできる。例えば、第１装置（例：プロセッサ５２０）は、アクセサリ装置が接続された電子装置５０４，６００からアクセサリ識別情報を受信した後、サービスリストにアクセサリ装置の識別情報があるが、コンテンツ識別情報が関連づけられて登録されていなかったり、所定期間以上アップデートされていない場合、第２装置５０２，６３０にコンテンツ登録要求信号を伝送して、第２装置５０２，６３０から応答信号が受信されたかを確認することもできる。
【０１４２】
第１装置（例：プロセッサ５２０）は、動作７０５にて、第２装置からコンテンツ登録要求信号に対応する信号（例：コンテンツ、コンテンツ識別情報、サービス識別情報のうち少なくとも１つ）が受信された場合、コンテンツに対応するアクセサリ装置のサービスを登録できる。例えば、プロセッサ５２０は、コンテンツを提供するためのアクセサリ装置の識別情報と第２装置から受信したコンテンツの識別情報とをマッチさせることができる。プロセッサ５２０は、アクセサリ装置のサービス識別情報を第２装置から受信したコンテンツ登録要求信号に対応する信号に基づいて生成することができる。例えば、第１装置は、加入者識別情報、コンテンツ提供者識別情報（ＣＰ  ＩＤ）、サービス業体識別情報、サービス識別情報、付加情報、認証情報のうち少なくとも１つを用いてアクセサリ装置識別情報を生成するために利用できる。
【０１４３】
第１装置（例：プロセッサ５２０）は、動作７０７にて、アクセサリ装置に対応するコンテンツに関するサービスポリシー情報を設定できる。例えば、プロセッサ５２０は、第２装置６３０とのネゴシエーションを介して、アクセサリ装置に対応するコンテンツの活性時点、コンテンツアップデート、コンテンツ変更、電子装置状態情報に基づいたコンテンツ制御、アクセサリ装置タイプ又は付加情報によるコンテンツ制御、電子装置状態情報に基づいたコンテンツ制御、コンテンツ使用権限、ユーザ又は電子装置能力によるコンテンツ制御、サービスアップデート情報、又はアクセサリ装置の接続解除に対応するサービス処理方式のうち少なくとも１つを含むようにアクセサリ装置に対応するコンテンツに関するサービスポリシー情報を設定できる。
【０１４４】
図８は、本発明の多様な実施形態に係る電子装置でアクセサリ装置に対応するサービスを提供するためのフローチャートを示す。以下の説明で、電子装置は、図２の電子装置２０１又は電子装置２０１の少なくとも一部（例：プロセッサ２２０）を含むことができる。
【０１４５】
図８を参照すると、電子装置（例：プロセッサ２２０）は、動作８０１にて、アクセサリ装置の識別情報が検出されたかを確認することができる。例えば、プロセッサ２２０は、入出力インタフェース２５０又は通信インタフェース２７０を介して接続されたアクセサリ装置の識別情報が検出されたかを確認することができる。
【０１４６】
電子装置（例：プロセッサ２２０）は、動作８０３にて、アクセサリ装置の識別情報を検出した場合、アクセサリ装置の属性情報（例：アクセサリ装置の識別情報）を第１装置（例：図６の第１装置６２０）に伝送できる。例えば、プロセッサ２２０は、アクセサリ装置の識別情報を検出した場合、アクセサリ装置の識別情報が有効であるかを判断できる。例えば、プロセッサ２２０は、アクセサリ装置に受信される信号の受信強度、信号の受信強度の変化、アクセサリ装置のタイプ、又は電子装置２０１に電気的に接続された少なくとも１つのセンサのセンサデータに基づいてアクセサリ装置の識別情報が有効であるかを判断できる。プロセッサ２２０は、アクセサリ装置の識別情報が有効であると判断した場合、アクセサリ装置の識別情報を第１装置６２０に伝送するように通信インタフェース２７０を制御できる。プロセッサ２２０は、アクセサリ装置の識別情報が有効な場合、電子装置２０１に対応するアクセサリタイプのアクセサリ装置が正常に接続されたと判断できる。
【０１４７】
一実施形態によれば、プロセッサ２２０は、アクセサリ装置の識別情報とともに付加情報を第１装置に伝送するように通信インタフェース２７０を制御できる。一実施形態によれば、プロセッサ２２０は、付加情報が含まれたアクセサリ装置の識別情報を第１装置６２０に伝送するように通信インタフェース２７０を制御できる。一実施形態によれば、プロセッサ２２０は、アクセサリ装置の識別情報と他の別途の付加情報を互いに異なる時間に第１装置６２０に伝送するように通信インタフェース２７０を制御できる。例えば、付加情報は、電子装置６００のユーザＩＤ、デバイスＩＤ、アクセサリ装置６１０のセキュリティ情報、アクセサリ装置６１０のタイプ、アクセサリ装置６１０に対応するサービスタイプ、アクセサリ装置６１０に対応するサービス識別情報又はアクセサリ装置６１０のサービス識別情報のうち少なくとも１つを含むことができる。例えば、付加情報は、アクセサリ装置６１０と関連づけて第１装置６２０に登録された第２装置６３０のコンテンツ提供者の識別子（ＣＰ  ＩＤ）、サービス業体識別子、アクセサリ装置６１０が接続された電子装置６００に提供するコンテンツバージョン情報（例：オペレーティングシステム、ソフトウェアバージョン）、アクセサリタイプ、又はサービスタイプのうち１つ以上をさらに含むことができる。サービスタイプは、アクセサリ装置６１０と関連づけられたサービスのタイプ情報を意味し、例えば、セットアップウィザード機能連動、テーマ連動、ゲームバフ機能、プッシュサービス機能、グループ機能のうち１つ以上を示す識別情報を含むこともできる。
【０１４８】
電子装置（例：プロセッサ２２０）は、動作８０５にて、アクセサリ装置の認証が成功したかを確認することができる。例えば、プロセッサ２２０は、通信インタフェース２７０を介して第１装置６２０から認証情報を受信した場合、認証情報が有効であるかを確認することができる。例えば、プロセッサ２２０は、第１装置６２０から受信した認証情報が認証成功に対応する情報である場合、該当認証情報が有効であると判断できる。例えば、プロセッサ２２０は、第１装置６２０から受信した認証情報がアクセサリ装置６１０の識別情報に対応するサービス識別情報又はコンテンツ識別情報のうち少なくとも１つを含む場合、該当認証情報が有効であると判断できる。例えば、プロセッサ２２０は、第１装置６２０から受信した認証情報にアクセサリ装置６１０の識別情報が含まれる場合、該当認証情報が有効であると判断できる。例えば、プロセッサ２２０は、アクセサリ装置６１０の認証のために第１装置６２０に伝送した第１認証キーに基づいて生成した第２認証キーと第１装置６２０から受信した認証情報とが同じ場合、該当認証情報が有効であると判断できる。プロセッサ２２０は、第１装置６２０から提供された認証情報が有効な場合、認証情報に含まれた認証結果を確認することができる。例えば、プロセッサ２２０は、第１装置６２０から提供された認証情報が有効であると判断した場合、第１装置６２０に認証情報に対する応答信号を伝送できる。
【０１４９】
一実施形態によれば、電子装置（例：プロセッサ２２０）は、動作８０７にて、アクセサリ装置の認証に成功した場合、アクセサリ装置に対応するコンテンツ（又はサービス）を受信することができる。例えば、プロセッサ２２０は、アクセサリ装置６１０を認証成功した場合、第１装置６２０にコンテンツ要求信号を伝送するように通信インタフェース２７０を制御できる。プロセッサ２２０は、第１装置６２０からコンテンツ要求信号に対応するコンテンツを受信することができる。一実施形態によれば、プロセッサ２２０は、アクセサリ装置６１０を認証成功した場合、第１装置６２０から提供されたコンテンツ識別情報（又はサービス識別情報）に対応するアプリケーション又は機能を確認することができる。プロセッサ２２０は、アプリケーションのインストール可否及びバージョン情報に基づいてコンテンツの要求可否を決定できる。プロセッサ２２０は、コンテンツを要求すると決定した場合、第１装置６２０又は第２装置６３０にコンテンツ要求信号を伝送するように通信インタフェース２７０を制御できる。そのために、プロセッサ２２０は、サービス識別情報を用いてコンテンツ要求信号を伝送する装置を決定することもできる。
【０１５０】
電子装置（例：プロセッサ２２０）は、動作８０９にて、アクセサリ装置に対応するコンテンツを出力できる。すなわち、電子装置（例：プロセッサ２２０）は、電子装置のユーザインタフェースを介してアクセサリ装置に対応するコンテンツを出力できる。例えば、プロセッサ２２０は、アクセサリ装置に対応するコンテンツに対応するように電子装置２０１のロック画面、壁紙又はＵＩを変更できる。例えば、プロセッサ２２０は、電子装置２０１の連絡先アプリケーションにアクセサリ装置に対応するユーザ（例：芸能人）又はグループの電話番号を追加できる。例えば、連絡先アプリケーションは、アドレス帳、ソーシャルネットワーク連絡先、ビデオ通話アドレス帳又はメッセンジャーのうち少なくとも１つを含むことができる。例えば、プロセッサ２２０は、電子装置２０１のスケジュールアプリケーションにアクセサリ装置に対応する日程（例：誕生日、コンサート日程）を追加できる。例えば、プロセッサ２２０は、アクセサリ装置に対応するコンテンツに基づいて位置ベースサービスを提供できる。例えば、スケジュールアプリケーションはカレンダー又は日程管理アプリケーションを含むことができる。
【０１５１】
一実施形態によれば、電子装置（例：プロセッサ２２０）は、動作８０９にて、アクセサリ装置に対応するサービスポリシー情報に基づいてアクセサリ装置に対応するコンテンツを出力できる。例えば、プロセッサ２２０は、電子装置のメモリ２３０に格納されるか、又は第１装置から提供されたアクセサリ装置に対応するサービスポリシー情報の少なくとも一部に基づいてアクセサリ装置に対応するコンテンツの少なくとも一部をユーザインタフェースを介して出力できる。
【０１５２】
一実施形態によれば、電子装置（例：プロセッサ２２０）は、動作８０７にて、アクセサリ装置の認証に成功した場合、アクセサリ装置に対応するコンテンツ（又はサービス）をアクセサリ装置のメモリから通信インタフェースを介して受信することもできる。
【０１５３】
図９は、本発明の多様な実施形態に係る電子装置でアクセサリ装置に対応するコンテンツを提供するためのフローチャートを示す。図１０Ａ乃至図１０Ｃは、本発明の多様な実施形態に係る電子装置でアクセサリ装置に対応するコンテンツを提供する画面構成を示す。以下の説明は、図８の動作８０７乃至８０９のように、アクセサリ装置に対応するコンテンツを提供するための動作に対して説明する。以下の説明で、電子装置は、図２の電子装置２０１又は電子装置２０１の少なくとも一部（例：プロセッサ２２０）を含むことができる。
【０１５４】
図９を参照すると、電子装置（例：プロセッサ２２０）は、動作９０１にて、アクセサリ装置を認証成功した場合（例：図８の動作８０５）、第１装置からコンテンツ識別情報（又はサービス識別情報）を受信することができる。プロセッサ２２０は、第１装置６２０から提供された認証情報が有効であると判断した場合、第１装置６２０を信頼できると判断できる。例えば、プロセッサ２２０は、第１装置６２０からアクセサリ装置６１０の識別情報に対応して受信した認証情報（例：アクセサリタイプ、コンテンツの種類、又は解像度などのコンテンツ関連情報のうち１つ以上）が電子装置２０１の能力に対応するか、アクセサリ装置６１０から受信したが、第１装置６２０に伝送しなかった情報（例：付加情報、アクセサリ装置タイプ、サービスタイプ情報等）にマッチされる場合、認証情報が有効性があると判断できる。例えば、プロセッサ２２０は、第１装置６２０からアクセサリ装置６１０の識別情報又はセキュリティ情報に対応して認証を行った結果値（例：暗号化されたキー値）を受信し、該当結果値を認証モジュールを用いて検証することによって有効性の有無を判断することもできる。もし、プロセッサ２２０は、第１装置６２０から受信した認証情報が有効であると判断される場合、通信インタフェース２７０を介して第１装置６２０から受信したコンテンツ又はサービス関連情報を信頼できると判断できる。一例として、プロセッサ２２０は、第１装置６２０から提供されたコンテンツ又はサービス関連情報をユーザが確認できるように、映像、オーディオ又はハプティックのうち少なくとも１つの形態で外部に出力するように制御できる。例えば、プロセッサ２２０は、アクセサリ装置６１０に対応するコンテンツ又はアプリケーションと関連づけられた情報（例：名前、バージョン等）を表示するようにディスプレイ２６０を制御できる。プロセッサ２２０は、コンテンツ又はアプリケーションのインストールのための約款、制御権限及び個人情報ポリシーなどの情報を追加的に表示するようにディスプレイ２６０を制御できる。例えば、プロセッサ２２０は、第１装置６２０から提供された認証情報が有効でないと判断した場合、第１装置６２０を信頼できないと判断できる。これにより、プロセッサ２２０は、通信インタフェース２７０を介して第１装置６２０から受信したコンテンツ又はサービス関連情報を廃棄できる。例えば、コンテンツ又はサービス関連情報は、コンテンツの識別情報、アプリケーション名、ＵＲＬなどを含むことができる。
【０１５５】
電子装置（例：プロセッサ２２０）は、動作９０３にて、第１装置から提供されたコンテンツ識別情報に対応するコンテンツをインストールできるかを確認することができる。例えば、プロセッサ２２０は、第１装置から提供されたコンテンツ識別情報（例：コンテンツタイプ情報又は専用アプリケーション識別情報等）に対応するアプリケーション又は機能を確認することができる。プロセッサ２２０は、コンテンツ識別情報に対応するアプリケーション又はコンテンツのインストール可否及びバージョンを確認することができる。例えば、プロセッサ２２０は、コンテンツ識別情報に対応するアプリケーション又はコンテンツがインストールされていない場合、コンテンツ識別情報に対応するアプリケーション又はコンテンツをインストールすると判断できる。例えば、プロセッサ２２０は、コンテンツ識別情報に対応するアプリケーション又はコンテンツのバージョンと第１装置から提供されたバージョンとが互いに異なる場合、コンテンツ識別情報に対応するアプリケーション又はコンテンツをインストールすると判断できる。例えば、プロセッサ２２０は、ＭＩＭＥ（ｍｕｌｔｉｐｕｒｐｏｓｅ  ｉｎｔｅｒｎｅｔ  ｍａｉｌ  ｅｘｔｅｎｓｉｏｎｓ）タイプに基づいて電子装置２０１にインストールされたアプリケーションを識別できる。例えば、プロセッサ２２０は、第１装置から提供されたサービス識別情報に対応するＡＰＩを持つアプリケーションを確認することができる。プロセッサ２２０は、サービス識別情報に対応するアプリケーションのインストール可否及びバージョンに基づいてサービス識別情報に対応するアプリケーションのインストール可否を判断できる。例えば、プロセッサ２２０は、図１０Ａのように、第１装置から提供されたコンテンツ識別情報（又はサービス識別情報）に対応するコンテンツのインストール可否を判断するためのサービス画面１０００を表示するようにディスプレイ２６０を制御できる。例えば、サービス画面１０００は、変更要求ボタン１００２及び変更制限ボタン１００４を含むことができる。プロセッサ２２０は、変更要求ボタン１００２に対する入力を検出した場合、コンテンツ識別情報に対応するコンテンツをインストールすると判断できる。プロセッサ２２０は、変更制限ボタン１００４に対する入力を検出した場合、コンテンツ識別情報に対応するコンテンツのインストールを制限又は保留すると判断できる。
【０１５６】
電子装置（例：プロセッサ２２０）は、動作９０５にて、コンテンツ識別情報に対応するコンテンツをインストールすると判断した場合、コンテンツ要求信号を第１装置６２０に伝送できる。
【０１５７】
電子装置（例：プロセッサ２２０）は、動作９０７にて、第１装置６２０からコンテンツ要求信号に対応するコンテンツを受信することができる。例えば、コンテンツはアプリケーションパッケージ（ＡＰＫ：ａｐｐｌｉｃａｔｉｏｎ  ｐａｃｋａｇｅ）、ライブラリ又はリソース圧縮ファイルの形態であり得る。また、コンテンツはアプリケーション詳細情報（例：バージョン、発行日、サポート言語、デバイス運営ポリシーなど）をさらに含むことができる。例えば、アプリケーション詳細情報は、電子装置にインストールされた該当アプリケーションのインストール可否を判断することもできる。
【０１５８】
電子装置（例：プロセッサ２２０）は、動作９０９にて、第１装置６２０から受信したコンテンツを電子装置にインストールできる。例えば、プロセッサ２２０は、図１０Ｂのように、コンテンツ要求信号に対応するコンテンツのインストール進行状況１０１０を表示するようにディスプレイ２６０を制御できる。例えば、プロセッサ２２０は、電子装置２０１にインストールされたサービスポリシー情報に基づいて、アプリケーションが旧バージョンである場合、該当アプリケーションを削除して新しいバージョンのアプリケーションをインストールできる。
【０１５９】
電子装置（例：プロセッサ２２０）は、動作９１１にて、コンテンツをインストールしないと判断したり、コンテンツ識別情報に対応するコンテンツをインストールした場合、コンテンツの活性可否を決定できる。例えば、プロセッサ２２０は、サービスポリシー情報からコンテンツを活性化するための基準情報を検出できる。プロセッサ２２０は、コンテンツを活性化するための基準情報に対応する電子装置２０１の状態情報（例：時間、位置）が検出されたかを確認することができる。例えば、プロセッサ２２０は、電子装置２０１の状態情報（例：時間、位置）を第１装置６２０又は第２装置６３０に伝送するように通信インタフェース２７０を制御できる。プロセッサ２２０は、通信インタフェース２７０を介して第１装置６２０又は第２装置６３０からコンテンツの活性信号が受信されたかを確認することができる。
【０１６０】
電子装置（例：プロセッサ２２０）は、動作９１３にて、コンテンツを活性化すると決定した場合、コンテンツを出力できる。例えば、プロセッサ２２０は、図１０Ｃのように、アクセサリ装置に対応するテーマのサービス画面１０２０を表示するようにディスプレイ２６０を制御できる。
【０１６１】
一実施形態によれば、電子装置は、アクセサリ装置に対応するサービスタイプに基づいてアクセサリ装置に対応するコンテンツ又はアプリケーションを自動的にインストールできる。例えば、プロセッサ２２０は、アクセサリ装置に対応するコンテンツのサービス識別情報に含まれたサービスタイプがセットアップウィザード（ｓｅｔｕｐ  ｗｉｚａｒｄ）又はテーマサービス関連情報である場合、該当コンテンツ又はアプリケーションを自動的にインストールするように制御できる。すなわち、プロセッサ２２０は、ユーザ入力なしで自動的にコンテンツ要求信号を第１装置６２０に伝送できる。例えば、プロセッサ２２０は、第１装置６２０からアクセサリ装置６１０に対応するアプリケーション識別情報を受信した場合、該当アプリケーションを自動的にインストールしたり、ユーザ入力に基づいてインストールするように制御できる。
【０１６２】
一実施形態によれば、電子装置は、コンテンツ又はアプリケーションの削除又はインストール情報に対する通知情報を出力できる。
【０１６３】
本発明の多様な実施形態によれば、電子装置６００は、第１装置６２０から提供されたコンテンツ識別情報に基づいて該当コンテンツをインストールすることができ、活性化可能な時点で第１装置６２０（又は第２装置６３０）からコンテンツ識別情報に対応するコンテンツを提供されてインストールできる。
【０１６４】
本発明の多様な実施形態によれば、電子装置６００は、アクセサリ装置６１０から提供されたり電子装置６００のメモリにアクセサリ装置６１０と関連づけて予め格納されたコンテンツ識別情報に基づいて該当コンテンツをインストールすることができ、活性化可能な時点又はその以前に第１装置６２０（又は第２装置６３０）からコンテンツ識別情報に対応するコンテンツのうち少なくとも１つ以上を提供されてインストールできる。
【０１６５】
図１１は、本発明の多様な実施形態に係る電子装置で状態情報に基づいてコンテンツを選択的に提供するためのフローチャートの一例を示す。以下の説明は、図９の動作９１１乃至動作９１３のように、アクセサリ装置に対応するコンテンツを提供するための動作に対して説明する。以下の説明で、電子装置は、図２の電子装置２０１又は電子装置２０１の少なくとも一部（例：プロセッサ２２０）を含むことができる。
【０１６６】
図１１を参照すると、電子装置（例：プロセッサ２２０）は、動作１１０１にて、電子装置の状態情報を検出できる。例えば、プロセッサ２２０は、電子装置２０１と電気的に接続された少なくとも１つのセンサを用いて時間情報又は位置情報を検出できる。
【０１６７】
電子装置（例：プロセッサ２２０）は、動作１１０３にて、電子装置の状態情報に基づいてコンテンツの活性化イベントが発生したかを確認することができる。例えば、プロセッサ２２０は、サービスポリシー情報に対応する電子装置２０１の時間又は位置が検出されたかを確認することができる。例えば、プロセッサ２２０は、サービスポリシー情報に対応する電子装置２０１の状態情報を検出した場合、コンテンツの活性化イベントが発生したと判断できる。
【０１６８】
電子装置（例：プロセッサ２２０）は、コンテンツの活性化イベントが発生しなかったと判断した場合、動作１１０１にて、電子装置の状態情報を再度検出できる。例えば、プロセッサ２２０は、周期的に電子装置２０１の状態情報を検出できる。
【０１６９】
電子装置（例：プロセッサ２２０）は、動作１１０５にて、コンテンツの活性化イベントが発生した場合、アクセサリ装置に対応するコンテンツを活性化できる。例えば、プロセッサ２２０は、アクセサリ装置６１０に対応するコンテンツの活性化イベントが発生した場合、コンテンツを提供するためのアプリケーション又は機能を活性化できる。
【０１７０】
電子装置（例：プロセッサ２２０）は、動作１１０７にて、アクセサリ装置に対応するコンテンツのサービス画面を出力できる。例えば、プロセッサ２２０は、特定アーティストのコンサートと関連づけられたカバーが電子装置２０１に装着された場合、第１装置６２０又は第２装置６３０からコンサートと関連づけられたコンテンツ（例：通知情報、スケジューラに対応する日程情報、コンサート関連マルチメディア又はアプリケーション）を受信及びインストールできる。プロセッサ２２０は、電子装置２０１がコンサート時間にコンサート開催場所に位置する場合、コンサートと関連づけられたアプリケーション（例：イベント案内、広告、電光板機能アプリケーション、グループメッセージ）を実行したり、コンサートと関連するように壁紙を変更、マルチメディア再生サービス、又はリアルタイムストリーミングサービスを提供できる。又は、プロセッサ２２０は、コンサート時間に近づいた場合、マップアプリケーションを実行してコンサート場所に対する案内サービスを提供できる。
【０１７１】
多様な実施形態によれば、プロセッサ２２０は、図１１の動作１１０５にて、サービスポリシー情報に対応する電子装置２０１の状態情報を検出した場合、電子装置２０１の状態情報に適したコンテンツを決定して提供することもできる。例えば、プロセッサ２２０は、サービスポリシー情報に基づいて該当時間及び場所でない場合は第１コンテンツを提供し、該当時間及び場所の場合は第２コンテンツを提供するように制御できる。また、プロセッサ２２０は、サービスポリシー情報に基づいて該当時間以前かつ該当場所の場合は第３コンテンツを提供し、該当時間以後かつ該当場所の場合は第４コンテンツを提供するように制御することもできる。例えば、コンテンツの選択は電子装置２０１に接続されたアクセサリ装置６１０に対応するサービスポリシー及び電子装置２０１で感知した状態情報によって決定されることができる。
【０１７２】
図１２は、本発明の多様な実施形態に係る電子装置で状態情報に基づいてコンテンツを選択的に提供するためのフローチャートの他の例を示す。以下の説明は、図９の動作９１１乃至動作９１３のように、アクセサリ装置に対応するコンテンツを提供するための動作に対して説明する。以下の説明で、電子装置は、図２の電子装置２０１又は電子装置２０１の少なくとも一部（例：プロセッサ２２０）を含むことができる。
【０１７３】
図１２を参照すると、電子装置（例：プロセッサ２２０）は、動作１２０１にて、電子装置の状態情報を第１装置に伝送できる。例えば、プロセッサ２２０は、電子装置２０１と電気的に接続された少なくとも１つのセンサを用いて検出した時間情報又は位置情報を周期的に第１装置６２０に伝送できる。例えば、プロセッサ２２０は、電子装置２０１の状態情報が変更される場合、変更された状態情報（例：時間情報又は位置情報）を第１装置６２０に伝送できる。
【０１７４】
電子装置（例：プロセッサ２２０）は、動作１２０３にて、第１装置から活性信号が受信されたかを確認することができる。例えば、プロセッサ２２０は、通信インタフェース２７０を介して第１装置６２０からコンテンツの活性信号が受信されたかを確認することができる。
【０１７５】
電子装置（例：プロセッサ２２０）は、コンテンツの活性信号が受信されない場合、動作１２０１にて、電子装置の状態情報を再度伝送できる。例えば、プロセッサ２２０は、電子装置２０１の状態情報を伝送した時点から基準時間が経過するまで活性信号を受信していない場合、非活性維持信号を受信した場合、コンテンツを非活性状態で維持するように制御できる。プロセッサ２２０は、電子装置２０１の状態情報の伝送のためのイベントが発生するかを確認することができる。プロセッサ２２０は、イベント発生を検出した場合、電子装置２０１の状態情報を第１装置６２０に伝送できる。例えば、電子装置２０１の状態情報の伝送のためのイベントは状態情報の伝送周期又は状態情報の変更可否によって発生し得る。
【０１７６】
電子装置（例：プロセッサ２２０）は、動作１２０５にて、コンテンツの活性信号を受信した場合、電子装置に接続されたアクセサリ装置に対応するコンテンツを活性化できる。
【０１７７】
電子装置（例：プロセッサ２２０）は、動作１２０７にて、アクセサリ装置に対応するコンテンツのサービス画面を出力できる。
【０１７８】
本発明の多様な実施形態によれば、電子装置は、電子装置の状態情報に基づいてコンテンツを非活性化できる。例えば、プロセッサ２２０は、電子装置２０１の状態情報に基づいてアクセサリ装置に対応するコンテンツを活性化できる。プロセッサ２２０は、電子装置２０１の状態情報が変更に基づいて活性化されたコンテンツに対応する電子装置２０１の状態情報が検出されない場合、該当コンテンツを非活性化できる。
【０１７９】
一実施形態によれば、電子装置状態情報の伝送、前記状態情報に基づいたコンテンツの活性化及び非活性化は電子装置のメモリに格納されたサービスポリシー情報に基づいて制御できる。一実施形態によれば、電子装置（例：プロセッサ２２０）は、図１２の動作１２０５にて、コンテンツの活性信号を受信する時、コンテンツ又は該当コンテンツのサービスポリシー情報のうち少なくとも１つを受信して電子装置のメモリに格納することもできる。
【０１８０】
図１３は、本発明の多様な実施形態に係る電子装置でアクセサリ装置に対応するコンテンツをアップデートするためのフローチャートの一例を示す。図１５Ａ乃至図１５Ｄは、本発明の多様な実施形態に係る電子装置でアクセサリ装置に対応するコンテンツをアップデートする画面構成を示す。以下の説明は、図９の動作９１３のように、アクセサリ装置に対応するコンテンツを提供するための動作に対して説明する。以下の説明で、電子装置は、図２の電子装置２０１又は電子装置２０１の少なくとも一部（例：プロセッサ２２０）を含むことができる。
【０１８１】
図１３を参照すると、電子装置（例：プロセッサ２２０）は、動作１３０１にて、アクセサリ装置に対応するコンテンツを活性化した場合（例：図９の動作９１１）、電子装置の状態情報を検出できる。例えば、プロセッサ２２０は、電子装置２０１と電気的に接続された少なくとも１つのセンサを用いて電子装置２０１の時間情報又は位置情報を検出できる。
【０１８２】
電子装置（例：プロセッサ２２０）は、動作１３０３にて、電子装置の状態情報に基づいてアクセサリ装置に対応するコンテンツを出力できる。すなわち、プロセッサ２２０）は、動作１３０３にて、電子装置の状態情報に基づいてアクセサリ装置に対応するコンテンツの出力をコンテンツのサービスポリシー情報に基づいて制御できる。例えば、プロセッサ２２０は、第１装置６２０又は第２装置６３０から多数個のコンテンツを受信することができる。プロセッサ２２０は、アクセサリ装置６１０に対応する多数個のコンテンツのうち電子装置２０１の状態情報に対応するコンテンツを選択できる。プロセッサ２２０は、電子装置２０１の状態情報に対応するコンテンツのサービス画面を表示するようにディスプレイ２６０を制御できる。
【０１８３】
電子装置（例：プロセッサ２２０）は、動作１３０５にて、電子装置の状態情報に基づいてコンテンツアップデートイベントが発生するかを確認することができる。例えば、プロセッサ２２０は、アクセサリ装置６１０に対応する多数個のコンテンツのうち電子装置２０１から出力中のコンテンツと異なるコンテンツに対応する電子装置２０１の状態情報が検出されたかを確認することができる。
【０１８４】
電子装置（例：プロセッサ２２０）は、動作１３０７にて、コンテンツアップデートイベントの発生を検出した場合、電子装置の状態情報に基づいてアクセサリ装置に対応するコンテンツをアップデートできる。例えば、プロセッサ２２０は、電子装置２０１に接続されたアクセサリ装置６１０に対応する多数個のロック画面（例：図１５Ａ乃至図１５Ｄ）を通信インタフェース２７０を介して第１装置６２０又は第２装置６３０から受信することができる。プロセッサ２２０は、図１５Ａのように、アクセサリ装置６１０に対応する多数個の壁紙のうち電子装置２０１の位置情報に対応する第１ロック画面１５００を表示するようにディスプレイ２６０を制御できる。プロセッサ２２０は、電子装置２０１の位置が変更された場合、図１５Ｂのように、アクセサリ装置６１０に対応する多数個のロック画面のうち電子装置２０１の変更された位置情報に対応する第２ロック画面１５１０に電子装置２０１のロック画面を変更するようにディスプレイ２６０を制御できる。
【０１８５】
一実施形態によれば、プロセッサ２２０は、電子装置２０１のロック画面を変更する場合、図１５Ａのように第１ロック画面１５００に表示されたウィジェット１５０２を図１５Ｂのように第２ロック画面１５１０に対応するウィジェット１５１２に変更できる。例えば、図１５Ａのウィジェット１５０２はロック解除、プレイリスト、イメージビューア、ミュージックプレイヤーを選択（例：ディスプレイ上でタッチ入力）して駆動できるサービスショートカットキーを表示（例：アイコン）できる。図１５Ｂのウィジェット１５１２は図１５Ａのウィジェット１５０２に文書編集アプリのサービスショートカットキーをさらに表示している。一実施形態によれば、プロセッサ２２０は、電子装置２０１のロック画面を変更する場合、図１５Ａのように、第１ロック画面１５００に表示されたウィジェット１５０２を図１５Ｃのように、第３ロック画面１５２０でも同一に維持できる（図１５Ｃの１５２２）。例えば、ロック画面の変更又はウィジェットの変更は、プロセッサ２２０で電子装置２０１の状態変化を感知したか、コンテンツ使用権限が変更されるか、又は第１装置６２０でアクセサリ装置６１０に対応するコンテンツのサービスポリシー情報の変更（例：第２電子装置６３０から受信したコンテンツのアップデート）に基づいて行われることができる。
【０１８６】
図１４Ａ乃至図１４Ｈは、本発明の多様な実施形態に係る電子装置でアクセサリ装置に対応するコンテンツをアップデートするためのフローチャートの他の例及びテーマサービス関連画面のコンテンツ構成を示す。以下の説明は、図９の動作９１３のように、アクセサリ装置に対応するコンテンツを提供するための動作に対して説明する。以下の説明で、電子装置は、図２の電子装置２０１又は電子装置２０１の少なくとも一部（例：プロセッサ２２０）を含むことができる。
【０１８７】
図１４Ａを参照すると、電子装置は、動作１４０１にて、アクセサリ装置に対応するコンテンツを活性化した場合（例：図９の動作９１１）、アクセサリ装置に対応するコンテンツを出力できる。例えば、プロセッサ２２０は、図１５Ｃのように、第１装置６２０から提供されたコンテンツ識別情報に対応するコンテンツを電子装置２０１のロック画面１５２０に表示するようにディスプレイ２６０を制御できる。
【０１８８】
電子装置（例：プロセッサ２２０）は、動作１４０３にて、電子装置の状態情報が変更されるかを確認することができる。例えば、プロセッサ２２０は、電子装置２０１と電気的に接続された少なくとも１つのセンサを用いて電子装置２０１の位置情報が変更されるかを確認することができる。例えば、電子装置２０１の位置情報は電子装置２０１が位置する地域又は場所を含むことができる。
【０１８９】
電子装置（例：プロセッサ２２０）は、電子装置の状態情報が維持される場合、動作１４０１にて、アクセサリ装置に対応するコンテンツの出力を維持できる
【０１９０】
電子装置（例：プロセッサ２２０）は、動作１４０５にて、電子装置の状態情報が変更される場合、電子装置の状態情報を第１装置に伝送できる。例えば、プロセッサ２２０は、センサを用いて検出した電子装置２０１の位置情報が変更された場合、電子装置２０１の変更された位置情報を第１装置６２０に伝送するように通信インタフェース２７０を制御できる。
【０１９１】
電子装置（例：プロセッサ２２０）は、動作１４０７にて、第１装置からコンテンツアップデート信号が受信されたかを確認することができる。電子装置は、コンテンツのアップデート信号が受信されない場合、アクセサリ装置に対応するコンテンツを維持すると判断できる。これによって、電子装置は、動作１４０１にて、アクセサリ装置に対応するコンテンツの出力を維持できる。
【０１９２】
電子装置（例：プロセッサ２２０）は、動作１４０９にて、第１装置からコンテンツアップデート信号を受信した場合、コンテンツアップデート信号に含まれるコンテンツにアクセサリ装置に対応するコンテンツをアップデートできる。例えば、第１装置６２０は、電子装置２０１に接続されたアクセサリ装置に対応するコンテンツのサービスポリシー及び電子装置２０１の変更された位置情報に基づいてコンテンツの変更可否を決定できる。第１装置６２０は、コンテンツを変更すると判断した場合、変更するためのコンテンツの識別情報を含むコンテンツアップデート信号を電子装置２０１に伝送できる。これによって、電子装置２０１のプロセッサ２２０は、通信インタフェース２７０を介して第１装置６２０から提供されたコンテンツにアクセサリ装置６１０に対応するコンテンツをアップデートできる。具体的には、プロセッサ２２０は、図１５Ｃのような第３ロック画面１５２０を図１５Ｄのように第１装置６２０から提供された第４ロック画面１５３０に電子装置２０１のロック画面を変更するようにディスプレイ２６０を制御できる。この場合、プロセッサ２２０は、第３ロック画面１５２０に表示されたウィジェット１５２２を図１５Ｄのように第４ロック画面１５３０に対応するウィジェット１５３２に変更できる。
【０１９３】
本発明の多様な実施形態によれば、電子装置（例：プロセッサ２２０）は、アクセサリ装置に対応するサービス識別情報に基づいて多数個のコンテンツを提供できる。例えば、プロセッサ２２０は、図１４Ｂ乃至図１４Ｈのように、アクセサリ装置に対応するテーマサービスの識別情報に対応するように、ホーム画面のウィジェット１４１０、ロック画面表示機能１４２０、壁紙表示機能１４３０、アドレス帳連動１４４０、イベント日程１４５０、アプリケーションＧＵＩ１４６０又はギャラリーリスト１４７０のうち多数個のコンテンツを変更できる。一例として、プロセッサ２２０は、アクセサリ装置に対応するホーム画面のウィジェット１４１０のうち特定ウィジェット１４１２の選択入力に基づいて該当ウィジェット１４１２と関連づけられた機能を実行できる。一例として、プロセッサ２２０は、電子装置２０１のアドレス帳にアクセサリ装置に対応するユーザ又はユーザグループ（例：歌手）の電話番号１４４２を追加できる。一例として、プロセッサ２２０は、電子装置２０１のスケジュールリストにアクセサリ装置に対応する日程（例：コンサート日程）１４５２を追加できる。一例として、プロセッサ２２０は、マルチメディアアプリケーションのサービス画面１４６０にアクセサリ装置に対応するユーザ（例：歌手）と関連づけられたマルチメディアリストを含む専用タブ１４６２を追加できる。一例として、プロセッサ２２０は、ギャラリーアプリケーションのサービス画面１４７０にアクセサリ装置に対応するユーザ（例：歌手）と関連づけられたイメージを含む専用タブ１４７２を追加できる。また、プロセッサ２２０は、ＡＯＤ（ａｌｗａｙｓ  ｏｎ  ｄｉｓｐｌａｙ）機能、メッセンジャーアプリケーションの背景イメージ、アイコン、メッセンジャーグループ、オーディオのうち多数個のコンテンツを変更することもできる。したがって、１つのサービス識別情報は、多数個の関連づけられたサービス識別情報を含み、これによって多数個のコンテンツ識別情報と関連づけられることもできる。
【０１９４】
本発明の多様な実施形態によれば、電子装置（例：プロセッサ２２０）は、アクセサリ装置に対応するコンテンツを電子装置に予めインストールされたアプリケーション又は機能と連係して運営できる。例えば、プロセッサ２２０は、芸能テーマを提供するアクセサリ装置が電子装置２０１に接続された場合、サービス識別情報を用いて電子装置２０１に予めインストールされたアプリケーション又は機能のうち芸能テーマに関連づけられたアプリケーション又は機能を検出して制御できる。プロセッサ２２０は、芸能テーマに関連づけられたアプリケーション又は機能によって芸能テーマに対応するコンテンツが使用されることができるように該当アプリケーション又は機能と連動されるソフトウェア的なモジュールを追加し、サーバ制御ポリシー情報を用いて制御できる。例えば、プロセッサ２２０は、アクセサリ装置が提供するテーマサービスと関連づけられたサービス識別情報（例：ロック画面サービスや壁紙サービスに関連づけられたコンテンツ識別情報（例：イメージ又はアニメーション関連情報））を設定又は変更できる。プロセッサ２２０は、時間又は場所に基づいてロック画面サービス又は壁紙サービスを変更できる。例えば、プロセッサ２２０は、アクセサリ装置に基づいてユーザカスタマイズ型ページを提供できる。具体的には、プロセッサ２２０は、ウェブブラウザの初期画面にアクセサリ装置に対応するサービス画面を表示するようにディスプレイ２６０を制御できる。プロセッサ２２０は、第１装置６２０と連動して該当サービス画面を周期的にアップデートできる。例えば、プロセッサ２２０は、アクセサリ装置に基づいてユーザカスタマイズ型ウィジェットを提供できる。具体的には、プロセッサ２２０は、ホームスクリーン、待ち受け画面、又はロック画面のうち少なくとも１つにアクセサリ装置に対応する専用ウィジェットを表示するようにディスプレイ２６０を制御できる。プロセッサ２２０は、第１装置６２０と連動して該当専用ウィジェットをリアルタイム又は周期的にアップデートできる。例えば、プロセッサ２２０は、マルチメディアアプリケーションとアクセサリ装置に対応するコンテンツを連動できる。具体的には、プロセッサ２２０は、マルチメディア再生アプリケーションにアクセサリ装置に対応する芸能人と関連づけられたマルチメディアコンテンツ（例：画像、動画又は音楽等）を管理する専用タブ又はリストを生成できる。例えば、プロセッサ２２０は、アクセサリ装置が接続された電子装置で照会可能なコンテンツを提供するように制御できる。具体的には、プロセッサ２２０は、特定の映画に対応するアクセサリ装置が電子装置２０１に接続された場合、非公開スチル、非公開監督版動画又は非公開オーディオのうち少なくとも１つを提供するように制御できる。又は、プロセッサ２２０は、マルチメディアコンテンツに対応するアクセサリ装置が電子装置に接続された場合、再生時間の長いコンテンツ、高解像度のコンテンツ又は高画質のコンテンツを提供するように制御できる。例えば、プロセッサ２２０は、アクセサリ装置に対応するコンテンツと関連づけられた商品（例：アルバム、チケット、キャラクター商品、衣装等）の照会及びオンラインサービスを連携できる。例えば、プロセッサ２２０は、電子装置２０１に予めインストールされたアプリケーションにアクセサリ装置に対応するコンテンツに対応する専用サービスを追加できる。具体的には、プロセッサ２２０は、予めインストールされたアプリケーションのサービス画面にアクセサリ装置に対応する広告又はイベント日程をオーバーレイ、マルチウィンドウ又はバナーなどの形態で表示できる。上述のコンテンツ表示は、サービスポリシー情報に基づいてアクセサリ装置が電子装置に接続されたか否かによって制御できる。また、上述の制御は複数個のコンテンツに対して所定のコンテンツグループ毎に他の制御を含むこともできる。
【０１９５】
図１６は、本発明の多様な実施形態に係る第１装置でアクセサリ装置に対応するサービスを提供するように制御するためのフローチャートを示す。以下の説明で、第１装置は、図５の第１装置５０１又は第１装置５０１の少なくとも一部（例：プロセッサ５２０）を含むことができる。
【０１９６】
図１６を参照すると、第１装置（例：プロセッサ５２０）は、動作１６０１にて、電子装置からアクセサリ装置の識別情報が受信されたかを確認することができる。例えば、プロセッサ５２０は、通信インタフェース５７０を介して、第１装置５０１に登録（例：装置のサービスアカウント情報（例：アンドロイドＴＭスマートフォン用グーグルＴＭアカウント、メーカーサービス加入者アカウント、ｉｃｌｏｕｄＴＭアカウント等）、識別子登録、ユーザ登録）された電子装置６００から電子装置６００に接続されたアクセサリ装置６１０の識別情報が受信されたかを確認することができる。
【０１９７】
第１装置（例：プロセッサ５２０）は、動作１６０３にて、電子装置からアクセサリ装置の識別情報を受信した場合、アクセサリ装置を認証できるかを確認することができる。例えば、プロセッサ５２０は、通信インタフェース５７０を介してアクセサリ装置６１０の識別情報を受信した場合、第１装置５０１のサービスリストに該当アクセサリ装置６１０の識別情報又はセキュリティ情報が含まれるかを確認することができる。プロセッサ５２０は、第１装置５０１のサービスリストに該当アクセサリ装置６１０の識別情報が含まれる場合、アクセサリ装置６１０の識別情報に認証アルゴリズムを適用してアクセサリ装置６１０に対する認証成功可否を判断できる。一例として、プロセッサ５２０は、アクセサリ装置６１０の識別情報の代わりにアクセサリ装置６１０に関連づけられたセキュリティ情報に基づいてアクセサリ装置６１０の認証を行うことができる。一例として、プロセッサ５２０は、アクセサリ装置６１０の識別情報とセキュリティ情報を共に用いてアクセサリ装置６１０の認証を行うこともできる。
【０１９８】
一実施形態によれば、プロセッサ５２０は、アクセサリ装置６１０を認証成功した場合、アクセサリ装置６１０に対応するサービスポリシーによるサービスの有効性を判断できる。権利の有効性を判断する一実施形態によれば、プロセッサ５２０は、電子装置６００と関連づけられたアクセサリ装置６１０の識別情報又はセキュリティ情報が他の電子装置（図示せず）に装着されたアクセサリ装置（図示せず）の識別情報又はセキュリティ情報と重複するかを確認することができる。プロセッサ５２０は、認証成功したアクセサリ装置６１０と重なる他のアクセサリ装置が存在しない場合、該当アクセサリ装置６１０が有効であると判断できる。例えば、プロセッサ５２０は、認証成功したアクセサリ装置６１０と重複する他のアクセサリ装置が存在する場合、２つのアクセサリ装置がそれぞれの互いに異なる電子装置と接続又は装着された状態であるかを確認することができる。プロセッサ５２０は、同じ時間に２つのアクセサリ装置がそれぞれの互いに異なる電子装置と接続又は装着されている状態であると判断されても、サービスポリシー情報に基づいて、複数の電子装置に許容されたアクセサリ装置の識別情報（例：同じギルド、同じ組織員、同じＳＮＳグループ加入者集団用にグループ割り当てられた識別情報）であれば、該当アクセサリ装置６１０が有効であると判断することもできる。プロセッサ５２０は、複数の電子装置に許容されたアクセサリ装置の識別情報であると判断する場合、サービスポリシー情報に基づいて、同じアクセサリ装置の識別情報と関連づけられた電子装置の数を計算し、その数によってサービス識別情報又はコンテンツ識別情報を変更することもできる。例えば、同じアクセサリを使用するゲームユーザからなるギルドメンバーらには同じ地域の戦闘に参加する時、そのユーザ数に応じてゲーム関連コンテンツ（例：攻撃力、防御力、敏捷度などのパラメータ、アイテム使用効果、アイテム等）を変更するように電子装置５０１又は第２装置６３０に制御命令が伝達されることもできる。例えば、同じアクセサリを使用する芸能人ファンクラブ会員らが所定地域の領域内に同時に存在する場合、ユーザ数（又はアクセサリが装着された電子装置の数）に応じてコンテンツ（例：ビデオ画質、ダウンロード可能な音源の数、マルチメディア再生時間長さ（ｄｕｒａｔｉｏｎ）等）を変更するように電子装置５０１又は第２装置６３０に制御命令が伝達されることもできる。
【０１９９】
一実施形態によれば、プロセッサ５２０は、認証成功したアクセサリ装置６１０と関連づけられた複数の互いに異なる電子装置又はユーザ識別情報が感知される場合、該当アクセサリ装置６１０に対する権利移譲情報を確認することができる。プロセッサ５２０は権利が移譲された場合、該当アクセサリ装置６１０が有効であると判断できる。
【０２００】
権利の有効性を判断する他の実施形態によれば、プロセッサ５２０は、アクセサリ装置６１０の識別情報に対応するアクセサリ装置６１０のタイプと電子装置６００のデバイスタイプとがマッチされるかを確認することができる。プロセッサ５２０は、アクセサリ装置６１０のタイプ（例：携帯電話カバーモデル）と電子装置６００のデバイスタイプ（例：携帯電話モデル）とがマッチされる場合、該当アクセサリ装置６１０が有効であると判断できる。すなわち、プロセッサ５２０は、アクセサリ装置が特定の電子装置の大きさ又は形状に合うように設計されたかを確認する動作によって有効性の可否を判断できる。プロセッサ５２０は、認証成功したアクセサリ装置６１０が有効であると判断した場合、電子装置６００に認証成功情報を伝送するように通信インタフェース５７０を制御できる。例えば、プロセッサ５２０は、第１装置５０１のサービスリストに該当アクセサリ装置６１０の識別情報が含まれない場合、アクセサリ装置６１０が不正品であると判断できる。例えば、プロセッサ５２０は、認証成功した該当アクセサリ装置６１０が有効でないと判断した場合、アクセサリ装置６１０がハッキング又はコピーされたものであると判断できる。
【０２０１】
第１装置（例：プロセッサ５２０）は、動作１６０５にて、電子装置から受信したアクセサリ装置の識別情報を認証成功した場合、アクセサリ装置の識別情報に対応するコンテンツの識別情報を電子装置に伝送できる。例えば、プロセッサ５２０は、メモリ５３０に格納されたサービスリストからアクセサリ装置６１０の識別情報に対応するサービス識別情報を検出できる。プロセッサ５２０は、サービス識別情報と接続されたコンテンツの識別情報を抽出できる。プロセッサ５２０は、サービス識別情報又はコンテンツの識別情報のうち少なくとも１つを電子装置６００に伝送するように通信インタフェース５７０を制御できる。
【０２０２】
第１装置（例：プロセッサ５２０）は、動作１６０７にて、電子装置からコンテンツ要求信号が受信されたかを確認することができる。例えば、プロセッサ５２０は、コンテンツ識別情報（又はサービス識別情報）を電子装置に伝送した後、基準時間内にコンテンツ要求信号が受信されたかを確認することができる。プロセッサ５２０は、基準時間が経過するまでコンテンツ要求信号を受信しなかった場合、電子装置６００でアクセサリ装置に対応するコンテンツを提供しないと判断できる。
【０２０３】
第１装置（例：プロセッサ５２０）は、動作１６０９にて、電子装置からコンテンツ要求信号を受信した場合、コンテンツ要求信号に対応するコンテンツを選択して電子装置に伝送できる。例えば、プロセッサ５２０は、メモリ５３０に格納された多数個のコンテンツのうちコンテンツ要求信号のコンテンツ識別情報に対応するコンテンツを選択できる。プロセッサ５２０は、コンテンツ要求信号のコンテンツ識別情報に対応するコンテンツを電子装置６００に伝送するように通信インタフェース５７０を制御できる。
【０２０４】
第１装置（例：プロセッサ５２０）は、動作１６１１にて、電子装置から受信したアクセサリ装置を認証失敗した場合、認証失敗情報を電子装置に伝送できる。例えば、プロセッサ５２０は、アクセサリ装置６１０の認証を失敗したり、アクセサリ装置６１０が不正品であると判断したり、アクセサリ装置６１０がハッキング又はコピーされたと判断した場合、認証失敗情報を電子装置６００に伝送するように通信インタフェース５７０を制御できる。
【０２０５】
図１７は、本発明の多様な実施形態に係る第１装置でアクセサリ装置に対応するコンテンツ及びサービスポリシー情報を伝送するためのフローチャートを示す。以下の説明は、図１６の動作１６０５にてアクセサリ装置に対応するコンテンツの識別情報を伝送するための動作に対して説明する。以下の説明で、第１装置は図５の第１装置５０１又は第１装置５０１の少なくとも一部（例：プロセッサ５２０）を含むことができる。
【０２０６】
図１７を参照すると、第１装置（例：プロセッサ５２０）は、動作１７０１にて、電子装置に接続されたアクセサリ装置を認証成功した場合（例：図１６の動作１６０３）、アクセサリ装置に対応するコンテンツの識別情報を検出できる。例えば、プロセッサ５２０は、第２装置６３０とネゴシエーションして決定したサービスリストからアクセサリ装置の識別情報に対応するコンテンツの識別情報（又はサービス識別情報）を検出できる。プロセッサ５２０は、電子装置から提供された電子装置の付加情報を追加的に考慮してアクセサリ装置に対応するコンテンツの識別情報を検出することもできる。
【０２０７】
第１装置（例：プロセッサ５２０）は、動作１７０３にて、アクセサリ装置に対応するコンテンツのサービスポリシーの伝送可否を決定できる。例えば、プロセッサ５２０は、アクセサリ装置６１０に対応するコンテンツの制御主体に基づいてサービスポリシー情報の伝送可否を決定できる。例えば、プロセッサ５２０は、第１装置５０１でアクセサリ装置６１０に対応するコンテンツの駆動を制御する場合、サービスポリシー情報を伝送しないと判断できる。例えば、プロセッサ５２０は、電子装置６００でアクセサリ装置６１０に対応するコンテンツの駆動を制御する場合、サービスポリシー情報を伝送すると判断できる。
【０２０８】
第１装置（例：プロセッサ５２０）は、動作１７０５にて、サービスポリシー情報を伝送すると判断した場合、アクセサリ装置に対応するコンテンツの識別情報と該当コンテンツのサービスポリシー情報を電子装置に伝送できる。第１装置（例：プロセッサ５２０）は、動作１７０７にて、サービスポリシー情報を伝送しないと判断した場合、アクセサリ装置に対応するコンテンツの識別情報を電子装置に伝送できる。
【０２０９】
図１８は、本発明の多様な実施形態に係る第１装置で電子装置の状態情報に基づいてアクセサリ装置に対応するコンテンツを選択的に提供するように制御するためのフローチャートを示す。図１９は、本発明の多様な実施形態に係る第１装置でアクセサリ装置に対応するコンテンツを選択するための構成を示す。以下の説明は、図１６の動作１６０９にてコンテンツを電子装置に伝送するための動作に対して説明する。以下の説明で、第１装置は図５の第１装置５０１又は第１装置５０１の少なくとも一部（例：プロセッサ５２０）を含むことができる。
【０２１０】
図１８を参照すると、第１装置（例：プロセッサ５２０）は、動作１８０１にて、電子装置からコンテンツ要求信号を受信した場合（例：図１６の動作１６０７）、コンテンツ要求信号に対応するコンテンツを選択できる。例えば、プロセッサ５２０は、電子装置６００から受信したコンテンツ要求信号に含まれたコンテンツ識別情報に対応するコンテンツを選択できる。一例として、プロセッサ５２０は、コンテンツ識別情報に対応するコンテンツが複数個の場合、電子装置６００の装置能力又はデバイスＩＤに基づいたＯＳバージョン、解像度又は電子装置６００の種類のうち少なくとも１つに対応するコンテンツを選択できる。具体的には、プロセッサ５２０は、アクセサリ装置に対応するロック画面を選択できる。この場合、ロック画面は、図１９のように、天気及び時間ウィジェットを表示するレイアウト領域１９１０、イメージ又はウィジェットを表示するサービスボックス領域１９２０、又はサービス（例：コンテンツやアプリケーション）を選択するためのアイコンを表示するサービスショートカットキー表示領域１９３０のうち少なくとも１つを含むことができる。また、それぞれの領域１９１０，１９２０又は１９３０は、電子装置６００のハードウェア仕様（例：解像度）に対応する多数個のコンテンツ１９１２，１９２２又は１９３２を含むことができる。これにより、プロセッサ５２０は、ロック画面を構成できるそれぞれの領域毎に電子装置６００のハードウェア仕様に対応するコンテンツを選択できる。
【０２１１】
一実施形態によれば、プロセッサ５２０は、コンテンツ識別情報に対応するコンテンツが複数個の場合、電子装置６００の状態情報に対応するコンテンツを選択することもできる。例えば、電子装置６００が感知した時間又は場所情報に基づいてコンテンツ識別情報に対応する同じ解像度の多数個のコンテンツのうち１つ以上のコンテンツが選択されることもできる。
【０２１２】
第１装置（例：プロセッサ５２０）は、動作１８０３にて、コンテンツ要求信号に対応するコンテンツを電子装置に伝送できる。例えば、電子装置に伝送するコンテンツはアプリケーション、アプリケーションに含まれる少なくとも１つのソフトウェアモジュール（例：ライブラリ、プログラムコード、スクリプト言語コード等）又はリソース（例：イメージ、オーディオ、ビデオ、ＵＲＬ、文書、テキスト等）のうち少なくとも１つを含むことができる。
【０２１３】
第１装置（例：プロセッサ５２０）は、動作１８０５にて、電子装置から電子装置の状態情報が受信されたかを確認することができる。例えば、プロセッサ５２０は、電子装置６００に伝送したアクセサリ装置に対応するコンテンツを電子装置６００の位置情報に基づいて選択的に活性化するように設定した場合、電子装置６００の位置情報が受信されたかを確認することができる。例えば、電子装置６００の位置情報は、周期的に受信されるか、又は変更時点で受信されることができる。
【０２１４】
第１装置（例：プロセッサ５２０）は、動作１８０７にて、電子装置の状態情報を受信した場合、コンテンツの活性可否を決定できる。例えば、プロセッサ５２０は、アクセサリ装置６１０に対応するコンテンツのサービスポリシー情報からコンテンツを活性化するための基準情報を検出できる。プロセッサ５２０は、電子装置６００の位置情報が基準情報に対応する場合、アクセサリ装置６１０に対応するコンテンツを活性化すると判断できる。プロセッサ５２０は、電子装置６００の位置情報が基準情報に対応しない場合、アクセサリ装置６１０に対応するコンテンツを非活性状態で維持させるか、又は他のコンテンツ（例：基本コンテンツ）を表示すると判断できる。
【０２１５】
第１装置（例：プロセッサ５２０）は、コンテンツを非活性状態で維持させる、又は他のコンテンツ（例：基本コンテンツ）を表示すると判断した場合、動作１８０５にて、電子装置の状態情報が受信されたかを再度確認することができる。一実施形態によれば、プロセッサ５２０は、電子装置６００がアクセサリ装置６１０に対応するコンテンツを非活性状態で維持させるか、又は他のコンテンツ（例：基本コンテンツ）を表示する場合、アクセサリ装置６１０が装着されると表示されることができるコンテンツがあることを知らせる表示（例：イメージ、通知表示、ハプティック、オーディオ）を出力するように制御することもできる。追加的に、プロセッサ５２０は、サービスポリシー情報によって該当コンテンツが削除された場合は、アクセサリ装置６１０が装着されると表示されることができるコンテンツがあることを知らせる表示をしないように制御することもできる。
【０２１６】
第１装置（例：プロセッサ５２０）は、動作１８０９にて、アクセサリ装置に対応するコンテンツを活性化すると判断した場合、コンテンツ活性情報を電子装置に伝送できる。
【０２１７】
本発明の多様な実施形態によれば、第１装置６２０は、第１装置６２０又は第２装置６３０によってアクセサリ装置に対応するコンテンツ又はサービスが修正された場合、電子装置６００のコンテンツがアップデートされるように制御できる。例えば、プロセッサ５２０は、アクセサリ装置に対応するコンテンツ又はサービスの修正情報を電子装置６００に提供できる。例えば、電子装置６００は、修正情報に基づいて少なくとも１つのアプリケーション又はサービスをアップデートできる。
【０２１８】
図２０は、本発明の多様な実施形態に係るシステムでアクセサリ装置に対応するサービスを提供するための信号のフローチャートの他の例を示す。
【０２１９】
図２０を参照すると、第１装置２０２０は、第２装置２０３０から提供されたアクセサリ装置２０１０情報及びサービス情報に基づいて電子装置２０００に接続可能なアクセサリ装置２０１０の識別情報と該当アクセサリ装置２０１０に対応するサービス情報（例：サービス識別情報又はコンテンツ識別情報のうち少なくとも１つ）を登録できる（図２０の２０４１）。他の実施形態によれば、第１装置２０２０は、第１装置に登録された提供されたアクセサリ装置２０１０情報に対応するサービス情報を第２装置２０３０から受信して、電子装置２０００に接続可能なアクセサリ装置２０１０の識別情報と、該当アクセサリ装置２０１０に対応するサービス情報を関連づけて登録できる（図２０の２０４１）。
【０２２０】
電子装置２０００は、電子装置２０００に接続されたアクセサリ装置２０１０からアクセサリ装置２０１０の識別情報を受信することができる（図２０の２０４３）。電子装置２０００は、有効であると判断したアクセサリ装置２０１０の識別情報を第１装置２０２０に伝送できる（図２０の２０４５）。一例として、電子装置２０００は、少なくとも１つの付加情報を第１装置２０２０に伝送できる。
【０２２１】
第１装置２０２０は、電子装置２０００から提供されたアクセサリ装置２０１０の識別情報に基づいて該当アクセサリ装置２０１０を認証できる（図２０の２０４７）。第１装置２０２０は、アクセサリ装置２０１０を認証成功した場合、アクセサリ装置２０１０の識別情報に対応するサービス識別情報又はコンテンツ識別情報を検出できる（図２０の２０４９）。例えば、第１装置２０２０は、アクセサリ装置２０１０を認証成功した場合、アクセサリ装置２０１０の識別情報に対応するサービス識別情報を検出し、該当サービス識別情報に対応するコンテンツの識別情報を検出できる。
【０２２２】
第１装置２０２０は、アクセサリ装置２０１０の識別情報を第２装置２０３０に伝送できる（図２０の２０５１）。第１装置２０２０は、アクセサリ装置２０１０に対応するコンテンツ情報（例：コンテンツ識別情報）を電子装置２０００に伝送できる（図２０の２０５３）。
【０２２３】
電子装置２０００は、第１装置２０２０から提供された認証情報及びコンテンツ識別情報に基づいてコンテンツ識別情報に対応するコンテンツのインストール可否を決定できる。電子装置２０００は、コンテンツ識別情報に対応するコンテンツをインストールすると判断した場合、第２装置２０３０にコンテンツ要求信号を伝送できる（図２０の２０５５）。第２装置２０３０は、電子装置２０００の要求に基づいてコンテンツ要求信号に対応するコンテンツを検出できる（図２０の２０５７）。例えば、第２装置２０３０は、コンテンツ要求信号に含まれたコンテンツ識別情報又は第１装置２０２０から提供されたコンテンツ識別情報に対応するコンテンツを検出できる。第２装置２０３０は、コンテンツ要求信号に対応するコンテンツを電子装置２０００に伝送できる（図２０の２０５９）。
【０２２４】
電子装置２０００は、第２装置２０３０から提供されたコンテンツをインストールしてサービス画面を表示できる（図２０の２０６１）。
【０２２５】
電子装置２０００は、アクセサリ装置２０１０の接続解除を検出した場合（図２０の２０６３）、第１装置２０２０にアクセサリ装置２０１０の接続解除情報を伝送できる（図２０の２０６５）。
【０２２６】
第１装置２０２０は、アクセサリ装置２０１０に対応するコンテンツのサービスポリシーからアクセサリ装置２０１０の接続解除に対応するコンテンツ処理方案を検出できる。第１装置２０２０は、アクセサリ装置２０１０の接続解除に対応するコンテンツ処理方案を電子装置２０００及び第２装置２０３０に伝送できる（図２０の２０６７，２０６９）。
【０２２７】
電子装置２０００は、第１装置２０２０から提供されたコンテンツ処理方案に基づいてコンテンツの全体又は少なくとも一部を削除又は非活性化できる（図２０の２０７１）。この場合、電子装置２０００は、コンテンツに対応するサービス制限情報をディスプレイに表示できる。
【０２２８】
一実施形態によれば、第１装置２０２０と第２装置２０３０は、アクセサリ装置２０１０に対応するコンテンツ（又はサービス）を電子装置２０００に提供する場合、電子装置２０００に提供するコンテンツ（又はサービス）情報を共有できる。例えば、第１装置２０２０は、アクセサリ装置２０１０に対応するコンテンツ（又はサービス）を電子装置２０００に提供した場合、コンテンツ提供情報を第２装置２０３０に伝送できる。例えば、第２装置２０３０は、アクセサリ装置２０１０に対応するコンテンツ（又はサービス）を電子装置２０００に提供した場合、コンテンツ提供情報を第１装置２０２０に伝送できる。
【０２２９】
図２１は、本発明の多様な実施形態に係る電子装置で第２装置から提供されたアクセサリ装置に対応するコンテンツを出力するためのフローチャートを示す。以下の説明で、電子装置は、図２の電子装置２０１又は電子装置２０１の少なくとも一部（例：プロセッサ２２０）を含むことができる。
【０２３０】
図２１を参照すると、電子装置（例：プロセッサ２２０）は、動作２１０１にて、アクセサリ装置の識別情報が検出されたかを確認することができる。例えば、プロセッサ２２０は、電子装置２０１に接続されたアクセサリ装置の識別情報が検出されたかを確認することができる。プロセッサ２２０は、アクセサリ装置の識別情報を検出した場合、該当識別情報が有効であるかを確認することができる。プロセッサ２２０は、アクセサリ装置の識別情報が有効な場合、アクセサリ装置の識別情報を検出したと判断できる。
【０２３１】
電子装置（例：プロセッサ２２０）は、動作２１０３にて、アクセサリ装置の識別情報を検出した場合、アクセサリ装置の識別情報を第１装置（例：図２０の第１装置２０２０）に伝送できる。例えば、プロセッサ２２０は、アクセサリ装置の識別情報とともに付加情報を第１装置２０２０に伝送するように通信インタフェース２７０を制御できる。
【０２３２】
電子装置（例：プロセッサ２２０）は、動作２１０５にて、アクセサリ装置の認証が成功したかを確認することができる。例えば、プロセッサ２２０は、通信インタフェース２７０を介して第１装置２０２０から認証情報を受信することができる。プロセッサ２２０は、第１装置２０２０から受信した認証情報が有効であると判断した場合、認証情報に含まれた認証結果を確認することができる。
【０２３３】
電子装置（例：プロセッサ２２０）は、動作２１０７にて、アクセサリ装置を認証成功した場合、第２装置にコンテンツ要求信号を伝送できる。例えば、プロセッサ２２０は、ユーザ入力に基づいてアクセサリ装置に対応するコンテンツと関連づけられたサービス（例：オンラインゲーム）を使用する場合、アクセサリ装置に対応するコンテンツ要求信号を第２装置２０３０に伝送するように通信インタフェース２７０を制御できる。
【０２３４】
電子装置（例：プロセッサ２２０）は、動作２１０９にて、第２装置からコンテンツ要求信号に対応するコンテンツを受信することができる。例えば、コンテンツはアクセサリ装置に対応するコンテンツをインストールするためのインストール情報又はアクセサリ装置に対応するコンテンツに接続するためのアドレス（ＵＲＬ）情報を含むことができる。
【０２３５】
電子装置（例：プロセッサ２２０）は、動作２１１１にて、アクセサリ装置に対応するコンテンツを出力できる。例えば、プロセッサ２２０は、アクセサリ装置に対応するゲームのサービス画面を表示するようにディスプレイ２６０を制御できる。
【０２３６】
図２２は、本発明の多様な実施形態に係る電子装置で第２装置からアクセサリ装置に対応するコンテンツを提供されるためのフローチャートを示す。以下の説明は、図２１の動作２１０７乃至動作２１１１のように、アクセサリ装置に対応するコンテンツを提供するための動作に対して説明する。以下の説明で、電子装置は図２の電子装置２０１又は電子装置２０１の少なくとも一部（例：プロセッサ２２０）を含むことができる。
【０２３７】
図２２を参照すると、電子装置（例：プロセッサ２２０）は、動作２２０１にて、電子装置と接続されたアクセサリ装置を認証成功した場合（例：図２１の動作２１０５）、第２装置で接続を要求できる。例えば、プロセッサ２２０は、ユーザ入力又は電子装置と接続されたアクセサリ装置の識別情報に基づいて第２装置２０３０に接続するためのサービス（例：ゲーム、ソーシャルネットワークチャットルーム）の実行情報が検出されたかを確認することができる。プロセッサ２２０は、該当サービスの実行情報を検出した場合、第２装置２０３０に接続要求信号を伝送するように通信インタフェース２７０を制御できる。例えば、第２装置は、オンラインゲームサーバ又はソーシャルネットワークサーバを含むことができる。例えば、接続要求信号は、第２装置にログインするためのＩＤ及びパスワード又は生体認証関連情報を含むことができる。
【０２３８】
電子装置（例：プロセッサ２２０）は、動作２２０３にて、第２装置から電子装置の接続要求が承認されたかを確認することができる。例えば、プロセッサ２２０は、通信インタフェース２７０を介して、第２装置から接続承認信号が受信されたかを確認することができる。
【０２３９】
電子装置（例：プロセッサ２２０）は、動作２２０５にて、第２装置から接続承認信号を受信した場合、第２装置からアクセサリ装置に対応するコンテンツを受信することができる。例えば、第２装置２０３０は、第１装置２０２０でアクセサリ装置２０１０を認証成功した場合、第１装置２０２０からアクセサリ装置２０１０の識別情報及び電子装置２０００の識別情報を受信することができる。また、第２装置２０３０は、第１装置２０２０又は電子装置２０００からアクセサリ装置２０１０が電子装置２０００に接続された否かに関する情報を受信することができる。第２装置２０３０は、アクセサリ装置２０１０と電子装置２０００の接続有無によって電子装置２０００に提供するコンテンツを決定できる。第２装置２０３０は、電子装置２０００の識別情報に基づいてアクセサリ装置２０１０の識別情報に対応するコンテンツを適用できる。これにより、プロセッサ２２０は、第２装置２０３０に接続した場合、アクセサリ装置２０１０に対応するコンテンツが適用されたサービスを受信することができる。具体的には、プロセッサ２２０は、オンラインゲームサーバに接続した場合、アクセサリ装置２０１０に対応するアイテムが適用されたゲームデータを受信することができる。具体的には、プロセッサ２２０は、オンラインソーシャルネットワークサーバに接続した場合、アクセサリ装置２０１０に対応するソーシャルネットワーク加入者らが含まれたチャットルーム情報又は関連マルチメディアコンテンツを受信することができる。
【０２４０】
電子装置（例：プロセッサ２２０）は、動作２２０７にて、アクセサリ装置に対応するコンテンツを出力できる。例えば、プロセッサ２２０は、オンライン個人サーバに接続した場合、アクセサリ装置２０１０に対応するアイテム（例：アバター、装備アイテム、ゲームバフ効果）が適用されたゲームのサービス画面を表示するようにディスプレイ２６０を制御できる。具体的には、プロセッサ２２０は、オンラインソーシャルネットワークサーバに接続した場合、アクセサリ装置２０１０に対応するソーシャルネットワーク加入者らが含まれたチャットルーム情報又は関連マルチメディアコンテンツを表示したり使用することができる。
【０２４１】
本発明の多様な実施形態によれば、電子装置は、電子装置にインストールされたアプリケーションにアクセサリ装置に対応するコンテンツを適用できる。例えば、プロセッサ２２０は、通信インタフェース２７０を介して第２装置２０３０からアクセサリ装置２０１０に対応するコンテンツを受信して該当アプリケーションに適用できる。具体的には、プロセッサ２２０は、第２装置２０３０から受信したアクセサリ装置２０１０に対応するアイテム情報を電子装置２０１にインストールされたゲームアプリケーションに適用できる。
【０２４２】
本発明の多様な実施形態によれば、電子装置は、アプリケーションの実行中にユーザ選択によって又は自動的にアクセサリ装置の装着有無を判断できる。例えば、プロセッサ２２０は、実行中のアプリケーションで提供されるＵＩを用いてアクセサリ装置の認識命令を駆動できる。例えば、プロセッサ２２０は、アプリケーションの実行時に、アクセサリ装置の装着確認機能を活性化した場合、プロセッサ２２０と別途の接続管理モジュールを介してアクセサリ装置の装着有無を判断できる。
【０２４３】
本発明の多様な実施形態によれば、電子装置は、アプリケーションの実行中にアクセサリ装置が装着される場合、アプリケーションの実行中にアクセサリ装置の認証を行ったり、アプリケーションの実行が終了された時点でアクセサリ装置の認証を行うことができる。一例として、電子装置は、アクセサリ装置の最初装着時にのみ該当アクセサリ装置の認証を行うことができる。
【０２４４】
図２３Ａ乃至図２３Ｃは、本発明の多様な実施形態に係る電子装置でアクセサリ装置に対応する音楽サービスを提供する画面構成を示す。
【０２４５】
一実施形態によれば、電子装置（例：プロセッサ２２０）は、音楽関連アクセサリ装置（例：サービスタイプが音楽、特定アーティストのファンクラブサービスであるか、又は装備タイプがイヤホンタイプの場合）が接続された場合、アクセサリ装置に対応するコンテンツを音楽関連アプリケーションによって提供できる。例えば、プロセッサ２２０は、図２３Ａのように、アクセサリ装置に対応するコンテンツを再生可能なロック画面２３００を表示するようにディスプレイ２６０を制御できる。例えば、プロセッサ２２０は、図２３Ｂのように、アクセサリ装置に対応するコンテンツと関連づけられた情報を表示するページ２３１０（例：ウェブページ）を表示するようにディスプレイ２６０を制御できる。例えば、プロセッサ２２０は、図２３Ｃのように、マルチメディア再生アプリケーションのサービス画面２３２０にアクセサリ装置に対応するコンテンツの再生のための専用タブ２３２２を追加できる。一例として、プロセッサ２２０は、図２３Ｂ又は図２３Ｃのように、アクセサリ装置に対応するコンテンツを再生可能なミュージックビデオリスト２３１０や音楽アルバムリスト２３２０をマルチメディアプレイヤーのリストの所定の位置に表示するようにディスプレイ２６０を制御できる。すなわち、プロセッサ２２０は、アクセサリ装置に対応するコンテンツを他のコンテンツに比べて優先順位を相対的に高く調節して（例：図２３Ｂの画面２３１０で最上段の最も広い領域）配置することもできる。したがって、プロセッサ２２０は、既存のコンテンツに加えてアクセサリ装置に対応するコンテンツをさらに含めて表示できる。
【０２４６】
図２４Ａ乃至図２４Ｄは、本発明の多様な実施形態に係る電子装置でアクセサリ装置に対応する位置ベースサービスを提供する画面構成を示す。
【０２４７】
一実施形態によれば、電子装置（例：プロセッサ２２０）は、アクセサリ装置に対応するコンテンツに基づいて位置ベーステーマサービスを提供できる。テーマは複数個のサービスやコンテンツからなるコンテンツ集合と関連づけられたサービスを提供するためのものであって、そのために複数個のコンテンツのサービス識別情報が利用され得る。例えば、プロセッサ２２０は、アクセサリ装置に対応するコンテンツをインストールした後、特定の場所（例：テーマパーク）に進入することを認識した場合（例：ＮＦＣ、ＡＰ（Ａｃｃｅｓｓ  ｐｏｉｎｔ））、基地局などの無線信号感知、又は位置測定センサに基づいて所定の領域へ進入したことを感知する）、図２４Ａのように、アクセサリ装置に対応するコンテンツを活性化してアクセサリ装置に対応する壁紙２４００を表示するようにディスプレイ２６０を制御できる。例えば、プロセッサ２２０は、図２４Ｂのように、特定アプリケーションのサービス画面２４１０で電子装置２０１が位置する地域と関連づけられた少なくとも１つのアイコン２４１２（例：メニューアイコン又はウィジェットアイコン）を表示するようにディスプレイ２６０を制御できる。例えば、プロセッサ２２０は、図２４Ｃのように、特定装置（例：遊具）に対する予約サービス２４２０を提供できる。例えば、プロセッサ２２０は、図２４Ｄのように、特定装置での車両位置提供サービス２４３０を提供できる。
【０２４８】
本発明の多様な実施形態によれば、電子装置は、アクセサリ装置に対応するアクセサリタイプ又はサービスタイプ、又はアクセサリ識別子に対応するコンテンツ属性に基づいて電子装置の属性を変更できる。例えば、プロセッサ２２０は、電子装置２０１が子供と関連づけられたアクセサリと接続された場合（例：サービスタイプがキッズモード又はアクセサリ種類が児童用時計タイプに設定されたアクセサリ装置識別子を感知）、電子装置２０１の動作モードを子供モード（例：子供用テーマ適用、成人用アプリケーション非活性化）に変更できる。この場合、プロセッサ２２０は、ブラウザの駆動時、初期ウェブページを所定の子供用サイトに変更し、子供用に設定されたサービスを提供できる。
【０２４９】
図２５は、本発明の多様な実施形態に係る第１装置でアクセサリ装置に対応するサービス制御変数を提供するためのフローチャートを示す。以下の説明で、第１装置は図５の第１装置５０１又は第１装置５０１の少なくとも一部（例：プロセッサ５２０）を含むことができる。
【０２５０】
図２５を参照すると、第１装置（例：プロセッサ５２０）は、動作２５０１にて、電子装置からアクセサリ装置の識別情報が受信されたかを確認することができる。例えば、プロセッサ５２０は、通信インタフェース５７０を介して、第１装置５０１に登録された電子装置２０００から電子装置２０００に接続されたアクセサリ装置２０１０の識別情報が受信されたかを確認することができる。
【０２５１】
第１装置（例：プロセッサ５２０）は、動作２５０３にて、電子装置からアクセサリ装置の識別情報を受信した場合、アクセサリ装置を認証できるかを確認することができる。例えば、プロセッサ５２０は、通信インタフェース５７０を介してアクセサリ装置２０１０の識別情報を受信した場合、第１装置５０１のサービスリストに含まれた識別情報とアクセサリ装置２０１０の識別情報とを比較できる。プロセッサ５２０は、第１装置５０１のサービスリストにアクセサリ装置２０１０の識別情報に対応する識別情報が存在する場合、アクセサリ装置２０１０の識別情報に対する認証を行うことができる。プロセッサ５２０は、アクセサリ装置２０１０を認証成功した場合、アクセサリ装置２０１０の有効であると判断できる。プロセッサ５２０は、認証成功したアクセサリ装置２０１０が有効であると判断した場合、電子装置２０００に認証成功情報を伝送するように通信インタフェース５７０を制御できる。プロセッサ５２０は、第１装置５０１のサービスリストにアクセサリ装置２０１０の識別情報に対応する識別情報が存在しない場合、又は認証成功したアクセサリ装置２０１０が有効でないと判断した場合、電子装置２０００に認証失敗情報を伝送するように通信インタフェース５７０を制御できる。
【０２５２】
第１装置（例：プロセッサ５２０）は、動作２５０５にて、電子装置から受信したアクセサリ装置を認証成功した場合、アクセサリ装置の識別情報に対応するサービスの制御変数を生成できる。例えば、プロセッサ５２０は、アクセサリ装置に対応するサービスタイプを確認することができる。プロセッサ５２０は、アクセサリ装置に対応するサービスタイプと同じサービスタイプ（例：同じソーシャルネットワークグループ情報、同じゲームギルド情報）を有するアクセサリグループを生成できる。例えば、プロセッサ５２０は、アクセサリ装置を伝送した電子装置の識別情報に基づいてアクセサリ装置に対応するサービスタイプに対するアクセサリに基づくサービスグループを生成できる。一例として、プロセッサ５２０は、電子装置２０００に接続されたアクセサリ装置２０１０に対応するサービスタイプと同じサービスタイプを有するアクセサリ識別情報で構成されたアクセサリグループのうち電子装置２０００と関連づけられた少なくとも１つの他の電子装置情報（例：電子装置のソーシャルネットワークに登録されたフレンドリスト、電子装置に格納された電話番号リスト（例：家族グループ、会社グループ）、又は電子装置に登録されたメッセンジャーフレンドリスト）を抽出してアクセサリに基づくサービスグループを生成できる。一例として、プロセッサ５２０は、他の電子装置情報を第１装置２０２０又は第２装置２０３０に格納されたサービスリスト又は加入者情報から抽出したり第２装置２０３０に要求してその結果を受信することもできる。
【０２５３】
第１装置（例：プロセッサ５２０）は、動作２５０７にて、アクセサリ装置の識別情報に対応するサービスの制御変数を電子装置又は第２装置に伝送できる。例えば、プロセッサ５２０は、電子装置２０００がアクセサリ装置に対応するサービスを電子装置２０００にインストールされたアプリケーションを介して提供する場合、アクセサリ装置の識別情報に対応するサービスの制御変数を電子装置２０００に伝送するように通信インタフェース５７０を制御できる。例えば、プロセッサ５２０は、電子装置２０００がアクセサリ装置に対応するサービスを、オンラインサーバ（例：第２装置２０３０）を介して提供する場合、アクセサリ装置の識別情報に対応するサービスの制御変数を第２装置２０３０に伝送するように通信インタフェース５７０を制御できる。
【０２５４】
図２６は、本発明の多様な実施形態に係る第１装置でアクセサリ装置に対応するグループ情報を提供するためのフローチャートを示す。以下の説明は、図２５の動作２５０５乃至動作２５０７のように、サービス制御変数を提供するための動作に対して説明する。以下の説明で、第１装置は図５の第１装置５０１又は第１装置５０１の少なくとも一部（例：プロセッサ５２０）を含むことができる。
【０２５５】
図２６を参照すると、第１装置（例：プロセッサ５２０）は、動作２６０１にて、アクセサリ装置を認証成功した場合（例：図２５の動作２５０３）、アクセサリ装置に対応するサービスタイプに基づいてアクセサリグループを生成するかを確認することができる。例えば、プロセッサ５２０は、アクセサリ装置の識別情報に対応するサービスタイプが同じサービスタイプの他のアクセサリ装置と連動するサービス（例：ソーシャルネットワークグループ、ファンクラブ、ゲームギルドなどに対する加入や会員間の情報共有関連機能）であるかを確認することができる。プロセッサ５２０は、他のアクセサリ装置と連動するサービスを提供する場合、アクセサリグループを生成すると判断できる。
【０２５６】
第１装置（例：プロセッサ５２０）は、動作２６０３にて、アクセサリグループを生成する場合、予め設定されたアクセサリグループが存在するかを確認することができる。例えば、プロセッサ５２０は、メモリ５３０に格納されたアクセサリグループ情報に基づいてアクセサリ装置に対応するサービスタイプと同じサービスタイプを有するアクセサリグループが存在するかを確認することができる。一例として、プロセッサ５２０は、アクセサリ装置に対応するサービスタイプに基づいて特定ゲームの特定ギルドに対する参加情報を認識した場合、アクセサリ装置に対応するサービスタイプ（例：特定ゲームの特定ギルド）に対応する予め生成されたアクセサリグループが存在するかを確認することができる。
【０２５７】
第１装置（例：プロセッサ５２０）は、動作２６０５にて、予め設定されたアクセサリグループが存在する場合、アクセサリ装置を含むようにアクセサリグループをアップデートできる。例えば、プロセッサ５２０は、アクセサリグループにアクセサリ装置の識別情報及びアクセサリ装置が接続された電子装置の識別情報を登録できる。一例として、プロセッサ５２０は、アクセサリ装置のサービスタイプに対応するゲームのギルドが存在する場合、アクセサリ装置が接続された電子装置の識別情報を該当ギルドに追加できる。
【０２５８】
第１装置（例：プロセッサ５２０）は、動作２６０７にて、予め設定されたアクセサリグループが存在しない場合、アクセサリ装置と同じサービスタイプを含む少なくとも１つの他のアクセサリ装置を含むアクセサリグループを生成できる。一例として、プロセッサ５２０は、アクセサリ装置のサービスタイプに対応するゲームのギルドが存在しない場合、アクセサリ装置が接続された電子装置の識別情報を含むゲームギルドを生成できる。プロセッサ５２０は、メモリ５３０に格納されたアクセサリグループ情報にゲームギルド情報を追加できる。
【０２５９】
第１装置（例：プロセッサ５２０）は、動作２６０９にて、アクセサリグループ情報を電子装置又は第２装置に伝送できる。例えば、プロセッサ５２０は、電子装置でアクセサリ装置に対応するサービスを提供する方式に基づいてアクセサリグループ情報を電子装置又は第２装置に伝送するように通信インタフェース５７０を制御できる。
【０２６０】
一実施形態によれば、電子装置は、アクセサリグループ情報に基づいてアクセサリ装置に対応するファンクラブ又はゲームパーティーなどに自動的に参加できる。
【０２６１】
図２７は、本発明の多様な実施形態に係る第１装置でユーザ情報に対応するサービスグループ情報を提供するためのフローチャートを示す。以下の説明は、図２５の動作２５０５乃至動作２５０７のように、サービス制御変数を提供するための動作に対して説明する。以下の説明で、第１装置は、図５の第１装置５０１又は第１装置５０１の少なくとも一部（例：プロセッサ５２０）を含むことができる。
【０２６２】
アクセサリグループを生成及び加入するための図示していない他の実施形態によれば、プロセッサ５２０は、所定のアクセサリ識別情報を含むアクセサリグループを形成し、これに共通に適用されるサービスタイプを予め設定できる。すなわち、プロセッサ５２０は、アクセサリグループに含まれるアクセサリ装置識別情報が受信されると、アクセサリ装置と接続された電子装置情報を抽出してアクセサリに基づくサービスグループに追加することもできる。したがって、プロセッサ５２０は、アクセサリ基盤サービスグループに含まれた複数の電子装置に対して予め設定されたサービスを共有できるようにアクセサリグループに対応するサービス識別情報を判別し、これに対応するコンテンツとコンテンツに関するサービスポリシー情報に基づいてアクセサリグループに対応するアクセサリ装置が接続された電子装置に対するコンテンツと機能を制御できる。
【０２６３】
図２７を参照すると、第１装置（例：プロセッサ５２０）は、動作２７０１にて、アクセサリ装置を認証成功した場合（例：図２５の動作２５０３）、アクセサリ装置が接続された電子装置の識別情報を確認することができる。例えば、電子装置の識別情報は電子装置のユーザＩＤ又はデバイスＩＤを含むことができる。
【０２６４】
第１装置（例：プロセッサ５２０）は、動作２７０３にて、電子装置の識別情報及びアクセサリ装置に対応するサービスタイプに基づいてサービスグループを生成できる。例えば、プロセッサ５２０は、アクセサリ装置に対応するサービスから電子装置識別情報と関連づけられたアクセサリリストを検出できる。具体的には、プロセッサ５２０は、電子装置の識別情報と関連づけられたソーシャルサービスグループでアクセサリ装置に対応するサービスタイプと同じサービスタイプの他のアクセサリ装置と接続された他の電子装置を確認することができる。プロセッサ５２０は、アクセサリ装置に対応するサービスタイプと同じサービスタイプの他のアクセサリ装置と接続された他の電子装置を含むサービスグループを生成できる。例えば、サービスグループは、電子装置の識別情報に基づいて生成したアクセサリグループを示すことができる。
【０２６５】
第１装置（例：プロセッサ５２０）は、動作２７０５にて、サービスグループ情報を電子装置又は第２装置に伝送できる。例えば、プロセッサ５２０は、電子装置でアクセサリ装置に対応するサービスを提供する方式に基づいてサービスグループ情報を電子装置又は第２装置に伝送するように通信インタフェース５７０を制御できる。
【０２６６】
一実施形態によれば、電子装置（例：プロセッサ２２０）は、アクセサリグループ情報に基づいてソーシャルサービスグループ又はメッセンジャーチャットグループなどに自動的に参加できる。例えば、電子装置（例：プロセッサ２２０）は、ソーシャルサービスグループ又はメッセンジャーチャットグループ内でイメージ、カレンダーなどのようなサービス情報を共有できる。
【０２６７】
図２８は、本発明の多様な実施形態に係る電子装置でアクセサリ装置に対応するコンテンツを除去するためのフローチャートの一例を示す。
【０２６８】
図２８を参照すると、電子装置（例：プロセッサ２２０）は、動作２８０１にて、電子装置に対するアクセサリ装置の接続が解除されたかを確認することができる。例えば、プロセッサ２２０は、電子装置２０１に認証成功したアクセサリ装置が接続された場合、周期的に該当アクセサリ装置の接触有無を確認することができる。例えば、プロセッサ２２０は、入出力インタフェース２５０に対するアクセサリ装置の接触が解除されたかを確認することができる。例えば、プロセッサ２２０は、通信インタフェース２７０を介してアクセサリ装置との通信接続が維持されるかを確認することができる。プロセッサ２２０は、アクセサリ装置との通信接続が維持される場合、アクセサリ装置との接続が維持されると判断できる。
【０２６９】
電子装置（例：プロセッサ２２０）は、動作２８０３にて、電子装置に対するアクセサリ装置の接続が解除された場合、アクセサリ装置に対応するコンテンツのサービスポリシーを確認することができる。例えば、電子装置は、第１装置からコンテンツ情報（例：コンテンツ識別情報）又はコンテンツを受信する時点でコンテンツのサービスポリシー情報を共に受信することができる。
【０２７０】
電子装置（例：プロセッサ２２０）は、動作２８０５にて、アクセサリ装置に対応するコンテンツのサービスポリシー情報に基づいてアクセサリ装置に対応するコンテンツを削除するかを判断できる。
【０２７１】
電子装置（例：プロセッサ２２０）は、動作２８０７にて、アクセサリ装置に対応するコンテンツを削除すると判断した場合、電子装置からアクセサリ装置に対応するコンテンツを削除できる。例えば、プロセッサ２２０は、アクセサリ装置に対応するアプリケーションを除去できる。例えば、プロセッサ２２０は、アクセサリ装置に対応するマルチメディアコンテンツ、ゲームアイテム、電話番号リスト又はアクセサリグループ情報を削除できる。例えば、プロセッサ２２０は、アクセサリ装置に対応するコンテンツサービスポリシー情報に基づいてマルチメディアコンテンツ、ゲームアイテム、電話番号リスト又はアクセサリグループ情報のうち１つ以上を削除できる。例えば、プロセッサ２２０は、アクセサリ装置に対応するコンテンツサービスポリシー情報に基づいて所定時間以上アクセサリ装置の再接続がない場合、所定コンテンツを削除することもできる。例えば、プロセッサ２２０は、アクセサリ装置に対応するコンテンツサービスポリシー情報に基づいて所定時間以上アクセサリ装置の再接続がない場合、所定コンテンツを削除することもできる。
【０２７２】
電子装置（例：プロセッサ２２０）は、動作２８０９にて、アクセサリ装置に対応するコンテンツを維持すると判断した場合、アクセサリ装置に対応するコンテンツの全体又は少なくとも一部を非活性化するか、又は他の品質のコンテンツを表示できる。例えば、プロセッサ２２０は、マルチメディアコンテンツの再生を非活性化できる。一例として、プロセッサ２２０は、アクセサリ装置の接続が解除された時点から基準時間が経過したアクセサリ装置に対応するコンテンツを削除することもできる。例えば、プロセッサ２２０は、アクセサリ装置の接続時点で比べて短い再生時間、低い解像度又は低い音質のマルチメディアコンテンツを提供できる。
【０２７３】
本発明の多様な実施形態によれば、第２装置は、電子装置のアクセサリ接続が解除されたことを第１装置や電子装置を介して受信した場合、アクセサリグループに含まれる他の電子装置に適用されるサービスをアップデートできる。例えば、第２装置は、アクセサリグループに含まれる電子装置の個数変化に基づいてアクセサリグループに適用したゲーム内アドバンテージをアクセサリグループに含まれる電子装置の個数変化に対応するように調節できる。例えば、第２装置は、アクセサリ接続が解除された電子装置を識別してアクセサリグループから脱退させ、アクセサリグループに含まれる電子装置の個数変化に基づいてアクセサリグループに適用したゲーム内アドバンテージをアクセサリグループに含まれる電子装置の個数変化に対応するように調節できる。
【０２７４】
図２９は、本発明の多様な実施形態に係る電子装置でアクセサリ装置に対応するコンテンツを除去するためのフローチャートの他の例を示す。
【０２７５】
図２９を参照すると、電子装置（例：プロセッサ２２０）は、動作２９０１にて、電子装置に対するアクセサリ装置の接続が解除されたかを確認することができる。例えば、プロセッサ２２０は、入出力インタフェース２５０に対するアクセサリ装置の接触が解除されたかを確認することができる。例えば、プロセッサ２２０は、入出力インタフェース２５０に対するアクセサリ装置の接触が解除された場合、アクセサリ装置との接続が解除されたと判断できる。例えば、プロセッサ２２０は、通信インタフェース２７０を介してアクセサリ装置との通信接続が維持されるかを確認することができる。例えば、プロセッサ２２０は、アクセサリ装置との通信接続が解除された場合、アクセサリ装置との接続が解除されたと判断できる。
【０２７６】
電子装置（例：プロセッサ２２０）は、動作２９０３にて、電子装置に対するアクセサリ装置の接続が解除された場合、第１装置にアクセサリ除去情報を伝送できる。例えば、プロセッサ２２０は、アクセサリ除去信号を第１装置に伝送するように通信インタフェース２７０を制御できる。
【０２７７】
電子装置（例：プロセッサ２２０）は、動作２９０５にて、第１装置からコンテンツ制御情報が受信されたかを確認することができる。例えば、コンテンツ制御情報は、アクセサリ装置に対応するコンテンツのサービスポリシー情報に基づいて決定されたアクセサリ装置に対応するコンテンツの処理方式を含むことができる。
【０２７８】
電子装置（例：プロセッサ２２０）は、動作２９０７にて、第１装置から提供されたコンテンツ制御情報に基づいてアクセサリ装置に対応するコンテンツを削除するかを判断できる。
【０２７９】
電子装置（例：プロセッサ２２０）は、動作２９０９にて、アクセサリ装置に対応するコンテンツを削除すると判断した場合、電子装置からアクセサリ装置に対応するコンテンツを削除できる。
【０２８０】
電子装置（例：プロセッサ２２０）は、動作２９１１にて、アクセサリ装置に対応するコンテンツを維持すると判断した場合、アクセサリ装置に対応するコンテンツの全体又は少なくとも一部を非活性化できる。例えば、プロセッサ２２０は、アクセサリ装置の接続が解除された時点から所定の基準時間が経過するまで該当アクセサリ装置の接続しない場合、アクセサリ装置に対応するコンテンツを削除できる。
【０２８１】
一実施形態によれば、電子装置（例：プロセッサ２２０）は、動作２９０５及び動作２９０７を行う代わりに、電子装置又はアクセサリ装置に格納されたアクセサリ装置に対応するコンテンツのサービスポリシー情報に基づいてアクセサリ装置に対応するコンテンツの処理方式を決定できる。電子装置（例：プロセッサ２２０）は、該当コンテンツの処理方式に基づいてコンテンツ除去可否を判断することもできる。
【０２８２】
図３０は、本発明の多様な実施形態に係る第１装置でアクセサリ装置の除去に基づいて電子装置のコンテンツを制御するためのフローチャートを示す。
【０２８３】
図３０を参照すると、第１装置（例：プロセッサ５２０）は、動作３００１にて、電子装置からアクセサリ除去信号が受信されたかを確認することができる。例えば、プロセッサ５２０は、第１装置５０１で認証成功したアクセサリ装置と接続された電子装置からアクセサリ除去信号が受信されたかを確認することができる。
【０２８４】
第１装置（例：プロセッサ５２０）は、動作３００３にて、アクセサリ除去信号を受信した場合、電子装置で接続解除されたアクセサリ装置に対応するコンテンツのサービスポリシー情報を確認することができる。
【０２８５】
第１装置（例：プロセッサ５２０）は、動作３００５にて、アクセサリ装置に対応するコンテンツのサービスポリシー情報による制御情報を電子装置に伝送できる。例えば、プロセッサ５２０は、アクセサリ装置に対応するコンテンツのサービスポリシー情報に基づいてアクセサリ装置に対応するコンテンツの処理方式を決定できる。プロセッサ５２０は、アクセサリ装置に対応するコンテンツの処理方式を含む制御情報を電子装置に伝送するように通信インタフェース５７０を制御できる。例えば、アクセサリ装置に対応するコンテンツの処理方式は、アクセサリ装置に対応するサービス識別情報に基づいて予め決定されることができる。具体的には、コンテンツ毎にサービスポリシー情報を異なるように設定することもできる。例えば、ロック画面は、アクセサリ装置の接続解除に基づいてアクセサリ装置の接続以前の状態に復元されることができる。ショートカットサービスメニュー（例：サービスウィジェット）は、電子装置内で、非活性状態で所定期間維持されるように設定されることができる。テーマサービスはユーザ設定に応じて除去又は維持されるように設定されることができる。アプリケーションは電子装置内で、非活性状態で維持されるように設定されることができる。アクセサリ設定情報は電子装置内で削除されることができる。
【０２８６】
図３１は、本発明の多様な実施形態に係る電子装置でアクセサリ装置に対応するコンテンツの有効期間をアップデートするためのフローチャートを示す。
【０２８７】
図３１を参照すると、電子装置（例：プロセッサ２２０）は、動作３１０１にて、電子装置に接続されたアクセサリ装置に対応するコンテンツを提供できる。例えば、プロセッサ２２０は、図８の動作８０１乃至動作８０９又は図２１の動作２１０１乃至動作２１１１のように、アクセサリ装置に対応するコンテンツを提供できる。
【０２８８】
電子装置（例：プロセッサ２２０）は、動作３１０３にて、アクセサリ装置に対応するコンテンツに対する有効期間設定イベントが発生したかを確認することができる。例えば、プロセッサ２２０は、アクセサリ装置に対応するコンテンツの有効期間が満了時点に近接する場合、有効期間満了情報を表示するようにディスプレイ２６０を制御できる。プロセッサ２２０は、入出力インタフェース２５０を介して有効期間設定メニューの選択が感知されたかを確認することができる。プロセッサ２２０は、有効期間設定メニューの選択が感知された場合、有効期間設定イベントが発生したと判断できる。
【０２８９】
電子装置（例：プロセッサ２２０）は、動作３１０５にて、アクセサリ装置に対応するコンテンツに対する有効期間設定イベントが発生した場合、アクセサリ装置に対応するコンテンツの有効期間をアップデートするかを確認することができる。例えば、プロセッサ２２０は、ユーザの入力情報に基づいてアクセサリ装置に対応するコンテンツの有効期間アップデートのための電子決済が発生したかを確認することができる。
【０２９０】
電子装置（例：プロセッサ２２０）は、アクセサリ装置に対応するコンテンツの有効期間がアップデートされた場合、動作３１０１にて、アクセサリ装置に対応するコンテンツを提供できる。
【０２９１】
電子装置（例：プロセッサ２２０）は、動作３１０７にて、アクセサリ装置に対応するコンテンツに対する有効期間設定イベントが発生しなかったか、又はアクセサリ装置に対応するコンテンツの有効期間がアップデートされなかった場合、アクセサリ装置に対応するコンテンツに対する有効期間が満了したかを確認することができる。
【０２９２】
電子装置（例：プロセッサ２２０）は、アクセサリ装置に対応するコンテンツに対する有効期間が満了しなかった場合、動作３１０３にて、アクセサリ装置に対応するコンテンツに対する有効期間設定イベントが発生したかを再度確認することができる。
【０２９３】
図３２は、本発明の多様な実施形態に係る電子装置でアクセサリ装置に対応する使用権限と関連づけられた関係を示す。
【０２９４】
一実施形態によれば、電子装置１（例：プロセッサ２２０）は、アクセサリ装置３２００（例：カバー）の接続を感知した場合、第１装置を介してアクセサリ装置３２００の認証及び有効性を判断できる。電子装置１（例：プロセッサ２２０）は、第１装置を介してアクセサリ装置３２００を認証成功して有効であると判断した場合、アクセサリ装置３２００に対応するコンテンツを提供できる。一例として、電子装置１（プロセッサ２２０）は、電子装置１のロック画面をアクセサリ装置３２００に対応するロック画面３２０４に変更できる。この場合、電子装置１（プロセッサ２２０）は、第１装置から提供されたコンテンツ識別情報に対応するコンテンツのインストール可否を判断するためのサービス画面３２０２を表示できる。電子装置１（プロセッサ２２０）は、サービス画面３２０２に対応するインストール承認入力に基づいてアクセサリ装置３２００に対応するロック画面３２０４をインストールできる。
【０２９５】
一実施形態によれば、電子装置１（プロセッサ２２０）は、アクセサリ装置３２００の接続解除を検出した場合、アクセサリ装置３２００のサービスポリシー情報に基づいて電子装置１のロック画面をアクセサリ装置３２００の接続以前に復元できる（図３２の３２１０）。一実施形態によれば、電子装置１（プロセッサ２２０）は、アクセサリ装置３２００に対応するサービスポリシー情報に基づいてアクセサリ装置３２００に対応するロック画面を維持できる。これにより、電子装置１（プロセッサ２２０）は、アクセサリ装置３２００が再装着された場合、電子装置１のメモリに格納されたアクセサリ装置３２００に対応するロック画面に電子装置１のロック画面を変更できる（図３２の３２２２）。一例として、電子装置１（プロセッサ２２０）は、第１装置でアクセサリ装置３２００に対応するロック画面のアップデートを要求する場合にのみアクセサリ装置３２００に対応するロック画面をダウンロードしてインストールできる。
【０２９６】
一実施形態によれば、電子装置２（例：プロセッサ２２０）は、アクセサリ装置３２００（例：カバー）の接続を感知した場合、第１装置を介してアクセサリ装置３２００の認証及び有効性を判断できる。
【０２９７】
一実施形態によれば、第１装置（例：プロセッサ５２０）は、アクセサリ装置３２００の識別情報を認証成功した場合、アクセサリ装置３２００が有効であるかを判断できる。一実施形態によれば、第１装置（例：プロセッサ５２０）は、電子装置２に関連づけられたアクセサリ装置３２００の識別情報が他の電子装置（例：電子装置１に装着されたアクセサリ装置の識別情報と重複するかを確認することができる。例えば、第１装置（例：プロセッサ５２０）は、アクセサリ装置３２００の識別情報と重複する他のアクセサリ装置が存在しない場合、該当アクセサリ装置３２００が有効であると判断できる。例えば、第１装置（例：プロセッサ５２０）は、アクセサリ装置３２００の識別情報と重複する他のアクセサリ装置が存在する場合、アクセサリ装置３２００に対応するサービスポリシー情報に基づいて該当アクセサリ装置３２００の有効性を判断できる。一例として、第１装置（例：プロセッサ５２０）は、アクセサリ装置３２００に対応するサービスポリシーに基づいて他のユーザによって使用可能な場合、アクセサリ装置３２００が有効であると判断できる。一例として、第１装置（例：プロセッサ５２０）は、アクセサリ装置３２００に対応するサービスポリシーに基づいて他のユーザによる使用が制限された場合、電子装置の識別情報に基づいてアクセサリ装置３２００を盗難された又は譲渡したかを判断できる。一例として、第１装置（例：プロセッサ５２０）は、アクセサリ装置３２００の譲渡情報が存在する場合、アクセサリ装置３２００が有効であると判断できる。一例として、第１装置（例：プロセッサ５２０）は、アクセサリ装置３２００が譲渡不可な場合、アクセサリ装置３２００が盗難又はコピーされたと判断して該当アクセサリ装置３２００に対応するコンテンツの使用を制限できる。一例として、第１装置（例：プロセッサ５２０）は、アクセサリ装置３２００が譲渡可能な場合、電子装置１にアクセサリ装置３２００の譲渡のためのインタフェースを提供できる。第１装置（例：プロセッサ５２０）は、アクセサリ装置３２００に対する譲渡に成功した場合、電子装置２に対するアクセサリ装置３２００が有効であると判断できる。第１装置（例：プロセッサ５２０）は、アクセサリ装置３２００に対する譲渡に失敗した場合、アクセサリ装置３２００が盗難又はコピーされたと判断して該当アクセサリ装置３２００に対応するコンテンツの使用を制限できる。
【０２９８】
一実施形態によれば、電子装置２（例：プロセッサ２２０）は、第１装置を介してアクセサリ装置３２００を認証成功して有効であると判断した場合、アクセサリ装置３２００に対応するコンテンツを提供できる。一例として、電子装置２（プロセッサ２２０）は、電子装置２のロック画面をアクセサリ装置３２００に対応するロック画面３２３４に変更できる。この場合、電子装置２（プロセッサ２２０）は、コンテンツのインストール可否を判断するためのサービス画面３２３２を介してアクセサリ装置３２００に対応するロック画面３２３４のインストール可否を判断できる。
【０２９９】
一実施形態によれば、アクセサリ装置３２００に対応するコンテンツの有効期間又は有効回数はコンテンツのサービスポリシー情報によって異なる場合がある。例えば、アクセサリ装置３２００の有効期間又は有効回数は、電子装置の識別情報にかかわらずアクセサリ装置３２００が接続されてコンテンツが用いられた期間又は回数に基づいて累積されて差し引きされることができる。すなわち、電子装置１と電子装置２がアクセサリ装置と接続されてコンテンツを使用した期間又は回数の合計によってアクセサリ装置の使用可能な残り期間又は回数が決定されることができる。他の例として、アクセサリ装置３２００と関連づけられたコンテンツの有効期間又は有効回数は、電子装置の識別情報ごとにアクセサリ装置３２００が接続されてコンテンツを使用した期間又は回数毎に別々に管理されることもできる。多様な例によれば、アクセサリ装置３２００と関連づけられた複数個のコンテンツのうち一部の有効期間又は有効回数は、電子装置の識別情報ごとに共通に累積されて差し引きされてもよく、電子装置の識別情報ごとに別々に差し引きされてもよい。
【０３００】
多様な実施形態に係る電子装置は、アクセサリ装置に対応するサービス（例えば、ＵＩテーマ変更、カスタマイズ型広告、ゲームアイテム、カメラ機能、マルチメディアコンテンツ再生、コンテンツアップデート、又はメッセージ送受信等）と関連づけられたコンテンツ又は機能をコンテンツのサービスポリシーに従って管理することによって、アクセサリ装置に対応するサービスに含まれたコンテンツや機能を提供し、ユーザに多様かつ有用な経験を提供できる。
【０３０１】
多様な実施形態に係る外部装置（例：サーバ）で電子装置に接続されたアクセサリ装置に対応するサービスを提供するように電子装置を制御することによって、外部装置を介してアクセサリ装置に対応するサービスのアクセス及びアップデートを容易に行うことができる。
【０３０２】
本文書で用いられた用語「モジュール」は、ハードウェア、ソフトウェア又はファームウェアで構成されたユニットを含み、例えば、ロジック、論理ブロック、部品、又は回路などの用語と相互互換的に用いられることができる。「モジュール」は、一体に構成された部品又は１つ又はそれ以上の機能を遂行する最小単位又はその一部になることができる。「モジュール」は、機械的に又は電子的に具現されることができ、例えば、ある動作を行う、周知の、又は将来開発される、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）チップ、ＦＰＧＡｓ（ｆｉｅｌｄ−ｐｒｏｇｒａｍｍａｂｌｅ  ｇａｔｅ  ａｒｒａｙｓ）、又はプログラム可能な論理装置を含むことができる。
【０３０３】
多様な実施形態に係る装置（例：モジュールら又はその機能）又は方法（例：動作ら）の少なくとも一部は、プログラムモジュールの形態でコンピュータ読み取り可能な記録媒体（例：メモリ２３０、又は５３０）に格納された命令として具現され得る。命令がプロセッサ（例：プロセッサ２２０又は５２０）によって実行される場合、プロセッサが命令に該当する機能を行うことができる。コンピュータ読み取り可能な記録媒体は、ハードディスク、フロッピーディスク、マグネティック媒体（例：磁気テープ）、光記録媒体（例：ＣＤ−ＲＯＭ、ＤＶＤ）、磁気−光媒体（例：フロプティカルディスク）、内蔵メモリなどを含むことができる。命令はコンパイラによって作られるコード又はインタプリタによって実行され得るコードを含むことができる。多様な実施形態に係るモジュール又はプログラムモジュールは、上述の構成要素のうち少なくとも１つ以上を含むか、一部が省略されるか、又は他の構成要素をさらに含むことができる。
【０３０４】
多様な実施形態に係る、モジュール、プログラムモジュール又は他の構成要素によって遂行された動作は、順次的、並列的、反復的又はヒューリスティックに実行されるか、少なくとも一部の動作が異なる順序で実行されたり、省略されたり、又は他の動作が追加されることができる。
【０３０５】
なお、本文書に開示された実施形態は開示された技術内容の説明及び理解のために提示されたものであって、本発明の多様な実施形態の範囲を限定するものではない。したがって、本発明の多様な実施形態の範囲は、本発明の多様な実施形態の技術的思想に基づいたあらゆる変更又は多様な他の実施形態を含むと解釈されるべきである。
【符号の説明】
【０３０６】
１０  システム
１００  電子装置
１１０、１１２、１１４  アクセサリ装置
２０１  電子装置
２０２  アクセサリ装置
２１０  バス
２２０  プロセッサ
２３０  メモリ
２４０  プログラム
２４１  カーネル
２４３  ミドルウェア
２４５  アプリケーションプログラミングインタフェース
２４７  アプリケーションプログラム
２５０  入出力インタフェース
２６０  ディスプレイ
２７０  通信インタフェース
２７２  ネットワーク
２７４  近距離通信
３０１  電子装置
３１０  プロセッサ
３２０  通信モジュール
３２１  セルラーモジュール
３２４  加入者識別モジュール
３２５  ブルートゥースモジュール
３３０  メモリ
３３２  内蔵メモリ
３３４  外付けメモリ
３４０  センサモジュール
３５０  入力装置
３５２  タッチパネル
３５４  ペンセンサ
３５６  キー
３５８  超音波入力装置
３６０  ディスプレイ
３６２  パネル
３６４  ホログラム装置
３６６  プロジェクタ
３７０  インタフェース
３７６  光インタフェース
３８０  オーディオモジュール
３８２  スピーカ
３８４  レシーバ
３８６  イヤホン
３８８  マイク
３９１  カメラモジュール
３９５  電力管理モジュール
３９６  バッテリ
３９７  インジケータ
３９８  モータ
４１０  プログラムモジュール
４２０  カーネル
４２１  システムリソースマネジャ
４２３  デバイスドライバ
４３０  ミドルウェア
４７０  アプリケーション
５０４  電子装置
５０６  サーバ
５１０  バス
５２０  プロセッサ
５３０  メモリ
５５０  入出力インタフェース
５７０  通信インタフェース
５７２  ネットワーク
１０００  サービス画面
１００２  変更要求ボタン
１００４  変更制限ボタン
３２００  アクセサリ装置
【図１】
2018101971.tif 000003
【図２】
2018101971.tif 000004
【図３】
2018101971.tif 000005
【図４】
2018101971.tif 000006
【図５】
2018101971.tif 000007
【図６】
2018101971.tif 000008
【図７】
2018101971.tif 000009
【図８】
2018101971.tif 000010
【図９】
2018101971.tif 000011
【図１０Ａ】
2018101971.tif 000012
【図１０Ｂ】
2018101971.tif 000013
【図１０Ｃ】
2018101971.tif 000014
【図１１】
2018101971.tif 000015
【図１２】
2018101971.tif 000016
【図１３】
2018101971.tif 000017
【図１４Ａ】
2018101971.tif 000018
【図１４Ｂ】
2018101971.tif 000019
【図１４Ｃ】
2018101971.tif 000020
【図１４Ｄ】
2018101971.tif 000021
【図１４Ｅ】
2018101971.tif 000022
【図１４Ｆ】
2018101971.tif 000023
【図１４Ｇ】
2018101971.tif 000024
【図１４Ｈ】
2018101971.tif 000025
【図１５Ａ】
2018101971.tif 000026
【図１５Ｂ】
2018101971.tif 000027
【図１５Ｃ】
2018101971.tif 000028
【図１５Ｄ】
2018101971.tif 000029
【図１６】
2018101971.tif 000030
【図１７】
2018101971.tif 000031
【図１８】
2018101971.tif 000032
【図１９】
2018101971.tif 000033
【図２０】
2018101971.tif 000034
【図２１】
2018101971.tif 000035
【図２２】
2018101971.tif 000036
【図２３Ａ】
2018101971.tif 000037
【図２３Ｂ】
2018101971.tif 000038
【図２３Ｃ】
2018101971.tif 000039
【図２４Ａ】
2018101971.tif 000040
【図２４Ｂ】
2018101971.tif 000041
【図２４Ｃ】
2018101971.tif 000042
【図２４Ｄ】
2018101971.tif 000043
【図２５】
2018101971.tif 000044
【図２６】
2018101971.tif 000045
【図２７】
2018101971.tif 000046
【図２８】
2018101971.tif 000047
【図２９】
2018101971.tif 000048
【図３０】
2018101971.tif 000049
【図３１】
2018101971.tif 000050
【図３２】
2018101971.tif 000051
【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
電子装置であって、
ユーザインタフェース；
通信回路；
前記ユーザインタフェース、及び前記通信回路と電気的に接続されたプロセッサ；及び
前記プロセッサと電気的に接続され、少なくとも１つのアクセサリ装置と関連づけられた少なくとも１つのポリシー情報を格納するメモリを含み、
前記メモリは、実行時に、前記プロセッサが、
前記通信回路を用いて、前記少なくとも１つのアクセサリ装置と接続を形成し、
前記少なくとも１つのアクセサリ装置と異なる外部電子装置から、前記少なくとも１つのアクセサリ装置と関連づけられたコンテンツを受信し、
前記メモリに格納された少なくとも１つのポリシー情報の少なくとも一部に基づいて、前記受信されたコンテンツの少なくとも一部を前記ユーザインタフェースを介して出力するようにするインストラクションを格納し、
前記ポリシー情報は、メディアの種類、アプリケーション、時間、場所、又は前記電子装置の能力（capability）情報のうち、少なくとも１つに基づいて前記コンテンツを運営するための情報を含む電子装置。
【請求項２】
前記ユーザインタフェースは、
ディスプレイ、又はスピーカを含み、
前記出力は、
前記ディスプレイを介して壁紙、メニュー、アイコン、又は通知の表示、又は前記スピーカを介して音響の出力を含む請求項１に記載の電子装置。
【請求項３】
前記インストラクションは、前記プロセッサが、
前記通信回路を用いて、前記格納された少なくとも１つのポリシー情報を前記アクセサリ装置、又は前記外部電子装置から受信するようにする請求項１に記載の電子装置。
【請求項４】
前記インストラクションは、前記プロセッサが、
前記通信回路を用いて、前記少なくとも１つのアクセサリ装置から前記アクセサリ装置の識別情報を受信し、
前記受信されたアクセサリ装置の識別情報の少なくとも一部に基づいて、前記コンテンツに対する要求を前記外部電子装置に伝送するようにする請求項１に記載の電子装置。
【請求項５】
前記インストラクションは、前記プロセッサが、
前記通信回路を用いて、前記電子装置と関連づけられた電子装置識別情報、又は前記電子装置のユーザのアカウント情報を外部電子装置に伝送し、
前記外部電子装置から、前記電子装置識別情報、又は前記アカウント情報に対応するコンテンツを受信するようにする請求項１に記載の電子装置。
【請求項６】
前記インストラクションは、前記プロセッサが、
前記通信回路を用いて、前記電子装置と関連づけられた属性情報を前記外部電子装置に伝送し、
前記外部電子装置から、前記属性情報に対応するコンテンツを受信するようにする請求項１に記載の電子装置。
【請求項７】
前記属性情報は、前記プロセッサの処理速度、前記通信回路の通信速度、前記メモリの可用容量、前記メモリに格納されたソフトウェアの互換性、前記電子装置に含まれたセンサ、又は前記ユーザインタフェースの種類、大きさ、解像度、又は形態のうち少なくとも１つと関連づけられた情報を含む請求項６に記載の電子装置。
【請求項８】
前記インストラクションは、前記プロセッサが、
前記通信回路を用いて、前記少なくとも１つのアクセサリ装置と接続を解除し、
前記少なくとも１つのポリシー情報の少なくとも一部に基づいて、前記コンテンツの少なくとも一部の出力を維持又は中断するようにする請求項１に記載の電子装置。
【請求項９】
前記少なくとも１つのポリシー情報は、
前記コンテンツと関連づけられた第１ポリシー情報、又は前記コンテンツ及び前記外部電子装置から受信された他のコンテンツと関連づけられた第２ポリシー情報を含む請求項１に記載の電子装置。
【請求項１０】
アクセサリコンテンツ制御装置であって、
通信インタフェース；及び
少なくとも１つのプロセッサを含み、
前記プロセッサは、
前記通信インタフェースを介して、電子装置に接続されたアクセサリ装置の識別情報を受信した場合、前記アクセサリ装置の識別情報の認証を行い、
前記アクセサリ装置の識別情報を認証成功した場合、前記アクセサリ装置に対応するコンテンツ及び前記コンテンツのサービスポリシー情報を設定し、
前記アクセサリ装置に対応するコンテンツ及び前記コンテンツのサービスポリシー情報を前記電子装置に伝送するように前記通信インタフェースを制御し、
前記サービスポリシー情報は、前記電子装置と前記アクセサリ装置の接続情報に基づいて提供されるコンテンツ品質を含むアクセサリコンテンツ制御装置。
【請求項１１】
前記プロセッサは、
前記アクセサリ装置の識別情報に基づいて前記アクセサリ装置の重複使用の有無を判断し、
前記アクセサリ装置が重複使用される場合、前記アクセサリ装置に対応するコンテンツの使用を制限する請求項１０に記載のアクセサリコンテンツ制御装置。
【請求項１２】
前記プロセッサは、
前記アクセサリ装置の識別情報と前記電子装置の識別情報に基づいて前記アクセサリ装置が有効であるかを確認し、
前記アクセサリ装置が有効でないと判断した場合、前記アクセサリ装置に対応するコンテンツの使用を制限する請求項１０に記載のアクセサリコンテンツ制御装置。
【請求項１３】
前記サービスポリシー情報は、前記電子装置と前記アクセサリ装置の接続情報に基づいて提供される使用権限、又はコンテンツの処理方案のうち少なくとも１つをさらに含む請求項１０に記載のアクセサリコンテンツ制御装置。
【請求項１４】
前記プロセッサは、前記アクセサリ装置の識別情報を認証成功した場合、サービス提供装置に前記アクセサリ装置の識別情報を伝送するように前記通信インタフェースを制御する請求項１０に記載のアクセサリコンテンツ制御装置。
【請求項１５】
メモリをさらに含み、
前記プロセッサは、
前記電子装置からコンテンツ要求信号を受信した場合、前記メモリから前記コンテンツ要求信号に対応するコンテンツを検出し、
前記コンテンツ要求信号に対応するコンテンツを前記電子装置に伝送するように前記通信インタフェースを制御する請求項１０に記載のアクセサリコンテンツ制御装置。
【請求項１６】
前記プロセッサは、
前記アクセサリ装置の識別情報を認証成功した場合、前記アクセサリ装置に対応するサービスタイプに基づいてグループを生成し、
前記グループの情報を前記電子装置又はサービス提供装置に伝送するように前記通信インタフェースを制御する請求項１０に記載のアクセサリコンテンツ制御装置。
【請求項１７】
前記プロセッサは、
前記アクセサリ装置の識別情報を認証成功した場合、前記電子装置の識別情報を確認し、
前記電子装置の識別情報及び前記アクセサリ装置に対応するサービスタイプに基づいてグループを生成し、
前記グループの情報を前記電子装置又はサービス提供装置に伝送するように前記通信インタフェースを制御する請求項１０に記載のアクセサリコンテンツ制御装置。